(57)【要約】  本開示は、４Ｇシステム以後より高いデータ送信率をサポートするための５Ｇ通信システムをＩｏＴ技術と融合する通信技法及びそのシステムに関する。本開示は、５Ｇ通信技術及びＩｏＴ関連技術を基盤で知能型サービス(例えば、スマートホーム、スマートビルディング、スマートシティ、スマートカー又はコネクテッドカー、ヘルスケア、デジタル教育、小売り業、保安及び安全関連サービスなど)に適用されることができる。端末の方法が提供される。前記方法は、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信する段階と、ランダムアクセス手続きが前記ＰＣｅｌｌ又は前記ＳＣｅｌｌ上で開始されることを識別する段階と、前記ランダムアクセス手続きが前記ＰＣｅｌｌ上で開始されることが識別される場合、前記第１タイマーが実行中であれば、前記第１タイマーを中止させる段階と、及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させる段階と、を含む。
2021508961.tif 000002
【特許請求の範囲】
【請求項１】
端末(ａ ｕｓｅｒ ｅｑｕｉｐｍｅｎｔ、ＵＥ)の方法であって、
プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信する段階と、
ランダムアクセス手続きが前記ＰＣｅｌｌ又は前記ＳＣｅｌｌ上で開始されることを識別する段階と、
前記ランダムアクセス手続きが前記ＰＣｅｌｌ上で開始されることが識別される場合、前記第１タイマーが実行中であれば、前記第１タイマーを中止させる段階と、及び
前記ランダムアクセス手続きが前記ＳＣｅｌｌ上で開始されることが識別される場合、前記第１タイマー及び前記第２タイマーが実行中であれば、前記第１タイマー及び前記第２タイマーを中止させる段階と、を含むことを特徴とする、方法。
【請求項２】
前記ＳＣｅｌｌ及び前記ＰＣｅｌｌは前記ランダムアクセス手続きに係ることを特徴とする、請求項１に記載の方法。
【請求項３】
前記ランダムアクセス手続きは前記ＰＣｅｌｌ又は前記ＳＣｅｌｌの活性アップリンク帯域幅部分(ａｃｔｉｖｅ ｕｐｌｉｎｋ ＢＷＰ)に基づいて行われることを特徴とする、請求項１に記載の方法。
【請求項４】
前記ランダムアクセス手続きは前記ＰＣｅｌｌの活性ダウンリンク帯域幅部分(ａｃｔｉｖｅ ｄｏｗｎｌｉｎｋ ＢＷＰ)に基づいて行われることを特徴とする、請求項１に記載の方法。
【請求項５】
基地局の方法であって、
プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信する段階と、
前記ＰＣｅｌｌ又は前記ＳＣｅｌｌ上でランダムアクセス手続きに係る第１メッセージを前記ＵＥから受信する段階と、及び
前記ＰＣｅｌｌ上で前記ランダムアクセス手続きに係る第２メッセージを前記ＵＥに送信する段階と、を含み、
前記ランダムアクセス手続きが前記ＰＣｅｌｌ上で開始されることが識別される場合、前記第１タイマーが実行中であれば、前記第１タイマーが中止され、
前記ランダムアクセス手続きが前記ＳＣｅｌｌ上で開始されることが識別される場合、第１タイマー及び前記第２タイマーが実行中であれば、前記第１タイマー及び前記第２タイマーが中止されることを特徴とする、方法。
【請求項６】
前記ＳＣｅｌｌ及び前記ＰＣｅｌｌは前記ランダムアクセス手続きに係ることを特徴とする、請求項５に記載の方法。
【請求項７】
物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることを特徴とする、請求項５に記載の方法。
【請求項８】
ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることを特徴とする、請求項５に記載の方法。
【請求項９】
無線通信システムで端末(ａ ｕｓｅｒ ｅｑｕｉｐｍｅｎｔ、ＵＥ)であって、
送受信機と、及び
前記送受信機に結合された少なくとも一つのプロセッサと、を含み、前記プロセッサは、
プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信するように前記送受信機を制御して；
ランダムアクセス手続きが前記ＰＣｅｌｌ又は前記ＳＣｅｌｌ上で開始されることを識別して；
前記ランダムアクセス手続きが前記ＰＣｅｌｌ上で開始されることが識別される場合、前記第１タイマーが実行中であれば、前記第１タイマーを中止させて；及び
前記ランダムアクセス手続きが前記ＳＣｅｌｌ上で開始されることが識別される場合、前記第１タイマー及び前記第２タイマーが実行中であれば、前記第１タイマー及び前記第２タイマーを中止させるように制御することを特徴とする、端末。
【請求項１０】
前記ＳＣｅｌｌ及び前記ＰＣｅｌｌは前記ランダムアクセス手続きに係る、請求項９に記載の端末。
【請求項１１】
前記ランダムアクセス手続きは前記ＰＣｅｌｌ又は前記ＳＣｅｌｌの能動アップリンク(ＵＬ)帯域幅部分(ＢＷＰ)に基づいて行われることを特徴とする、請求項９に記載の端末。
【請求項１２】
前記ランダムアクセス手続きは前記ＰＣｅｌｌの活性ダウンリンク(ＤＬ)帯域幅部分(ＢＷＰ)に基づいて行われることを特徴とする、請求項９に記載の端末。
【請求項１３】
無線通信システムの基地局であって、
送受信機と、及び
前記送受信機に結合された少なくとも一つのプロセッサと、を含み、前記プロセッサは前記送受信機が
プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信し、
前記ＰＣｅｌｌ又は前記ＳＣｅｌｌ上でランダムアクセス手続きに係る第１メッセージを前記ＵＥから受信して；
前記ＰＣｅｌｌ上で前記ランダムアクセス手続きに係る第２メッセージを前記ＵＥに送信するように制御し、
前記ランダムアクセス手続きが前記ＰＣｅｌｌ上で開始されることが識別される場合、前記第１タイマーが実行中であれば、前記第１タイマーが中止され、
前記ランダムアクセス手続きが前記ＳＣｅｌｌ上で開始されることが識別される場合、第１タイマー及び前記第２タイマーが実行中であれば、前記第１タイマー及び前記第２タイマーが中止されることを特徴とする、基地局。
【請求項１４】
物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることを特徴とする、請求項１３に記載の基地局。
【請求項１５】
ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることを特徴とする、請求項１３に記載の基地局。
【発明の詳細な説明】
【技術分野】
【０００１】
本発明は、無線通信システムに関する。特に、本開示は、帯域幅部分非活性タイマーを処理するための方法及び装置に関する。特に、本開示は、システム情報をリクエストするために開始されるランダムアクセス手続きのための方法及び装置に関する。特に、本開示は、帯域幅部分(ＢＷＰ)スイッチングのための方法及び装置に関する。特に、本発明はビーム障害復旧のために開示されたランダムアクセス手続きのための方法及び装置に関する。
【背景技術】
【０００２】
４Ｇ通信システムの商用化以後に増加趨勢にある無線データトラフィックに対するニーズを満たすため、改善された５Ｇ通信システム又はｐｒｅ−５Ｇ通信システムを開発するための努力が成りつつある。このような理由で、５Ｇ通信システム又はｐｒｅ−５Ｇ通信システムは４Ｇネットワーク以後(Ｂｅｙｏｎｄ ４Ｇ Ｎｅｔｗｏｒｋ)通信システム又はＬＴＥシステム以後(Ｐｏｓｔ ＬＴＥ)のシステムと呼ばれている。高いデータ送信率を達成するために、５Ｇ通信システムは超高周波(ｍｍＷａｖｅ)帯域(例えば、６０ギガ(６０ＧＨｚ)帯域のような)での具現が考慮されている。超高周波帯域での電波の経路損失の緩和及び電波の伝達距離を増加させるために、５Ｇ通信システムではビームフォーミング(ｂｅａｍｆｏｒｍｉｎｇ)、巨大配列多重入出力(ｍａｓｓｉｖｅＭＩＭＯ)、全次元多重入出力(Ｆｕｌｌ ＤｉｍｅｎｓｉｏｎａｌＭＩＭＯ：ＦＤ−ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムのネットワーク改善のために、５Ｇ通信システムでは進化された小型セル、改善した小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ ｃｏｍｍｕｎｉｃａｔｉｏｎ：Ｄ２Ｄ)、無線バックホール(ｗｉｒｅｌｅｓｓ ｂａｃｋｈａｕｌ)、移動ネットワーク(ｍｏｖｉｎｇｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ  Ｍｕｌｔｉ−Ｐｏｉｎｔｓ)、及び受信干渉除去(ｉｎｔｅｒｆｅｒｅｎｃｅ ｃａｎｃｅｌｌａｔｉｏｎ)などの技術開発が成りつつある。この以外にも、５Ｇシステムでは進歩されたコーディング変調(Ａｄｖａｎｃｅｄ Ｃｏｄｉｎｇ Ｍｏｄｕｌａｔｉｏｎ：ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ Ｗｉｎｄｏｗ Ｓｕｐｅｒ ｐｏｓｉ
ｔｉｏｎ Ｃｏｄｉｎｇ)と、進歩された接続技術であるＦＢＭＣ(Ｆｉｌｔｅｒ Ｂａｎｋ Ｍｕｌｔｉ Ｃａｒｒｉｅｒ)、ＮＯＭＡ(ｎｏｎｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【０００３】
一方、インターネットは人間が情報を生成して消費する人間中心の接続網から、事物など分散した構成要素の間に情報を取り交わして処理するＩｏＴ(Ｉｎｔｅｒｎｅｔ ｏｆ Ｔｈｉｎｇｓ、事物インターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も台頭している。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ Ｔｅｃｈｎｏｌｏｇｙ)技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これに、５Ｇ通信システムをＩｏＴ網に適用するための多様な試みが成っている。例えば、センサーネットワーク(ｓｅｎｓｏｒ ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が５Ｇ通信技術がビームフォーミング、ＭＩＭＯ、及びアレイアンテナなどの技法によって具現されていることである。前述したビックデータ処理技術としてクラウド無線アクセスネットワーク(ｃｌｏｕｄ ＲＡＮ)が適用されることも５Ｇ技術とＩｏＴ技術融合の一例と言えるだろう。
【０００５】
上述した情報は本開示の理解を助けるための背景情報としてだけ提示される。前記内容のうちのいずれも本開示と関連して従来技術として適用されることができるかに対する決定はなく、どんな主張も成り立たない。
【発明の概要】
【発明が解決しようとする課題】
【０００６】
ＢＷＰ非活性タイマー作動に係るいくつかの問題がある。ランダムアクセス(ＲＡ)手続きが開始されると、ＵＥは現在手続きによってＢＷＰ−ＩｎａｃｔｉｖｉｔｙＴｉｍｅｒを中止する。ＵＥはランダムアクセスが開始される活性サービングセルの活性ＤＬ ＢＷＰに係るＢＷＰ−ＩｎａｃｔｉｖｉｔｙＴｉｍｅｒを中止する。ＰＣｅｌｌに対するランダムアクセスが開始されると、ＰＣｅｌｌの活性ＤＬ ＢＷＰに係るＢＷＰ−ＩｎａｃｔｉｖｉｔｙＴｉｍｅｒが中止される。ＳＣｅｌｌに対するランダムアクセスが開始すると、ＳＣｅｌｌの活性ＤＬ ＢＷＰに係るＢＷＰ−ＩｎａｃｔｉｖｉｔｙＴｉｍｅｒが中止される。ＳＣｅｌｌ(ＰＳＣｅｌｌ以外)でのランダムアクセス手続きの場合、ＰＲＡＣＨプリアンブルだけがＳＣｅｌｌから送信される。ＵＥはＳｐＣｅｌｌでＲＡＲを受信する。ランダムアクセス手続きが進行されるうちのＳｐＣｅｌｌの活性ＤＬ ＢＷＰが転換されることができる。これは、ＢＷＰ転換後のランダムアクセス手続きを中止してからさらに開始しなければならないから、中断を引き起こすことができる。
【課題を解決するための手段】
【０００７】
本発明の態様は少なくとも前述した問題点及び／又は短所を解消し、少なくとも以下で説明される利点を提供することである。
【０００８】
追加の態様は部分的には次の説明で説明され、部分的には詳細な説明から明らかになり、又は提示された実施形態によって習得されることができる。
【０００９】
本発明の多様な実施形態による端末の方法は、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信する段階と、ランダムアクセス手続きが前記ＰＣｅｌｌ又は前記ＳＣｅｌｌ上で開始されることを識別する段階と、前記ランダムアクセス手続きが前記ＰＣｅｌｌ上で開始されることが識別される場合、前記第１タイマーが実行中であれば、前記第１タイマーを中止させる段階と、及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させる段階と、を含むことを特徴とする方法を提供する。
【００１０】
本発明の多様な実施形態による前記ＳＣｅｌｌ及び前記ＰＣｅｌｌは、前記ランダムアクセス手続きに係ることができる。
【００１１】
本発明の多様な実施形態による前記ランダムアクセス手続きは、前記ＰＣｅｌｌ又は前記ＳＣｅｌｌの活性アップリンク帯域幅部分(ａｃｔｉｖｅ ｕｐｌｉｎｋ ＢＷＰ)に基づいて行われることができる。
【００１２】
本発明の多様な実施形態による前記ランダムアクセス手続きは、前記ＰＣｅｌｌの活性ダウンリンク帯域幅部分(ａｃｔｉｖｅ ｄｏｗｎｌｉｎｋ ＢＷＰ)に基づいて行われることができる。
【００１３】
本発明の多様な実施形態による基地局の方法は、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信する段階と、前記ＰＣｅｌｌ又は前記ＳＣｅｌｌ上でランダムアクセス手続きに係る第１メッセージを前記ＵＥから受信する段階と、及び前記ＰＣｅｌｌ上で前記ランダムアクセス手続きに係る第２メッセージを前記ＵＥに送信する段階と、を含み、前記ランダムアクセス手続きが前記ＰＣｅｌｌ上で開始されることが識別される場合、前記第１タイマーが実行中であれば、前記第１タイマーが中止され、前記ランダムアクセス手続きが前記ＳＣｅｌｌ上で開始されることが識別される場合、第１タイマー及び前記第２タイマーが実行中であれば、前記第１タイマー及び前記第２タイマーが中止されることを特徴とする方法を提供する。
【００１４】
本発明の多様な実施形態による前記ＳＣｅｌｌ及び前記ＰＣｅｌｌは、前記ランダムアクセス手続きに係ることができる。
【００１５】
本発明の多様な実施形態による前記物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることができる。
【００１６】
本発明の多様な実施形態による前記ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることができる。
【００１７】
本発明の多様な実施形態による無線通信システムで端末(ａ ｕｓｅｒ ｅｑｕｉｐｍｅｎｔ、ＵＥ)は、送受信機と、及び前記送受信機に結合された少なくとも一つのプロセッサと、を含み、前記プロセッサは、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信するように前記送受信機を制御し；ランダムアクセス手続きが前記ＰＣｅｌｌ又は前記ＳＣｅｌｌ上で開始されることを識別し；前記ランダムアクセス手続きが前記ＰＣｅｌｌ上で開始されることが識別される場合、前記第１タイマーが実行中であれば、前記第１タイマーを中止させて；及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させるように制御することができる。
【００１８】
本発明の多様な実施形態による前記ＳＣｅｌｌ及び前記ＰＣｅｌｌは、前記ランダムアクセス手続きに係ることができる。
【００１９】
本発明の多様な実施形態による前記ランダムアクセス手続きは、前記ＰＣｅｌｌ又は前記ＳＣｅｌｌの能動アップリンク(ＵＬ)帯域幅部分(ＢＷＰ)に基づいて行われることができる。
【００２０】
本発明の多様な実施形態による前記ランダムアクセス手続きは、前記ＰＣｅｌｌの活性ダウンリンク(ＤＬ)帯域幅部分(ＢＷＰ)に基づいて行われることができる。
【００２１】
本発明の多様な実施形態による無線通信システムの基地局は、送受信機と、及び前記送受信機に結合された少なくとも一つのプロセッサと、を含み、前記プロセッサは前記送受信機がプライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信し、前記ＰＣｅｌｌ又は前記ＳＣｅｌｌ上でランダムアクセス手続きに係る第１メッセージを前記ＵＥから受信して；前記ＰＣｅｌｌ上で前記ランダムアクセス手続きに係る第２メッセージを前記ＵＥに送信するように制御し、前記ランダムアクセス手続きが前記ＰＣｅｌｌ上で開始されることが識別される場合、前記第１タイマーが実行中であれば、前記第１タイマーが中止され、前記ランダムアクセス手続きが前記ＳＣｅｌｌ上で開始されることが識別される場合、第１タイマー及び前記第２タイマーが実行中であれば、前記第１タイマー及び前記第２タイマーが中止されることができる。
【００２２】
本発明の多様な実施形態による物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは、前記ＰＣｅｌｌ又は前記ＳＣｅｌｌの活性アップリンク帯域幅部分(ａｃｔｉｖｅ ｕｐｌｉｎｋ ＢＷＰ)上で受信されることができる。
【００２３】
本発明の多様な実施形態による前記ランダムアクセス応答(ｒａｎｄｏｍ ａｃｃｅｓｓ ｒｅｓｐｏｎｓｅ、ＲＡＲ)を含む前記第２メッセージは、前記ＰＣｅｌｌの活性ダウンリンク帯域幅部分(ａｃｔｉｖｅ ｄｏｗｎｌｉｎｋ ＢＷＰ)上で送信されることができる。
【００２４】
本発明の多様な実施形態による端末(ａ ｕｓｅｒ ｅｑｕｉｐｍｅｎｔ、ＵＥ)の方法は、帯域幅部分非活性(ｂａｎｄｗｉｄｔｈ ｐａｒｔ ｉｎａｃｔｉｖｉｔｙ)に係るタイマーの第１情報を基地局から受信する段階と、サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信する段階と、前記サービングセルに係る進行中のランダムアクセス手続きが存在するか否かを識別する段階と、及び前記サービングセルに係る進行中のランダムアクセス手続きがないことが識別される場合、前記タイマーを開始又は再開始する段階と、を含むことを特徴とする方法を提供する。
【００２５】
本発明の多様な実施形態による前記活性ＢＷＰは、デフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【００２６】
本発明の多様な実施形態による前記ＰＤＣＣＨは、タウンリンク割り当て又はアップリンクグラントを示すことができる。
【００２７】
本発明の多様な実施形態による前記ＰＤＣＣＨは、前記活性ＢＷＰを介して受信されたり前記活性ＢＷＰのために受信されることができる。
【００２８】
本発明の多様な実施形態による基地局の方法は、帯域幅部分非活性(ｂａｎｄｗｉｄｔｈ ｐａｒｔ ｉｎａｃｔｉｖｉｔｙ)に係るタイマーの第１情報を端末(ａ ｕｓｅｒ ｅｑｕｉｐｍｅｎｔ、ＵＥ)で送信する段階と、及びサービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記ＵＥに送信する段階と、前記タイマーは前記サービングセルに係る進行中のランダムアクセス手続きがないことが識別される場合、開始又は再開始されることを特徴とする方法を提供する。
【００２９】
本発明の多様な実施形態による前記活性ＢＷＰは、デフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【００３０】
本発明の多様な実施形態による前記ＰＤＣＣＨは、タウンリンク割り当て又はアップリンクグラントを示すことができる。
【００３１】
本発明の多様な実施形態による前記ＰＤＣＣＨは、前記活性ＢＷＰを介して送信されたり前記活性ＢＷＰのために送信されることができる。
【００３２】
本発明の多様な実施形態による無線通信システムで端末(ａ ｕｓｅｒ ｅｑｕｉｐｍｅｎｔ、ＵＥ)は、送受信機と、及び前記送受信機に結合された少なくとも一つのプロセッサと、を含み、前記プロセッサは、帯域幅部分非活性(ｂａｎｄｗｉｄｔｈ ｐａｒｔ ｉｎａｃｔｉｖｉｔｙ)に係るタイマーの第１情報を基地局から受信するように前記送受信機を制御して；  サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信するように前記送受信機を制御して；サービングセルに係る進行中のランダムアクセス手続きが存在するか否かを識別して；前記サービングセルに係る進行中の任意接近手続きがないことが識別される場合、前記タイマーを開始又は再開始するように制御することができる。
【００３３】
本発明の多様な実施形態による前記活性ＢＷＰは、デフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【００３４】
本発明の多様な実施形態による前記ＰＤＣＣＨは、タウンリンク割り当て又はアップリンクグラントを示すことができる。
【００３５】
本発明の多様な実施形態による前記ＰＤＣＣＨは、前記活性ＢＷＰを介して受信されたり前記活性ＢＷＰのために受信されることができる。
【００３６】
本発明の多様な実施形態による無線通信システムの基地局は、送受信機と、及び前記送受信機に結合された少なくとも一つのプロセッサと、を含み、前記プロセッサは、帯域幅部分非活性(ｂａｎｄｗｉｄｔｈ ｐａｒｔ ｉｎａｃｔｉｖｉｔｙ)に係るタイマーの第１情報を端末(ａ ｕｓｅｒ ｅｑｕｉｐｍｅｎｔ、ＵＥ)で送信するように前記送受信機を制御して；サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記ＵＥで送信するように前記送受信機を制御し、前記タイマーは前記サービングセルに係る進行中のランダムアクセス手続きがないことが識別される場合、開始又は再開始されることができる。
【００３７】
本発明の多様な実施形態による前記ＰＤＣＣＨはダウンリンク割り当て又はアップリンクグラントを示すことができる。
【００３８】
本発明の多様な実施形態による前記ＰＤＣＣＨは、前記活性ＢＷＰを介して送信されたり前記活性ＢＷＰのために送信されることができる。
【００３９】
本発明の多様な実施形態による端末(ａ ｕｓｅｒ ｅｑｕｉｐｍｅｎｔ、ＵＥ)の方法であって、ランダムアクセス手続きを開始するためのランダムアクセスプリアンブルを基地局に送信する段階と、前記基地局からランダムアクセス応答を受信する段階と、システム情報(ｓｙｓｔｅｍｉｎｆｏｒｍａｔｉｏｎ、ＳＩ)をリクエストするための第１メッセージを前記基地局に送信する段階と、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信する段階と、競争解消(ｃｏｎｔｅｎｔｉｏｎ ｒｅｓｏｌｕｔｉｏｎ)が成功的であるか否かを識別する段階と、ランダムアクセス手続きが前記ＳＩリクエストのために開始されるか否かを識別する段階と、及び前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)の受信を上位階層(ｕｐｐｅｒ ｌａｙｅｒ)に指示する段階と、を含む方法。
【００４０】
本発明の多様な実施形態による前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【００４１】
本発明の多様な実施形態による前記ランダムアクセス手続きは、競争基盤ランダムアクセスに係ることができる。
【００４２】
本発明の多様な実施形態によるＭＡＣ ＰＤＵで受信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで送信されたＣＣＣＨ ＳＤＵとマッチされる場合、前記競争解消が成功的に識別されることができる。
【００４３】
本発明の多様な実施形態による基地局の方法は、ランダムアクセス手続きを開始するためのランダムアクセスプリアンブルを端末(ａ ｕｓｅｒ ｅｑｕｉｐｍｅｎｔ、ＵＥ)から受信する段階と、ランダムアクセス応答を前記端末で送信する段階と、システム情報(ｓｙｓｔｅｍｉｎｆｏｒｍａｔｉｏｎ、ＳＩ)をリクエストするための第１メッセージを前記端末から受信する段階と、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌｄｏｗｎｌｉｎｋ ｃｏｎｔｒｏｌ ｃｈａｎｎｅｌ、ＰＤＣＣＨ)を前記端末で送信する段階と、及び前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)を前記端末で送信する段階を含む方法を提供する。
【００４４】
本発明の多様な実施形態による前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【００４５】
本発明の多様な実施形態による前記ランダムアクセス手続きは、競争基盤ランダムアクセスに係ることができる。
【００４６】
本発明の多様な実施形態によるＭＡＣ ＰＤＵで送信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで受信されたＣＣＣＨ ＳＤＵとマッチされる場合、前記競争解消が成功的に識別されることができる。
【００４７】
本発明の多様な実施形態による無線通信システムで端末(ａ ｕｓｅｒ ｅｑｕｉｐｍｅｎｔ、ＵＥ)であって、送受信機と、及び前記送受信機に結合された少なくとも一つのプロセッサと、を含み、前記プロセッサはランダムアクセス手続きを開始するためのランダムアクセスプリアンブルを基地局に送信し、前記基地局からランダムアクセス応答を受信し、システム情報(ｓｙｓｔｅｍｉｎｆｏｒｍａｔｉｏｎ、ＳＩ)をリクエストするための第１メッセージを前記基地局に送信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信するように前記送受信機を制御し、競争解消(ｃｏｎｔｅｎｔｉｏｎ ｒｅｓｏｌｕｔｉｏｎ)が成功的であるか否かを識別して；ランダムアクセス手続きが前記ＳＩリクエストのために開始されるか否かを識別し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)の受信を上位階層(ｕｐｐｅｒ ｌａｙｅｒ)に指示するように制御することができる。
【００４８】
本発明の多様な実施形態による前記プロセッサは前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)を前記臨時Ｃ−ＲＮＴＩの値で設定するように制御することができる。
【００４９】
本発明の多様な実施形態による前記ランダムアクセス手続きは、競争基盤ランダムアクセスに係ることができる。
【００５０】
本発明の多様な実施形態によるＭＡＣ ＰＤＵで受信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで送信されたＣＣＣＨ ＳＤＵとマッチされる場合、前記競争解消が成功的に識別されることができる。
【００５１】
本発明の多様な実施形態による無線通信システムの基地局は、送受信機と、及び前記送受信機に結合された少なくとも一つのプロセッサと、を含み、前記プロセッサは前記送受信機がランダムアクセス手続きを開始するためのランダムアクセスプリアンブルを端末(ａ ｕｓｅｒ ｅｑｕｉｐｍｅｎｔ、ＵＥ)から受信し、ランダムアクセス応答を前記端末で送信し、システム情報(ｓｙｓｔｅｍ ｉｎｆｏｒｍａｔｉｏｎ、ＳＩ)をリクエストするための第１メッセージを前記端末から受信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)を前記端末で送信するように制御することができる。
【００５２】
本発明の多様な実施形態による前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【００５３】
本発明の多様な実施形態によるＭＡＣ ＰＤＵで送信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで受信されたＣＣＣＨ ＳＤＵとマッチされる場合、前記競争解消が成功的に識別されることができる。
【００５４】
本発明の多様な実施形態による端末(ａ ｕｓｅｒ ｅｑｕｉｐｍｅｎｔ、ＵＥ)の方法は、サービングセルの帯域幅部分(ｂａｎｄｗｉｄｔｈ ｐａｒｔ、ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を基地局から受信する段階と、前記サービングセルに係る進行中のランダムアクセス手続きが存在するか否かを識別する段階と、及び進行中のランダムアクセス手続きがないことが識別される場合、前記ＰＤＣＣＨに基づいてＢＷＰスイッチングを行う段階と、を含む方法を提供する。
【００５５】
本発明の多様な実施形態による進行中のランダムアクセス手続きがあることが識別される場合、前記ＢＷＰスイッチングは前記ＰＤＣＣＨに基づいて行われることができる。
【００５６】
本発明の多様な実施形態による前記ＢＷＰスイッチングが行われる場合、前記進行中のランダムアクセス手続きは中断されることができる。
【００５７】
本発明の多様な実施形態による進行中のランダムアクセス手続きがあることが識別される場合、ＢＷＰスイッチングのための前記ＰＤＣＣＨは無視されることができる。
【００５８】
本発明の多様な実施形態による基地局の方法は、サービングセルの活性(ａｃｔｉｖｅ)帯域幅部分(ｂａｎｄｗｉｄｔｈ ｐａｒｔ、ＢＷＰ)に係る情報を含む帯域幅部分(ＢＷＰ)構成情報を端末(ａ ｕｓｅｒ ｅｑｕｉｐｍｅｎｔ、ＵＥ)で送信する段階と、及び前記サービングセルの帯域幅部分(ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信する段階と、を含み、進行中のランダムアクセス手続きがないことが識別される場合、前記ＰＤＣＣＨに基づいてＢＷＰスイッチングが行われることができる。
【００５９】
本発明の多様な実施形態による進行中のランダムアクセス手続きがあることが識別される場合、前記ＢＷＰスイッチングは前記ＰＤＣＣＨに基づいて行われることができる。
【００６０】
本発明の多様な実施形態による前記ＢＷＰスイッチングが行われる場合、前記進行中のランダムアクセス手続きは中断されることができる。
【００６１】
本発明の多様な実施形態による進行中のランダムアクセス手続きがあることが識別される場合、ＢＷＰスイッチングのための前記ＰＤＣＣＨは無視されることができる。
【００６２】
本発明の多様な実施形態による無線通信システムで端末(ａ ｕｓｅｒ ｅｑｕｉｐｍｅｎｔ、ＵＥ)は、送受信機と、及び前記送受信機に結合された少なくとも一つのプロセッサと、を含み、前記プロセッサは、サービングセルの帯域幅部分(ｂａｎｄｗｉｄｔｈ ｐａｒｔ、ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を基地局から受信するように前記送受信機を制御し；前記サービングセルに係る進行中のランダムアクセス手続きが存在するか否かを識別し；進行中のランダムアクセス手続きがないことが識別される場合、前記ＰＤＣＣＨに基づいてＢＷＰスイッチングを行うように制御することができる。
【００６３】
本発明の多様な実施形態による進行中のランダムアクセス手続きがあることが識別される場合、前記ＢＷＰスイッチングは前記ＰＤＣＣＨに基づいて行われることができる。
【００６４】
本発明の多様な実施形態による前記ＢＷＰスイッチングが行われる場合、前記進行中のランダムアクセス手続きは中断されることができる。
【００６５】
本発明の多様な実施形態による進行中のランダムアクセス手続きがあることが識別される場合、ＢＷＰスイッチングのための前記ＰＤＣＣＨは無視されることができる。
【００６６】
本発明の多様な実施形態による無線通信システムの基地局は、送受信機と、及び前記送受信機に結合された少なくとも一つのプロセッサと、を含み、前記プロセッサは前記送受信機がサービングセルの活性(ａｃｔｉｖｅ)帯域幅部分(ｂａｎｄｗｉｄｔｈ ｐａｒｔ、ＢＷＰ)に係る情報を含む帯域幅部分(ＢＷＰ)構成情報を端末(ａ ｕｓｅｒ ｅｑｕｉｐｍｅｎｔ、ＵＥ)で送信し、前記サービングセルの帯域幅部分(ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信するように制御し、進行中のランダムアクセス手続きがないことが識別される場合、前記ＰＤＣＣＨに基づいてＢＷＰスイッチングが行われることができる。
【００６７】
本発明の多様な実施形態による進行中のランダムアクセス手続きがあることが識別される場合、前記ＢＷＰスイッチングは前記ＰＤＣＣＨに基づいて行われることができる。
【００６８】
本発明の多様な実施形態による進行中のランダムアクセス手続きがあることが識別される場合、ＢＷＰスイッチングのための前記ＰＤＣＣＨは無視されることができる。
【００６９】
本発明の多様な実施形態による端末(ａ ｕｓｅｒ ｅｑｕｉｐｍｅｎｔ、ＵＥ)の方法は、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を受信する段階と、ビーム障害インスタンスの数を識別する段階と、前記ビーム障害インスタンスの数が前記第２情報より大きいか同一であるか否かを識別する段階と、前記ビーム障害インスタンスの数が前記第２情報より大きいか同一であるということが識別される場合、前記ビーム障害復旧に係る前記タイマーを開始する段階と、ビーム障害復旧リクエストに対するランダムアクセス手続きを開始するための非競争(ｃｏｎｔｅｎｔｉｏｎ−ｆｒｅｅ)ランダムアクセスプリアンブルを送信する段階と、前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を受信する段階と、前記ランダムアクセス手続きが成功的に完了されたか否かを識別する段階と、及び前記ランダムアクセス手続きが成功的に完了されたことが識別される場合、前記タイマーを中止させる段階と、を含む方法を提供する。
【００７０】
本発明の多様な実施形態による前記第１情報及び前記第２情報は、上位階層シグナリングによって受信されることができる。
【００７１】
本発明の多様な実施形態による前記ビーム障害インスタンスの数は、前記ランダムアクセス手続きが成功的に完了されたことが識別される場合、０で設定されることができる。
【００７２】
本発明の多様な実施形態による前記ランダムアクセス手続きが成功的に完了されたことが識別される場合、前記ビーム障害復旧は完了されたことが識別されることができる。
【００７３】
本発明の多様な実施形態による基地局の方法は、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を端末(ａ ｕｓｅｒ ｅｑｕｉｐｍｅｎｔ、ＵＥ)で送信する段階と、ビーム障害復旧リクエストに対するランダムアクセス手続きを開始するための非競争(ｃｏｎｔｅｎｔｉｏｎ−ｆｒｅｅ)ランダムアクセスプリアンブルを前記端末から受信する段階と、及び前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信する段階と、を含み、前記タイマーは前記ビーム障害インスタンスの数が前記第２情報より大きいか同一であるということが識別される場合に開始され、前記ランダムアクセス手続きが成功的に完了されたことが識別される場合、中止されることを特徴とする方法を提供する。
【００７４】
本発明の多様な実施形態による前記第１情報及び前記第２情報は、上位階層シグナリングによって送信されることができる。
【００７５】
本発明の多様な実施形態による前記ビーム障害インスタンスの数は、前記ランダムアクセス手続きが成功的に完了されたことが識別される場合、０で設定されることができる。
【００７６】
本発明の多様な実施形態による前記ランダムアクセス手続きが成功的に完了されたことが識別される場合、前記ビーム障害復旧は完了されたことが識別されることができる。
【００７７】
本発明の多様な実施形態による無線通信システムで端末(ａ ｕｓｅｒ ｅｑｕｉｐｍｅｎｔ、ＵＥ)は、送受信機と、及び前記送受信機に結合された少なくとも一つのプロセッサと、を含み、前記プロセッサは、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を受信するように前記送受信機を制御し；ビーム障害インスタンスの数を識別し、前記ビーム障害インスタンスの数が前記第２情報より大きいか同一であるか否かを識別し、前記ビーム障害インスタンスの数が前記第２情報より大きいか同一であるということが識別される場合、前記ビーム障害復旧に係る前記タイマーを開始するように制御し、ビーム障害復旧リクエストに対するランダムアクセス手続きを開始するための非競争(ｃｏｎｔｅｎｔｉｏｎ−ｆｒｅｅ)ランダムアクセスプリアンブルを送信するように前記送受信機を制御して；前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を受信するように前記送受信機を制御して；前記ランダムアクセス手続きが成功的に完了されたか否かを識別し、前記ランダムアクセス手続きが成功的に完了されたことが識別される場合、前記タイマーを中止するように制御することができる。
【００７８】
本発明の多様な実施形態による前記第１情報及び前記第２情報は、上位階層シグナリングによって受信されることができる。
【００７９】
本発明の多様な実施形態による前記ビーム障害インスタンスの数は、前記ランダムアクセス手続きが成功的に完了されたことが識別される場合、０で設定されることができる。
【００８０】
本発明の多様な実施形態による前記ランダムアクセス手続きが成功的に完了されたことが識別される場合、前記ビーム障害復旧は完了されたことが識別されることができる。
【００８１】
本発明の多様な実施形態による無線通信システムの基地局は、送受信機と、及び前記送受信機に結合された少なくとも一つのプロセッサと、を含み、前記プロセッサは前記送受信機がビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を端末(ａ ｕｓｅｒ ｅｑｕｉｐｍｅｎｔ、ＵＥ)で送信し、ビーム障害復旧リクエストに対するランダムアクセス手続きを開始するための非競争(ｃｏｎｔｅｎｔｉｏｎ−ｆｒｅｅ)ランダムアクセスプリアンブルを前記端末から受信し、前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信するように制御し、前記タイマーは前記ビーム障害インスタンスの数が前記第２情報より大きいか同一であるということが識別される場合に開始され、前記ランダムアクセス手続きが成功的に完了されたことが識別される場合、中止されることができる。
【００８２】
本発明の多様な実施形態による前記ビーム障害インスタンスの数は、前記ランダムアクセス手続きが成功的に完了されたことが識別される場合、０で設定されることができる。
【００８３】
本発明の多様な実施形態による前記ランダムアクセス手続きが成功的に完了されたことが識別される場合、前記ビーム障害復旧は完了されたことが識別されることができる。
【００８４】
本開示の他の態様、長所及び顕著な特徴は添付された図面と関連して本開示の多様な実施形態を開示する以下の詳細な説明から当業者に明白である。
【発明の効果】
【００８５】
本発明の追加的な態様及び利点は、以下の説明から部分的に理解されて明確となるか、本発明の実施から十分に分かるだろう。
【００８６】
本開示のＢＷＰ設定、ＢＷＰ−ＩｎａｃｔｉｖｉｔｙＴｉｍｅｒのハンドリング、ランダムアクセス手続き又はビーム障害管理に係る制御動作のための方法及び装置に関する。
【図面の簡単な説明】
【００８７】
本開示内容の特定実施様態の前記及び他の側面、特徴及び利点は添付図面と共に考慮される以下の説明からより明らかになるだろう。
【００８８】
【図１】本発明の多様な実施形態によるランダムアクセス手続きに係る帯域幅部分非活性タイマーの動作を示された図面である。
【図２】本発明の多様な実施形態による端末が少なくとも一つ以上のサービングセルで設定されてランダムアクセス手続きが開始される時の帯域幅部分非活性タイマーを処理するための端末の動作を示された図面である。
【図３】本発明の多様な実施形態による端末が少なくとも一つ以上のサービングセルで設定されてランダムアクセス手続きが開始される時の帯域幅部分非活性タイマーを処理するための端末の動作を示された図面である。
【図４】本発明の多様な実施形態による端末が少なくとも一つ以上のサービングセルで設定されてランダムアクセス手続きが開始される時の帯域幅部分非活性タイマーを処理するための端末の動作を示された図面である。
【図５】本発明の多様な実施形態による端末が少なくとも一つ以上のサービングセルで設定されてランダムアクセス手続きが開始される時の帯域幅部分非活性タイマーを処理するための端末の動作を示された図面である。
【図６】本発明の多様な実施形態による端末が少なくとも一つ以上のサービングセルで設定されてランダムアクセス手続きが完了される時の帯域幅部分非活性タイマーを処理するための端末の動作を示された図面である。
【図７】本発明の多様な実施形態による端末が少なくとも一つ以上のサービングセルで設定されてランダムアクセス手続きが完了される時の帯域幅部分非活性タイマーを処理するための端末の動作を示された図面である。
【図８】本発明の多様な実施形態による端末が少なくとも一つ以上のサービングセルで設定されてランダムアクセス手続きが完了される時の帯域幅部分非活性タイマーを処理するための端末の動作を示された図面である。
【図９】本発明の多様な実施形態による端末が少なくとも一つ以上のサービングセルで設定されてランダムアクセス手続きが完了される時の帯域幅部分非活性タイマーを処理するための端末の動作を示された図面である。
【図１０】本発明の多様な実施形態によるダウンリンク割り当てを有する物理的ダウンリンク制御チャネル(ＰＤＣＣＨ)が活性ダウンリンク帯域幅部分上で受信される時の帯域幅部分非活性タイマーを処理するための端末の動作を示された図面である。
【図１１】本発明の多様な実施形態による帯域幅部分非活性タイマーを処理するための端末の動作を示された図面である。
【図１２】本発明の多様な実施形態によるビーム障害復旧応答ウィンドウの間の測定ギャップを処理するための端末の動作を示された図面である。
【図１３】本発明の多様な実施形態による端末装置を示された図面である。
【図１４】本発明の多様な実施形態による基地局装置を示された図面である。
【発明を実施するための形態】
【００８９】
本発明の態様は少なくとも前述した問題点及び／又は短所を解消して少なくとも以下で説明される利点を提供することである。
【００９０】
追加の態様は部分的には以下の説明で説明され、部分的には詳細な説明から明らかになり、又は提示された実施形態の実施形態によって習得されることができる。
【００９１】
本開示の一実施形態によれば、無線通信システムで端末の方法が提供される。前記方法は、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信する段階と、ランダムアクセス手続きが前記ＰＣｅｌｌ又は前記ＳＣｅｌｌ上で開始されることを識別する段階と、前記ランダムアクセス手続きが前記ＰＣｅｌｌ上で開始されることが識別される場合、前記第１タイマーが実行中であれば、前記第１タイマーを中止させる段階と、及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させる段階と、を含むことを特徴とする方法を提供する。
【００９２】
前記ＳＣｅｌｌ及び前記ＰＣｅｌｌは前記ランダムアクセス手続きに係ることができる。
【００９３】
前記ランダムアクセス手続きは前記ＰＣｅｌｌ又は前記ＳＣｅｌｌの活性アップリンク帯域幅部分(ａｃｔｉｖｅ ｕｐｌｉｎｋ ＢＷＰ)に基づいて行われることができる。
【００９４】
ランダムアクセス手続きは前記ＰＣｅｌｌの活性ダウンリンク帯域幅部分(ａｃｔｉｖｅ ｄｏｗｎｌｉｎｋ ＢＷＰ)に基づいて行われることができる。
【００９５】
本開示の一実施形態によれば、無線通信システムで基地局の方法が提供される。前記方法は、方法はプライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信する段階と、前記ＰＣｅｌｌ又は前記ＳＣｅｌｌ上でランダムアクセス手続きに係る第１メッセージを前記ＵＥから受信する段階と、及び前記ＰＣｅｌｌ上で前記ランダムアクセス手続きに係る第２メッセージを前記ＵＥに送信する段階と、を含み、前記ランダムアクセス手続きが前記ＰＣｅｌｌ上で開始されることが識別される場合、前記第１タイマーが実行中であれば、前記第１タイマーが中止され、前記ランダムアクセス手続きが前記ＳＣｅｌｌ上で開始されることが識別される場合、第１タイマー及び前記第２タイマーが実行中であれば、前記第１タイマー及び前記第２タイマーが中止されることを特徴とする方法を提供する。
【００９６】
前記ＳＣｅｌｌ及び前記ＰＣｅｌｌは前記ランダムアクセス手続きに係ることができる。
【００９７】
前記物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることができる。
【００９８】
前記ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることができる。
【００９９】
本開示の一実施様態によれば、無線通信システムで端末が提供される。前記端末は送受信機と、及び前記送受信機に結合された少なくとも一つのプロセッサと、を含み、前記プロセッサは、プライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信するように前記送受信機を制御して；ランダムアクセス手続きが前記ＰＣｅｌｌ又は前記ＳＣｅｌｌ上で開始されることを識別して；前記ランダムアクセス手続きが前記ＰＣｅｌｌ上で開始されることが識別される場合、前記第１タイマーが実行中であれば、前記第１タイマーを中止させて；及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させるように制御することができる。
【０１００】
前記ＳＣｅｌｌ及び前記ＰＣｅｌｌは前記ランダムアクセス手続きに係ることができる。
【０１０１】
前記ランダムアクセス手続きは前記ＰＣｅｌｌ又は前記ＳＣｅｌｌの能動アップリンク(ＵＬ)帯域幅部分(ＢＷＰ)に基づいて行われることができる。
【０１０２】
前記ランダムアクセス手続きは前記ＰＣｅｌｌの活性ダウンリンク(ＤＬ)帯域幅部分(ＢＷＰ)に基づいて行われることができる。
【０１０３】
本開示の一実施形態によれば、無線通信システムで基地局が提供される。前記基地局は、送受信機と、及び前記送受信機に結合された少なくとも一つのプロセッサと、を含み、前記プロセッサは前記送受信機がプライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信し、前記ＰＣｅｌｌ又は前記ＳＣｅｌｌ上でランダムアクセス手続きに係る第１メッセージを前記ＵＥから受信して；前記ＰＣｅｌｌ上で前記ランダムアクセス手続きに係る第２メッセージを前記ＵＥに送信するように制御し、前記ランダムアクセス手続きが前記ＰＣｅｌｌ上で開始されることが識別される場合、前記第１タイマーが実行中であれば、前記第１タイマーが中止され、前記ランダムアクセス手続きが前記ＳＣｅｌｌ上で開始されることが識別される場合、第１タイマー及び前記第２タイマーが実行中であれば、前記第１タイマー及び前記第２タイマーが中止されることができる。
【０１０４】
物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることができる。
【０１０５】
前記ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることができる。
【０１０６】
本開示の一実施形態によれば、無線通信システムで端末の方法が提供される。前記方法は、帯域幅部分非活性(ｂａｎｄｗｉｄｔｈ ｐａｒｔ ｉｎａｃｔｉｖｉｔｙ)に係るタイマーの第１情報を基地局から受信する段階と、サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信する段階と、前記サービングセルに係る進行中のランダムアクセス手続きが存在するか否かを識別する段階と、及び前記サービングセルに係る進行中のランダムアクセス手続きがないことが識別される場合、前記タイマーを開始又は再開始する段階と、を含むことを特徴とする方法を提供する。
【０１０７】
前記活性ＢＷＰはデフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【０１０８】
前記ＰＤＣＣＨはダウンリンク割り当て又はアップリンクグラントを示すことができる。
【０１０９】
前記ＰＤＣＣＨは前記活性ＢＷＰを介して受信されたり前記活性ＢＷＰのために受信されることができる。
【０１１０】
本開示の一実施形態によれば、無線通信システムで基地局の方法が提供される。前記方法は、帯域幅部分非活性(ｂａｎｄｗｉｄｔｈ ｐａｒｔ ｉｎａｃｔｉｖｉｔｙ)に係るタイマーの第１情報を端末(ａ ｕｓｅｒ ｅｑｕｉｐｍｅｎｔ、ＵＥ)で送信する段階と、及びサービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記ＵＥに送信する段階と、前記タイマーは前記サービングセルに係る進行中のランダムアクセス手続きがないことが識別される場合、開始又は再開始されることを特徴とする方法を提供する。
【０１１１】
前記活性ＢＷＰはデフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【０１１２】
前記ＰＤＣＣＨはダウンリンク割り当て又はアップリンクグラントを示すことができる。
【０１１３】
前記ＰＤＣＣＨは前記活性ＢＷＰを介して送信されたり前記活性ＢＷＰのために送信されることができる。
【０１１４】
本開示の一実施形態によれば、無線通信システムで端末が提供される。前記端末は送受信機と、及び前記送受信機に結合された少なくとも一つのプロセッサと、を含み、前記プロセッサは、帯域幅部分非活性(ｂａｎｄｗｉｄｔｈ ｐａｒｔ ｉｎａｃｔｉｖｉｔｙ)に係るタイマーの第１情報を基地局から受信するように前記送受信機を制御して；サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信するように前記送受信機を制御して；サービングセルに係る進行中のランダムアクセス手続きが存在するか否かを識別して；前記サービングセルに係る進行中の任意接近手続きがないことが識別される場合、前記タイマーを開始又は再開始するように制御することができる。
【０１１５】
前記活性ＢＷＰはデフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【０１１６】
前記ＰＤＣＣＨはダウンリンク割り当て又はアップリンクグラントを示すことができる。
【０１１７】
前記ＰＤＣＣＨは前記活性ＢＷＰを介して受信されたり前記活性ＢＷＰのために受信されることができる。
【０１１８】
本開示の一実施形態によれば、無線通信システムで端末の基地局が提供される。前記基地局は、送受信機と、及び前記送受信機に結合された少なくとも一つのプロセッサと、を含み、前記プロセッサは、帯域幅部分非活性(ｂａｎｄｗｉｄｔｈ ｐａｒｔ ｉｎａｃｔｉｖｉｔｙ)に係るタイマーの第１情報を端末(ａ ｕｓｅｒ ｅｑｕｉｐｍｅｎｔ、ＵＥ)で送信するように前記送受信機を制御して；サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記ＵＥに送信するように前記送受信機を制御し、前記タイマーは前記サービングセルに係る進行中のランダムアクセス手続きがないことが識別される場合、開始又は再開始されることができる。
【０１１９】
前記ＰＤＣＣＨはダウンリンク割り当て又はアップリンクグラントを示すことができる。
【０１２０】
前記ＰＤＣＣＨは前記活性ＢＷＰを介して送信されたり前記活性ＢＷＰのために送信されることができる。
【０１２１】
本開示の一実施形態によれば、無線通信システムで端末の方法が提供される。前記方法は、ランダムアクセス手続きを開始するためのランダムアクセスプリアンブルを基地局に送信する段階と、前記基地局からランダムアクセス応答を受信する段階と、システム情報(ｓｙｓｔｅｍ ｉｎｆｏｒｍａｔｉｏｎ、ＳＩ)をリクエストするための第１メッセージを前記基地局に送信する段階と、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信する段階と、競争解消(ｃｏｎｔｅｎｔｉｏｎ ｒｅｓｏｌｕｔｉｏｎ)が成功的であるか否かを識別する段階と、ランダムアクセス手続きが前記ＳＩリクエストのために開始されるか否かを識別する段階と、及び前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)の受信を上位階層(ｕｐｐｅｒ ｌａｙｅｒ)に指示する段階と、を含む方法。
【０１２２】
前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【０１２３】
前記ランダムアクセス手続きは競争基盤ランダムアクセスに係ることができる。
【０１２４】
ＭＡＣ ＰＤＵで受信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで送信されたＣＣＣＨ ＳＤＵとマッチされる場合、前記競争解消が成功的に識別されることができる。
【０１２５】
本開示の一実施形態によれば、無線通信システムで基地局の方法が提供される。前記方法は、ランダムアクセス手続きを開始するためのランダムアクセスプリアンブルを端末(ａ ｕｓｅｒ ｅｑｕｉｐｍｅｎｔ、ＵＥ)から受信する段階と、ランダムアクセス応答を前記端末で送信する段階と、システム情報(ｓｙｓｔｅｍ ｉｎｆｏｒｍａｔｉｏｎ、ＳＩ)をリクエストするための第１メッセージを前記端末から受信する段階と、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信する段階と、及び前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)を前記端末で送信する段階と、を含む方法を提供する。
【０１２６】
前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【０１２７】
前記ランダムアクセス手続きは競争基盤ランダムアクセスに係ることができる。
【０１２８】
ＭＡＣ ＰＤＵで送信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで受信されたＣＣＣＨ ＳＤＵとマッチされる場合、前記競争解消が成功的に識別されることができる。
【０１２９】
本開示の一実施形態によれば、無線通信システムで端末が提供される。前記端末は、送受信機と、及び前記送受信機に結合された少なくとも一つのプロセッサと、を含み、前記プロセッサはランダムアクセス手続きを開始するためのランダムアクセスプリアンブルを基地局に送信し、前記基地局からランダムアクセス応答を受信し、システム情報(ｓｙｓｔｅｍ ｉｎｆｏｒｍａｔｉｏｎ、ＳＩ)をリクエストするための第１メッセージを前記基地局に送信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信するように前記送受信機を制御し、競争解消(ｃｏｎｔｅｎｔｉｏｎ ｒｅｓｏｌｕｔｉｏｎ)が成功的であるか否かを識別して；ランダムアクセス手続きが前記ＳＩリクエストのために開始されるか否かを識別し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)の受信を上位階層(ｕｐｐｅｒ ｌａｙｅｒ)に指示するように制御することができる。
【０１３０】
前記プロセッサは前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)を前記臨時Ｃ−ＲＮＴＩの値で設定するように制御することができる。
【０１３１】
前記ランダムアクセス手続きは競争基盤ランダムアクセスに係ることができる。
【０１３２】
ＭＡＣ ＰＤＵで受信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで送信されたＣＣＣＨ ＳＤＵとマッチされる場合、前記競争解消が成功的に識別されることができる。
【０１３３】
本開示の一実施形態によれば、無線通信システムで基地局が提供される。前記基地局は、送受信機と、及び前記送受信機に結合された少なくとも一つのプロセッサと、を含み、前記プロセッサは前記送受信機がランダムアクセス手続きを開始するためのランダムアクセスプリアンブルを端末(ａ ｕｓｅｒ ｅｑｕｉｐｍｅｎｔ、ＵＥ)から受信し、ランダムアクセス応答を前記端末で送信し、システム情報(ｓｙｓｔｅｍ ｉｎｆｏｒｍａｔｉｏｎ、ＳＩ)をリクエストするための第１メッセージを前記端末から受信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)を前記端末で送信するように制御することができる。
【０１３４】
前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【０１３５】
ＭＡＣ ＰＤＵで送信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで受信されたＣＣＣＨ ＳＤＵとマッチされる場合、前記競争解消が成功的に識別されることができる。
【０１３６】
本開示の一実施形態によれば、無線通信システムで端末の方法が提供される。前記方法は、サービングセルの帯域幅部分(ｂａｎｄｗｉｄｔｈ ｐａｒｔ、ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を基地局から受信する段階と、前記サービングセルに係る進行中のランダムアクセス手続きが存在するか否かを識別する段階と、及び進行中のランダムアクセス手続きがないことが識別される場合、前記ＰＤＣＣＨに基づいてＢＷＰスイッチングを行う段階と、を含む方法を提供する。
【０１３７】
進行中のランダムアクセス手続きがあることが識別される場合、前記ＢＷＰスイッチングは前記ＰＤＣＣＨに基づいて行われることができる。
【０１３８】
前記ＢＷＰスイッチングが行われる場合、前記進行中のランダムアクセス手続きは中断されることができる。
【０１３９】
進行中のランダムアクセス手続きがあることが識別される場合、ＢＷＰスイッチングのための前記ＰＤＣＣＨは無視されることができる。
【０１４０】
本開示の一実施形態によれば、無線通信システムで基地局の方法が提供される。前記方法は、基地局の方法は、サービングセルの活性(ａｃｔｉｖｅ)帯域幅部分(ｂａｎｄｗｉｄｔｈ ｐａｒｔ、ＢＷＰ)に係る情報を含む帯域幅部分(ＢＷＰ)構成情報を端末(ａ ｕｓｅｒ ｅｑｕｉｐｍｅｎｔ、ＵＥ)で送信する段階と、及び前記サービングセルの帯域幅部分(ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信する段階と、を含み、進行中のランダムアクセス手続きがないことが識別される場合、前記ＰＤＣＣＨに基づいてＢＷＰスイッチングが行われることができる。
【０１４１】
進行中のランダムアクセス手続きがあることが識別される場合、前記ＢＷＰスイッチングは前記ＰＤＣＣＨに基づいて行われることができる。
【０１４２】
前記ＢＷＰスイッチングが行われる場合、前記進行中のランダムアクセス手続きは中断されることができる。
【０１４３】
進行中のランダムアクセス手続きがあることが識別される場合、ＢＷＰスイッチングのための前記ＰＤＣＣＨは無視されることができる。
【０１４４】
本開示の一実施形態によれば、無線通信システムで端末が提供される。前記端末は、送受信機と、及び前記送受信機に結合された少なくとも一つのプロセッサと、を含み、前記プロセッサは、サービングセルの帯域幅部分(ｂａｎｄｗｉｄｔｈ ｐａｒｔ、ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を基地局から受信するように前記送受信機を制御して；前記サービングセルに係る進行中のランダムアクセス手続きが存在するか否かを識別して；進行中のランダムアクセス手続きがないことが識別される場合、前記ＰＤＣＣＨに基づいてＢＷＰスイッチングを行うように制御することができる。
【０１４５】
進行中のランダムアクセス手続きがあることが識別される場合、前記ＢＷＰスイッチングは前記ＰＤＣＣＨに基づいて行われることができる。
【０１４６】
前記ＢＷＰスイッチングが行われる場合、前記進行中のランダムアクセス手続きは中断されることができる。
【０１４７】
進行中のランダムアクセス手続きがあることが識別される場合、ＢＷＰスイッチングのための前記ＰＤＣＣＨは無視されることができる。
【０１４８】
本開示の一実施形態によれば、無線通信システムで基地局が提供される。前記基地局は、送受信機と、及び前記送受信機に結合された少なくとも一つのプロセッサと、を含み、前記プロセッサは前記送受信機がサービングセルの活性(ａｃｔｉｖｅ)帯域幅部分(ｂａｎｄｗｉｄｔｈ ｐａｒｔ、ＢＷＰ)に係る情報を含む帯域幅部分(ＢＷＰ)構成情報を端末(ａ ｕｓｅｒ ｅｑｕｉｐｍｅｎｔ、ＵＥ)で送信し、前記サービングセルの帯域幅部分(ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信するように制御し、進行中のランダムアクセス手続きがないことが識別される場合、前記ＰＤＣＣＨに基づいてＢＷＰスイッチングが行われることができる。
【０１４９】
進行中のランダムアクセス手続きがあることが識別される場合、前記ＢＷＰスイッチングは前記ＰＤＣＣＨに基づいて行われることができる。
【０１５０】
進行中のランダムアクセス手続きがあることが識別される場合、ＢＷＰスイッチングのための前記ＰＤＣＣＨは無視されることができる。
【０１５１】
本開示の一実施形態によれば、無線通信システムで端末の方法が提供される。前記方法は、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を受信する段階と、ビーム障害インスタンスの数を識別する段階と、前記ビーム障害インスタンスの数が前記第２情報より大きいか同一であるか否かを識別する段階と、前記ビーム障害インスタンスの数が前記第２情報より大きいか同一であるということが識別される場合、前記ビーム障害復旧に係る前記タイマーを開始する段階と、ビーム障害復旧リクエストに対するランダムアクセス手続きを開始するための非競争(ｃｏｎｔｅｎｔｉｏｎ−ｆｒｅｅ)ランダムアクセスプリアンブルを送信する段階と、前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を受信する段階と、前記ランダムアクセス手続きが成功的に完了されたか否かを識別する段階と、及び前記ランダムアクセス手続きが成功的に完了されたことが識別される場合、前記タイマーを中止させる段階と、を含む方法を提供する。
【０１５２】
前記第１情報及び前記第２情報は、上位階層シグナリングによって受信されることができる。
【０１５３】
前記ビーム障害インスタンスの数は前記ランダムアクセス手続きが成功的に完了されたことが識別される場合、０で設定されることができる。
【０１５４】
前記ランダムアクセス手続きが成功的に完了されたことが識別される場合、前記ビーム障害復旧は完了されたことが識別されることができる。
【０１５５】
本開示の一実施形態によれば、無線通信システムで基地局の方法が提供される。前記方法は、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を端末(ａ ｕｓｅｒ ｅｑｕｉｐｍｅｎｔ、ＵＥ)で送信する段階と、ビーム障害復旧リクエストに対するランダムアクセス手続きを開始するための非競争(ｃｏｎｔｅｎｔｉｏｎ−ｆｒｅｅ)ランダムアクセスプリアンブルを前記端末から受信する段階と、及び前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信する段階と、を含み、前記タイマーは前記ビーム障害インスタンスの数が前記第２情報より大きいか同一であるということが識別される場合に開始され、前記ランダムアクセス手続きが成功的に完了されたことが識別される場合、中止されることを特徴とする方法を提供する。
【０１５６】
前記第１情報及び前記第２情報は、上位階層シグナリングによって送信されることができる。
【０１５７】
前記ビーム障害インスタンスの数は前記ランダムアクセス手続きが成功的に完了されたことが識別される場合、０で設定されることができる。
【０１５８】
前記ランダムアクセス手続きが成功的に完了されたことが識別される場合、前記ビーム障害復旧は完了されたことが識別されることができる。
【０１５９】
本開示の一実施形態によれば、無線通信システムで端末が提供される。前記端末は、送受信機と、及び前記送受信機に結合された少なくとも一つのプロセッサと、を含み、前記プロセッサは、ビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を受信するように前記送受信機を制御して；ビーム障害インスタンスの数を識別し、前記ビーム障害インスタンスの数が前記第２情報より大きいか同一であるか否かを識別し、前記ビーム障害インスタンスの数が前記第２情報より大きいか同一であるということが識別される場合、前記ビーム障害復旧に係る前記タイマーを開始するように制御し、ビーム障害復旧リクエストに対するランダムアクセス手続きを開始するための非競争(ｃｏｎｔｅｎｔｉｏｎ−ｆｒｅｅ)ランダムアクセスプリアンブルを送信するように前記送受信機を制御して；前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を受信するように前記送受信機を制御して；前記ランダムアクセス手続きが成功的に完了したか否かを識別し、前記ランダムアクセス手続きが成功的に完了されたことが識別される場合、前記タイマーを中止するように制御することができる。
【０１６０】
前記第１情報及び前記第２情報は、上位階層シグナリングによって受信されることができる。
【０１６１】
前記ビーム障害インスタンスの数は前記ランダムアクセス手続きが成功的に完了されたことが識別される場合、０で設定されることができる。
【０１６２】
前記ランダムアクセス手続きが成功的に完了されたことが識別される場合、前記ビーム障害復旧は完了されたことが識別されることができる。
【０１６３】
本開示の一実施形態によれば、無線通信システムで基地局が提供される。前記基地局は、送受信機と、及び前記送受信機に結合された少なくとも一つのプロセッサと、を含み、前記プロセッサは前記送受信機がビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を端末(ａ ｕｓｅｒ ｅｑｕｉｐｍｅｎｔ、ＵＥ)で送信し、ビーム障害復旧リクエストに対するランダムアクセス手続きを開始するための非競争(ｃｏｎｔｅｎｔｉｏｎ−ｆｒｅｅ)ランダムアクセスプリアンブルを前記端末から受信し、前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信するように制御し、前記タイマーは前記ビーム障害インスタンスの数が前記第２情報より大きいか同一であるということが識別される場合に開始され、前記ランダムアクセス手続きが成功的に完了されたことが識別される場合、中止されることができる。
【０１６４】
前記ビーム障害インスタンスの数は前記ランダムアクセス手続きが成功的に完了されたことが識別される場合、０で設定されることができる。
【０１６５】
前記ランダムアクセス手続きが成功的に完了されたことが識別される場合、前記ビーム障害復旧は完了されたことが識別されることができる。
【０１６６】
本開示の他の態様、長所及び顕著な特徴は添付された図面と関連して本開示の多様な実施形態を開示する以下の詳細な説明から当業者に明らかになるだろう。
【０１６７】
添付された図面を参照した以下の説明は請求範囲及びその均等物によって定義されたような開示の多様な実施形態の包括的な理解を助けるために提供される。その理解を助けるための多様な特定詳細事項を含むが、これらはただ例示的なことで見なされなければならない。したがって、本技術分野の当業者は本願に記載された多様な実施形態の多様な変更及び修正が本開示の範囲及び思想を逸脱せず成ることができることを認識するだろう。また、公知された機能及び構造に対する説明は明確性及び簡潔性のために省略された。
【０１６８】
以下の説明及び請求範囲で用いられた用語及び単語は書誌上の意味に限定されず、発明の明確かつ一貫された理解を可能にするように発明者によってだけ用いられる。したがって、本開示の多様な実施形態に対する次の説明はただ例示のためのことで、添付された請求範囲及びこの均等物によって定義されたように開示を制限するための目的ではないということが当業者に明白であるだろう。
【０１６９】
単数形態“ａ”、“ａｎ”及び“ｔｈｅ”は文脈が明白に異なるように指示しない限り複数対象を含むということが理解されなければならない。したがって、例えば、“構成要素表面”に対する言及はこのような一つ以上の表面に対する参照を含む。
【０１７０】
各図面で、同一又は類似の構成要素は同一な図面符号で表示されることができる。
【０１７１】
フローチャートの各ブロック及びフローチャートの組み合せは、コンピュータープログラム命令によって行われることができる。これらコンピュータープログラムインストラクションは汎用コンピューター、特殊コンピューター又は他のプログラム可能なデータ処理装置のためのプロセッサに装着されることができるから、コンピューター又は他のプログラム可能なデータ処理装置のためにプロセッサによって実行されるこれら命令はフローチャートのブロックに記述された機能を行う手段を生成する。これらコンピュータープログラム命令語は特定方式で機能を具現するためにコンピューター又は他のプログラム可能なデータ処理装置のコンピューター使用可能又はコンピューター判読可能メモリーに記憶されることができるから、コンピューター使用可能又はコンピューター判読可能メモリーに記憶されたコンピュータープログラム命令もフローチャートのブロックに説明された機能を行う命令手段を含む製造物品を生産することができる。コンピュータープログラムインストラクションはコンピューター又は他のプログラム可能なデータ処理装置上に装着されることもできるから、コンピューター又は他のプログラム可能なデータ処理装置に対する一連の動作段階を行ってコンピューターによって実行されるプロセスを生成することによってコンピューターを実行することができる。プログラム可能なデータ処理装置はさらにフローチャートのブロックで説明された機能を行うための段階を提供することができる。
【０１７２】
さらに、それぞれのブロックは一つ以上の論理機能を具現する一つ以上の実行可能な命令語を含むモジュール、セグメント又はコードに示すことができる。なお、ブロックによって言及された機能はいくつかの代案的な実施形態でシーケンスと関係無しに発生する。例えば、連続的に示された２個のブロックは事実上に同時に行われることができるか時には対応する機能によって逆順に行われることができる。
【０１７３】
本明細書で、“ユニット”という用語は、ＦＰＧＡ(ｆｉｅｌｄ−ｐｒｏｇｒａｍｍａｂｌｅ ｇａｔｅ ａｒｒａｙ)及び／又はＡＳＩＣ(ａｐｐｌｉｃａｔｉｏｎ−ｓｐｅｃｉｆｉｃ ｉｎｔｅｇｒａｔｅｄ ｃｉｒｃｕｉｔ)のようなソフトウェア及び／又はハードウェアコンポネントを含むことができる。しかし、“単位”の意味はソフトウェア及び／又はハードウェアにだけ限らない。例えば、ユニットはアドレッシングされることができる記憶媒体にあるように構成されることができるし一つ以上のプロセッサを再生するように構成されることもできる。したがって、“ユニット”はソフトウェア構成要素、客体志向ソフトウェア構成要素、クラス構成要素、タスク構成要素、プロセッサ、機能、属性、手続き、サブルーチン、プログラムコードのセグメント、ドライバー、ファームウエア、マイクロコード、回路、データベース、データ構造、テーブル、配列及び変数を含む。
【０１７４】
構成要素及び“ユニット”に提供された機能はより小さい個数の構成要素及び／又は“ユニット”と結合されることができるか追加の構成要素及び／又は“ユニット”でより分離することができる。
【０１７５】
また、構成要素及びユニットは、さらに装置又は保安マルチメディアカード内の一つ以上のＣＰＵを再生するように具現されることができる。
【０１７６】
本明細書に用いられた用語は特定実施形態を説明するために提供されて他の実施形態の範囲を制限しない。単数形態は文脈に明白に異なるように指示しない限り複数形態を含むということを理解しなければならない。異なるように定義されない限り、以下の説明及び請求範囲で用いられた技術的又は科学的用語を含む用語及び単語は当業者が一般的に理解することと同じ意味を有することができる。一般的に辞書で定義された用語は関連技術の文脈上の意味と同じであるか類似の意味を有することで解釈されることができる。異なるように定義されない限り、この用語は理想的に又は過度に公式的な意味に解釈されてはいけない。必要であれば、本明細書で定義された用語までも本発明の実施形態を排除することに解釈されないこともある。
【０１７７】
ここで、基地局は端末機にリソース割り当てを行う。基地局は例えば、ｅＮｏｄｅ Ｂ、ノードＢ、無線アクセスユニット、基地局制御機、ネットワーク上のノードなどがある。端末は例えば、ユーザ装備(ＵＥ)、移動局(ＭＳ)、携帯電話、スマートフォン、コンピューター、通信機能を行うマルチメディアシステムなどがある。
【０１７８】
ここで、ダウンリンク(ＤＬ)は基地局からＵＥへの信号の無線送信経路であり、アップリンク(ＵＬ)はＵＥから基地局への信号の無線送信経路である。
【０１７９】
本発明の実施形態は類似の技術的背景又はチャネル形態を有する他の通信システムに適用されることができる。
【０１８０】
最近、何年の間、ますますより多い広帯域加入者を満たし、より多く良いアプリケーションとサービスを提供するために何種類広帯域無線技術が開発された。２世代無線通信システムはユーザの移動性を保障しながら音声サービスを提供するために開発された。３世代無線通信システムは音声サービスだけではなくデータサービスもサポートする。最近に、第４無線通信システムは高速データサービスを提供するために開発された。しかし、現在、４世代無線通信システムは高速データサービスに対する増加する需要を満たすための資源の不足に苦しんでいる。したがって、５世代無線通信システムは高速データサービスに対する増加する需要を満たし、超信頼性及び低い待機時間(ｌａｔｅｎｃｙ)のアプリケーションをサポートするために開発されている。
【０１８１】
５世代無線通信システムはより低い周波数帯域だけはなくより高いデータ速度を達成するためにより高い周波数(ｍｍＷａｖｅ)帯域、例えば、１０ＧＨｚ乃至１００ＧＨｚ帯域で具現されるだろう。無線派(ｒａｄｉｏ ｗａｖｅ)の電波損失を減らし、送信距離をふやすため、ビームフォーミング(ｂｅａｍｆｏｒｍｉｎｇ)、大量(ｍａｓｓｉｖｅ)ＭＩＭＯ(Ｍｕｌｔｉｐｌｅ−Ｉｎｐｕｔ Ｍｕｌｔｉｐｌｅ−Ｏｕｔｐｕｔ)、ＦＤ−ＭＩＭＯ(Ｆｕｌｌ Ｄｉｍｅｎｓｉｏｎａｌ ＭＩＭＯ)、アレイアンテナ、アナログビームフォーミング、大規模アンテナ技術は５世代無線通信システムの設計で考慮される。さらに、５世代無線通信システムはデータ速度、待機時間、信頼性、移動性などに関して非常に相違する要求事項を有する異なる使用ケースを扱うことで予想される。しかし、５世代無線通信システムの無線インターフェースの設計は使用ケース及び最終顧客に対するＵＥケーター(ｃａｔｅｒ)サービスの市場セグメント(ｍａｒｋｅｔ ｓｅｇｍｅｎｔ)によって非常に異なる能力を有するＵＥをサービスするのに充分に柔軟なことと予想される。５世代無線通信システムが扱うことで予想されるいくつかの例示的な使用ケースはｅＭＢＢ(ｅｎｈａｎｃｅｄ Ｍｏｂｉｌｅ Ｂｒｏａｄｂａｎｄ)、ｍ−ＭＴＣ(ｍａｓｓｉｖｅ Ｍａｃｈｉｎｅ Ｔｙｐｅ Ｃｏｍｍｕｎｉｃａｔｉｏｎ)、ＵＲＬＬ(ｕｌｔｒａ−ｒｅｌｉａｂｌｅ ｌｏｗ ｌａｔｅｎｃｙ)通信などである。数十Ｇｂｐｓデータ速度、低い待機時間、高い移動性などのようなｅＭＢＢ要求事項は数十億個のデバイスの接続を構想するＩｏＴ(Ｉｎｔｅｒｎｅｔ ｏｆ Ｔｈｉｎｇｓ)／ＩｏＥ(Ｉｎｔｅｒｎｅｔ ｏｆ Ｅｖｅｒｙｔｈｉｎｇ)を市場セグメントを扱う。非常に低い待機時間、非常に高い信頼性及び可変移動性などのようなＵＲＬＬ要求事項は自律車のためのイネーブラ(ｅｎａｂｌｅｒ)のうちの一つとして予測される産業自動化アプリケーション、車対車／車対インフラ通信を示す市場セグメントを扱う。
【０１８２】
第５世代無線通信システム(次世代ラジオ又はＮＲともする)はスタンドアローンモード及び二重接続(ｄｕａｌ ｃｏｎｎｅｃｔｉｖｉｔｙ、ＤＣ)のような動作をサポートする。ＤＣで、多重Ｒｘ／Ｔｘ端末は雨理想的なバックホールを(ｂａｃｋｈａｕｌ)を介して接続された２つの異なるノード(又はＮＢ)によって提供されたリソースを用いるように構成されることができる。一方のノードはマスターノード(ＭＮ)で作動して他方のノードは補助ノード(ＳＮ)で作動する。ＭＮとＳＮはネットワークインターフェースを介して接続され、少なくともＭＮはコアネットワークに接続される。ＮＲはＲＲＣ_ＣＯＮＮＥＣＴＥＤの端末が非理想的なバックホールを介して接続された２つの互いに異なるノードに位置し、２つの他のスケジューラによって提供される無線リソースを用いるように構成され、Ｅ−ＵＴＲＡ(ノードがｎｇ−ｅＮＢである場合)又はＮＲアクセス(すなわち、ノードがｇＮＢである場合)を提供する多重ＲＡＴ二重接続(ＭＲ−ＤＣ)をサポートする。
【０１８３】
ＮＲでＣＡ／ＤＣから構成されないＲＲＣ_ＣＯＮＮＥＣＴＥＤ内の端末の場合、プライマリセル(ｐｒｉｍａｒｙ ｃｅｌｌ、ＰＣｅｌｌ)を含むただ一つのサービングセルが存在する。ＣＡ／ＤＣから構成されたＲＲＣ_ＣＯＮＮＥＣＴＥＤの端末の場合、‘サービングセル’と言う用語はスペシャルセル(Ｓｐｅｃｉａｌ Ｃｅｌｌｓ)及びすべてのセカンダリセル(ｓｅｃｏｎｄａｒｙ ｃｅｌｌ、ＳＣｅｌｌ)らを含むセルセットを示すために用いられる。
【０１８４】
ＮＲで、マスターセルグループ(ＭＣＧ)という用語はＰＣｅｌｌ及び選択的に一つ以上のＳＣｅｌｌを含む、マスターノードに係るサービングセルのグループを指称する。ＮＲで、セカンダリセルグループ(ｓｅｃｏｎｄａｒｙ ｃｅｌｌ Ｇｒｏｕｐ；ＳＣＧ)という用語はＰＳＣｅｌｌ及び選択的に一つ以上のＳＣｅｌｌを含むセカンダリノードに係るサービングセルグループを指称する。ＮＲでＰＣｅｌｌ(プライマリセル、主セル)はＵＥが初期接続設定手続き(ｉｎｉｔｉａｌ ｃｏｎｎｅｃｔｉｏｎ ｅｓｔａｂｌｉｓｈｍｅｎｔ ｐｒｏｃｅｄｕｒｅ)を行うか接続再設定手続き(ｃｏｎｎｅｃｔｉｏｎ ｒｅ−ｅｓｔａｂｌｉｓｈｍｅｎｔ ｐｒｏｃｅｄｕｒｅ)を開始するプライマリ周波数(ｐｒｉｍａｒｙ ｆｒｅｑｕｅｎｃｙ)で作動するＭＣＧのサービングセルを指称する。ＣＡから構成された端末に対するＮＲで、ＳＣｅｌｌはスペシャルセルの上部に付加的な無線資源を提供するセルである。プライマリＳＣＧセル(ＰＳＣｅｌｌ)は端末が同期再構成手続き(Ｒｅｃｏｎｆｉｇｕｒａｔｉｏｎ ｗｉｔｈ Ｓｙｎｃ ｐｒｏｃｅｄｕｒｅ)を行う時のランダムアクセスを行うＳＣＧ内のサービングセルを指称する。二重接続動作の場合、ＳｐＣｅｌｌ(すなわち、スペシャルセル、特殊セル)という用語はＭＣＧの ＰＣｅｌｌ又はＳＣＧのＰＳＣｅｌｌを示し、そうではなければスペシャルセルという用語はＰＣｅｌｌを意味する。
【０１８５】
ＮＲでは帯域幅適応(ｂａｎｄｗｉｄｔｈ ａｄａｐｔａｔｉｏｎ、ＢＡ)がサポートされる。ＢＡを例えば、ＵＥの受信及び送信帯域幅はセルの帯域幅ほど大きい必要はなく調整されることができる：(例えば、電力を節約するために活動が少ない期間の間の縮小されるように)変更されることができる幅を注文することができる。位置は(例えば、スケジューリング柔軟性を増加させるため)周波数ドメインで移動することができる；サブキャリア間隔は(例えば、相違するサービスを許容するため)変更するために命令されることができる。セルの総セル帯域幅のサブセットはＢＷＰ(Ｂａｎｄｗｉｄｔｈ Ｐａｒｔ)と言い、ＢＡはＵＥをＢＷＰ(ｓ)から構成してＵＥに現在構成されたＢＷＰのうちの現在活性状態であることを知らせることによって行われる。
【０１８６】
ＢＡが構成される時、ＵＥは一つの活性ＢＷＰに対するＰＤＣＣＨをモニタリングすれば良く、すなわち、サービングセルの全体ＤＬ周波数に対してＰＤＣＣＨをモニタリングする必要がない。ＢＡが設定される時、ＵＥだけが一つの活性ＢＷＰ上でＰＤＣＣＨをモニタリングしなければならなく、すなわち、サービングセルの全体ＤＬ周波数上でＰＤＣＣＨをモニタリングする必要がない。サービングセルは一つ以上のＢＷＰに設定されることができ、サービングセルの場合、任意の時点でいつも一つの活性ＢＷＰが存在する。サービングセルのためのＢＷＰ転換(ｓｗｉｔｃｈｉｎｇ)は非活性ＢＷＰを活性化し、活性ＢＷＰを一回に非活性化するのに用いられる。ＢＷＰ転換(ｓｗｉｔｃｈｉｎｇ)はダウンリンク割り当て又はアップリンク承認(ｇｒａｎｔ)を示す物理的ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)又は無線資源制御(ｒａｄｉｏ ｒｅｓｏｕｒｃｅ ｃｏｎｔｒｏｌ、ＲＲＣ)シグナリングによって制御される。付加的に、ＢＷＰ非活性タイマーは活性ＤＬ ＢＷＰをサービングセルのデフォルトＤＬ ＢＷＰ又は初期ＤＬ ＢＷＰで転換するのに用いられる。サービングセルの設定されたＢＷＰのうちの一つはデフォルトＤＬ ＢＷＰであれば良く、ｇＮＢから受信されたＢＷＰ設定で示される。初期ＤＬ ＢＷＰはさらに(システム情報又は専用シグナリングのうちの一つで)シグナリングされる。サービングセルの設定されたＢＷＰのうちの一つは初期活性ＤＬ ＢＷＰ(ｆｉｒｓｔ ａｃｔｉｖｅ ＤＬ ＢＷＰ)であれば良く、ｇＮＢから受信されたＢＷＰ設定で示される。ＢＷＰ非活性タイマーはｇＮＢから受信されたそれぞれのサービングセルのＢＷＰ設定で設定されることができるか設定されないこともあるということが注目されなければならない。  設定された場合、ＢＷＰ非活性タイマーはそれぞれのサービングセルに対して独立的にシグナリングされる。サービングセルがないか多数のサービングセルはＢＷＰ非活性タイマーに設定されることができる。
【０１８７】
５世代無線通信システムで、ＵＥはＵＬタイミング整列、リクエストするＵＬ承認又はリクエストするオンディマンド(ｏｎ ｄｅｍａｎｄ)ＳＩなどのような多様な理由でランダムアクセス手続きを行うことができる。ランダムアクセス手続きの間、ＢＷＰが転換されると(例えば、ＢＷＰ非活性タイマーが満了されると)、ＵＥは進行中のランダムアクセス手続きを中断して新しく活性化されたＢＷＰでさらに開始しなければならないだろう。これによりランダムアクセス手続きを完了するのに遅延が増加する。したがって、中断を最小化する方法が必要である。
【０１８８】
ＢＷＰ非活性タイマー(ＢＷＰ ｉｎａｃｔｉｖｉｔｙ ｔｉｍｅｒ)が活性化されたサービングセルで設定されると、ＵＥのＭＡＣエンティティーは活性化されたサービングセルに対して現在手続きによって次の動作を行わなければならない：
【０１８９】
Ａ)Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又はＤｅｆａｕｌｔ−ＤＬ−ＢＷＰが設定されず、活性ＤＬ ＢＷＰが初期ＤＬ ＢＷＰではない場合：
−ダウンリンク割り当て又はアップリンク許可を指示するＣ−ＲＮＴＩ又はＣＳ−ＲＮＴＩでアドレスされたＰＤＣＣＨが活性ＢＷＰ上で受信される場合；又はＭＡＣ ＰＤＵが設定されたアップリンクグラントから送信されたり設定されたダウンリンク割り当てで受信された場合；
−活性ＤＬ ＢＷＰに係るＢＷＰ−ＩｎａｃｔｉｖｉｔｙＴｉｍｅｒを開始又は再開始
【０１９０】
Ｂ)ＢＷＰ転換のためのＰＤＣＣＨが受信され、ＭＡＣエンティティーが活性ＢＷＰを転換する場合：
−ｄｅｆａｕｌｔＤｏｗｎｌｉｎｋＢＷＰ−Ｉｄが設定され、ＭＡＣエントティがｄｅｆａｕｌｔＤｏｗｎｌｉｎｋＢＷＰ−Ｉｄで指示されないＢＷＰで転換する場合；又はｄｅｆａｕｌｔＤｏｗｎｌｉｎｋＢＷＰ−Ｉｄが設定されずＭＡＣエンティティーがｉｎｉｔｉａｌＤｏｗｎｌｉｎｋＢＷＰではないＢＷＰで転換する場合：
−活性ＤＬ ＢＷＰに係るＢＷＰ−ＩｎａｃｔｉｖｉｔｙＴｉｍｅｒを開始又は再開始して；
【０１９１】
Ｃ)ランダムアクセス手続きが前記サービングセルに開始される場合：
−ＢＷＰ−ＩｎａｃｔｉｖｉｔｙＴｉｍｅｒを中止して；
【０１９２】
Ｄ)活性ＤＬ ＢＷＰに係るＢＷＰ−ＩｎａｃｔｉｖｉｔｙＴｉｍｅｒが満了される場合：
−Ｄｅｆａｕｌｔ−ＤＬ−ＢＷＰが設定される場合、Ｄｅｆａｕｌｔ−ＤＬ−ＢＷＰが指示するＢＷＰでＢＷＰ転換を行う。そうではなければ、初期ＤＬ ＢＷＰでＢＷＰ転換を行う。
【０１９３】
上述したようなＢＷＰ非活性タイマーの動作による幾つかの問題がある。ランダムアクセス(ｒａｎｄｏｍ ａｃｃｅｓｓ、ＲＡ)手続きが開始される場合、現在手続きによれば、ＵＥはＢＷＰ−ＩｎａｃｔｉｖｉｔｙＴｉｍｅｒを中止する。ＵＥはランダムアクセスが開始される活性化されたサービングセルの活性ＤＬ ＢＷＰに係るＢＷＰ−ＩｎａｃｔｉｖｉｔｙＴｉｍｅｒを中止する。ランダムアクセスがＰＣｅｌｌに対して開始されると、ＰＣｅｌｌの活性ＤＬ ＢＷＰに係るＢＷＰ−ＩｎａｃｔｉｖｉｔｙＴｉｍｅｒは中止される。ランダムアクセスがＳＣｅｌｌに対して開始されると、ＳＣｅｌｌの活性ＤＬ ＢＷＰに係るＢＷＰ−ＩｎａｃｔｉｖｉｔｙＴｉｍｅｒは中止される。(ＰＳＣｅｌｌと異なる)ＳＣｅｌｌ上のランダムアクセス手続きの場合には、ＰＲＡＣＨプリアンブルだけがＳＣｅｌｌ上で送信される。ＵＥはＳｐＣｅｌｌ上でＲＡＲを受信する。ＳｐＣｅｌｌ上の活性ＤＬ ＢＷＰはランダムアクセス手続きが進行されるうちに転換することができる。これはＢＷＰ転換後にランダムアクセス手続きが中止され、さらに開始される必要があることによって中断をもたらすだろう。
【０１９４】
図１は、本開示の一実施形態によるランダムアクセス手続きに係る帯域幅部分非活性タイマーの動作を示された図面である。
【０１９５】
図１に示されたように、ランダムアクセス手続きはＴ＝ｔ１で開始されて(動作１００)、Ｔ＝ｔ３で完了される(動作１２０)。ランダムアクセス手続きが進行される間、ＵＥはダウンリンク割り当てを有するＰＤＣＣＨを受信することができる(例えば、ＵＥはＲＡＲに対するダウンリンク割り当てを有するＰＤＣＣＨを受信することができる)。このようなシナリオで、ＵＥはランダムアクセス手続きの間のＢＷＰ転換を防止するためにＴ＝ｔ１でＢＷＰ−ＩｎａｃｔｉｖｉｔｙＴｉｍｅｒを中止する(動作１００)。しかし、ランダムアクセス手続きの間のＴ＝ｔ２でＵＥがＢＷＰ−ＩｎａｃｔｉｖｉｔｙＴｉｍｅｒをさらに開始(動作１１０)するからＢＷＰ転換は回避されることができない。これはさらにＢＷＰ転換後にランダムアクセス手続きが中止され、さらに開始される必要があるから中断をもたらすだろう。
【０１９６】
本発明で、二重／多重接続(Ｄｕａｌ／ｍｕｌｔｉ Ｃｏｎｎｅｃｔｉｖｉｔｙ)動作に対し、用語ＳｐＣｅｌｌ(Ｓｐｅｃｉａｌ Ｃｅｌｌ)はＭＡＣエンティティーがマスターセルグループ(Ｍａｓｔｅｒ Ｃｅｌｌ Ｇｒｏｕｐ、ＭＣＧ)又はセカンダリセルグループ(ｓｅｃｏｎｄａｒｙ ｃｅｌｌ Ｇｒｏｕｐ、ＳＣＧ)にそれぞれ連関されるかによってＭＣＧのＰＣｅｌｌ又はＳＣＧのプライマリＳＣｅｌｌ(ｐｒｉｍａｒｙ ｓｅｃｏｎｄａｒｙ ｃｅｌｌ、ＰＳＣｅｌｌ)を指称する。ＵＥにはセルグループ(Ｃｅｌｌ Ｇｒｏｕｐ、ＣＧ)ごとに一つのＭＡＣエンティティーがある。そうではなければ用語Ｓｐｅｃｉａｌ ＣｅｌｌはＰＣｅｌｌを指称する。提案された動作で、ランダムアクセス手続きの開始されるＳＣｅｌｌがＭＣＧに属すれば、用語ＳｐｅｌｌはＰＣｅｌｌを指称する。ランダムアクセス手続きの開始されるＳＣｅｌｌがＳＣＧに属すれば、用語ＳｐＣｅｌｌはＰＳＣｅｌｌを指称する。
【０１９７】
本発明の多様な実施形態によれば、ランダムアクセス手続きが開始されるサービングセルの類型によってランダムアクセス手続きの開始時のＢＷＰ非活性タイマーを処理する方法が提案される。
【０１９８】
ランダムアクセス手続きはｇＮＢからのＰＤＣＣＨ手順、ＭＡＣエンティティー自体、下位階層からのビーム障害インディケーション(ｂｅａｍ ｆａｉｌｕｒｅ ｉｎｄｉｃａｔｉｏｎ)、又はＲＲＣによって開始される。例えば、ランダムアクセス手続きはＰＣｅｌｌに係る次のイベントに対して開始されたり行われたりする。
【０１９９】
−ＲＲＣ_ＩＤＬＥからの初期アクセス；
−ＲＲＣ接続再設定手続き；
−ハンドオーバー；
−ランダムアクセス手続きを要求するＲＲＣ_ＣＯＮＮＥＣＴＥＤのうちのＤＬデータ到達：
−例えば、ＵＬ同期化状態が“非動機化”される時。
【０２００】
−ランダムアクセス手続きを要求するＲＲＣ_ＣＯＮＮＥＣＴＥＤのうちのＵＬデータ到達)：
−例えば、ＵＬ同期化状態が“非動機化”されたり利用可能なＳＲ(ｓｃｈｅｄｕｌｉｎｇｒｅｑｕｅｓｔ)に対するＰＵＣＣＨリソースがない時。
【０２０１】
−ランダムアクセス手続きを要求するＲＲＣ_ＣＯＮＮＥＣＴＥＤのうちに位置指定のために；
−例えば、ＵＥ位置指定のためにタイミングアドバンス(ａｄｖａｎｃｅ)が必要な時。
【０２０２】
−ＲＲＣ_ＩＮＡＣＴＩＶＥからのトランジション；
−他のＳＩのためのリクエスト
【０２０３】
ランダムアクセス手続きは対応するｓＴＡＧに対する時間整列を設定するためにＳＣｅｌｌ上で行われる。また、ＤＣでランダムアクセス手続きが指示される場合、ＳＣＧ付加／修正、又はランダムアクセス手続きを要求するＲＲＣ_ＣＯＮＮＥＣＴＥＤのうちのＤＬ／ＵＬデータ到達時の少なくともＰＳＣｅｌｌ上で行われる。開始されたランダムアクセス手続きはＳＣＧに対するＰＳＣｅｌｌ上でだけ行われる。
【０２０４】
現在手続きによれば、ＵＥのＭＡＣエンティティーはＢＷＰ非活性タイマーが設定されたそれぞれの活性化されたサービングセルに対して次の動作を行う：
【０２０５】
Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又はＤｅｆａｕｌｔ−ＤＬ−ＢＷＰが設定されず活性ＤＬ ＢＷＰが初期ＢＷＰではない場合：
【０２０６】
−ランダムアクセス手続きが開始されると、ＵＥはＢＷＰ−ＩｎａｃｔｉｖｉｔｙＴｉｍｅｒを中止する。ＵＥはランダムアクセスが開始される活性化されたサービングセルの活性ＤＬ ＢＷＰに係るＢＷＰ−ＩｎａｃｔｉｖｉｔｙＴｉｍｅｒを中止する。これはＰＣｅｌｌに対するランダムアクセスが開始されると、ＰＣｅｌｌの活性ＤＬ ＢＷＰに係るＢＷＰ−ＩｎａｃｔｉｖｉｔｙＴｉｍｅｒが中止されるということを意味する。ＰＳＣｅｌｌに対するランダムアクセスが開始されると、ＰＳＣｅｌｌの活性ＤＬ ＢＷＰに係るＢＷＰ−ＩｎａｃｔｉｖｉｔｙＴｉｍｅｒは中止される。ランダムアクセスがＳＣｅｌｌ(すなわち、ＰＳＣｅｌｌと異なるＳＣｅｌｌ)に対して開始されると、ＳＣｅｌｌの活性ＤＬ ＢＷＰに係るＢＷＰ−ＩｎａｃｔｉｖｉｔｙＴｉｍｅｒは中止される。
【０２０７】
(ＰＳＣｅｌｌと異なる)ＳＣｅｌｌ上のランダムアクセス手続きの場合には、ＰＲＡＣＨプリアンブルだけがＳＣｅｌｌ上で送信される。ＵＥはＳｐＣｅｌｌ上でＲＡＲを受信する。ＳｐＣｅｌｌ上の活性ＤＬ ＢＷＰはランダムアクセス手続きが進行される間の転換されることができる。これはＢＷＰ転換後ランダムアクセス手続きが中止され、さらに開始しなければならないから中断をもたらすだろう。
【０２０８】
問題を解決するため、本発明の多様な実施形態によって次のようなＵＥ動作を提案する。
【０２０９】
段階１：サービングセル上でランダムアクセス手続きが開始される。
【０２１０】
段階２：ランダムアクセス手続きが開始されるサービングセルがＳＣｅｌｌ(すなわち、ＰＳＣｅｌｌと異なるＳＣｅｌｌ)の場合、ＵＥは段階３及び段階４で説明された動作を行う。そうではなければ、ＵＥは段階３で説明された動作を行う。
【０２１１】
段階３：ランダムアクセス手続きが開始されるサービングセルに対し、ＵＥは次を行う：
【０２１２】
Ａ．ＢＷＰ非活性タイマーが設定され、Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを中止して(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；
又は
【０２１３】
Ｂ．ＢＷＰ非活性タイマーが設定され、Ｄｅｆａｕｌｔ−ＤＬ−ＢＷＰが設定されず、活性ＤＬ ＢＷＰが初期ＤＬ ＢＷＰではない場合、ＭＡＣエンティティーはＢＷＰ−ＩｎａｃｔｉｖｉｔｙＴｉｍｅｒを中止する(すなわち、ＭＡＣエンティティーは前記サービングセル又はＭＡＣエンティティーのＢＷＰ−ＩｎａｃｔｉｖｉｔｙＴｉｍｅｒを中止させることによって前記サービングセルの活性ＤＬ ＢＷＰに係るＢＷＰ−ＩｎａｃｔｉｖｉｔｙＴｉｍｅｒを中止させる)。
【０２１４】
段階４：ＳｐＣｅｌｌ(ｓｐｅｃｉａｌ ｓｅｒｖｉｎｇ ｃｅｌｌ)に対し、ＵＥは次を行う：
【０２１５】
Ａ．ＢＷＰ非活性タイマーが設定され、Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを中止して(すなわち、ＭＡＣエンティティーはＳｐＣｅｌｌのＢＷＰ−ＩｎａｃｔｉｖｉｔｙＴｉｍｅｒを中止するかＭＡＣエンティティーはＳｐＣｅｌｌの活性ＤＬ ＢＷＰに係るＢＷＰ−ＩｎａｃｔｉｖｉｔｙＴｉｍｅｒを中止する)；
又は
【０２１６】
Ｂ．ＢＷＰ非活性タイマーが設定され、Ｄｅｆａｕｌｔ−ＤＬ−ＢＷＰが設定されず、活性ＤＬ ＢＷＰが初期ＢＷＰではない場合、ＭＡＣエンティティーはＢＷＰ−ＩｎａｃｔｉｖｉｔｙＴｉｍｅｒを中止する(すなわち、ＭＡＣエンティティーはＳｐＣｅｌｌのＢＷＰ−ＩｎａｃｔｉｖｉｔｙＴｉｍｅｒを中止するかＭＡＣエンティティーはＳｐＣｅｌｌの活性ＤＬ ＢＷＰに係るＢＷＰ−ＩｎａｃｔｉｖｉｔｙＴｉｍｅｒを中止する)。
【０２１７】
図２は、本開示の一実施形態によるランダムアクセス手続きが開始されるサービングセルのタイプによってランダムアクセス手続きの開始時のＢＷＰ非活性タイマーを処理するために提案された端末の動作を示す。
【０２１８】
図２に示されたように本発明の多様な実施形態によるＵＥ動作は次のようなステップ／動作を含むことができる。
【０２１９】
動作２００でランダムアクセス手続きが開始される。
【０２２０】
動作２１０でランダムアクセス手続きが開始されるサービングセルがＳＣｅｌｌ(すなわち、ＰＳＣｅｌｌと異なるＳＣｅｌｌ)の場合、ＵＥは動作２２０及び動作２３０で説明された動作を行う。そうではなければ、ＵＥは動作２２０のような動作２４０で説明された動作を行う。
【０２２１】
動作２２０でランダムアクセス手続きが開始されるサービングセルに対し、ＵＥは次を行う：
【０２２２】
Ａ．前記サービングセルに対するＢＷＰ非活性タイマーが実行中の場合、ＢＷＰ−ＩｎａｃｔｉｖｉｔｙＴｉｍｅｒを中止して；代案的な実施形態で、前記サービングセルに対するＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２２３】
動作２３０でＳｐＣｅｌｌ(ｓｐｅｃｉａｌ ｓｅｒｖｉｎｇ ｃｅｌｌ )に対し、ＵＥは次を行う：
【０２２４】
Ｂ．ＳｐＣｅｌｌに対するＢＷＰ非活性タイマーが実行中の場合、ＳｐＣｅｌｌのＢＷＰ−ＩｎａｃｔｉｖｉｔｙＴｉｍｅｒを中止して；代案的な実施形態で、ＳｐＣｅｌｌに対するＢＷＰ非活性タイマーが実行中の場合、ＳｐＣｅｌｌの活性ＤＬ ＢＷＰに係るＢＷＰ−ＩｎａｃｔｉｖｉｔｙＴｉｍｅｒを中止する。
【０２２５】
図３は、本開示の一実施形態による端末が少なくとも一つ以上のサービングセルで設定されてランダムアクセス手続きが開始される時のＢＷＰ非活性タイマーを処理するために提案された端末の動作を示された図面である。一実施形態で、ランダムアクセス手続きの開始時、以下の動作はＢＷＰ非活性タイマーが設定された各活性化されたサービングセルに対してＵＥ内のＭＡＣエンティティーによって行われる。他の実施形態で、ランダムアクセス手続きの開始時、以下の動作は以下のサービングセルに対してＵＥ内のＭＡＣエンティティーによって行われる：
【０２２６】
ａ)ＢＷＰ非活性タイマーがサービングセルに設定されると、ランダムアクセス手続きが開始される前記サービングセル。
【０２２７】
ｂ)ランダムアクセス手続きが開始されるサービングセルがＳｐＣｅｌｌではなく、ＢＷＰ非活性タイマーがＳｐＣｅｌｌに設定される場合、ＳｐＣｅｌｌに対して
図３に示されたように本発明の多様な実施形態によるＵＥ動作は次のようなステップ／動作を含むことができる。
【０２２８】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合(動作３００)；又は
１＞Ｄｅｆａｕｌｔ−ＤＬ−ＢＷＰが設定されず、活性ＤＬ ＢＷＰが初期ＢＷＰではない場合(動作３３０)：
【０２２９】
２＞ランダムアクセス手続きがこのようなサービングセル上で又はこのようなサービングセルに対して開始される場合(動作３１０)：
【０２３０】
３＞前記サービングセルのＢＷＰ−ＩｎａｃｔｉｖｉｔｙＴｉｍｅｒを中止して(動作３２０)；代案的な実施形態で、前記サービングセルに対してＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２３１】
２＞そうではなければ、ランダムアクセス手続きが異なるサービングセル上で又は他のサービングセルに対して開始される場合と前記サービングセルがＳｐＣｅｌｌの場合：
【０２３２】
３＞前記サービングセルのＢＷＰ−ＩｎａｃｔｉｖｉｔｙＴｉｍｅｒを中止して(動作３２０)；代案的な実施形態で、前記サービングセルに対してＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２３３】
図４、本開示の一実施形態によるランダムアクセス手続きが開始されるサービングセルのタイプによってランダムアクセス手続きの開始時のＢＷＰ非活性タイマーを処理するために提案されたＵＥ動作を示す。図４に示されたように、ランダムアクセス手続きが開始されると、以下の動作はランダムアクセス手続きが開始されるサービングセルのためのＵＥ内のＭＡＣエンティティーによって行われる。
【０２３４】
動作４００でサービングセル上でランダムアクセス手続きが開始される。
【０２３５】
前記サービングセルに対してＢＷＰ非活性タイマーは端末によって以下のような動作を行う：
【０２３６】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合(動作４１０)；又は
１＞Ｄｅｆａｕｌｔ−ＤＬ−ＢＷＰが設定されず、活性ＤＬ ＢＷＰが初期ＢＷＰではない場合(動作４５０)：
【０２３７】
２＞実行中の場合、前記サービングセルのＢＷＰ−ＩｎａｃｔｉｖｉｔｙＴｉｍｅｒを中止して(動作４２０)；代案的な実施形態で、ＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２３８】
２＞前記サービングセルがＳＣｅｌｌ(すなわち、ＰＳＣｅｌｌと異なるＳＣｅｌｌ)の場合(動作４３０)：
【０２３９】
３＞実行中の場合、ＳｐＣｅｌｌのＢＷＰ−ＩｎａｃｔｉｖｉｔｙＴｉｍｅｒを中止して(動作４４０)；代案的な実施形態で、ＢＷＰ非活性タイマーが実行中の場合、ＳｐＣｅｌｌの活性ＤＬ ＢＷＰに係るＢＷＰ−ＩｎａｃｔｉｖｉｔｙＴｉｍｅｒを中止する。
【０２４０】
図５は、本発明の多様な実施形態によるランダムアクセス手続きが開始されるサービングセルの類型によってランダムアクセス手続きのＢＷＰ非活性動作開始を処理するために提案されたＵＥ動作を示す。図５に示されたように、ランダムアクセス手続きが開始されると、以下の動作はランダムアクセス手続きが開始されるサービングセルのためのＵＥ内のＭＡＣエンティティーによって行われる。
【０２４１】
動作５００で、ランダムアクセス手続きはサービングセルで開始される。
【０２４２】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合(動作５１０)；又は
１＞Ｄｅｆａｕｌｔ−ＤＬ−ＢＷＰが設定されず、活性ＤＬ ＢＷＰが初期ＢＷＰではない場合(動作５６０)：
【０２４３】
２＞前記サービングセルのＢＷＰ−ＩｎａｃｔｉｖｉｔｙＴｉｍｅｒを中止して(動作５２０)；代案的な実施形態で、ＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２４４】
２＞前記サービングセルがＳＣｅｌｌ(すなわち、ＰＳＣｅｌｌと異なるＳＣｅｌｌ)の場合(動作５３０)：
【０２４５】
３＞ＢＷＰ非活性タイマーがＳｐＣｅｌｌに対して設定される場合：
【０２４６】
４＞ＳｐＣｅｌｌに対し、Ｄｅｆａｕｌｔ−ＤＬ−ＢＷＰが設定され、活性ＤＬ ＢＷＰが Ｄｅｆａｕｌｔ−ＤＬ−ＢＷＰが示されるＢＷＰではない場合(動作５４０)；又は
４＞ＳｐＣｅｌｌに対し、Ｄｅｆａｕｌｔ−ＤＬ−ＢＷＰが設定されず、活性ＤＬ ＢＷＰが初期ＢＷＰではない場合(動作５７０)；
【０２４７】
５＞ＳｐＣｅｌｌの ＢＷＰ−ＩｎａｃｔｉｖｉｔｙＴｉｍｅｒを中止して(動作５５０)；代案的な実施形態で、ＢＷＰ非活性タイマーが実行中の場合、ＳｐＣｅｌｌの活性ＤＬ ＢＷＰに係るＢＷＰ−ＩｎａｃｔｉｖｉｔｙＴｉｍｅｒを中止する。
【０２４８】
上述した動作で、‘ランダムアクセス手続きはサービングセル上で又はサービングセルに対して開始される’と言う表現はＰＲＡＣＨプリアンブルが前記サービングセル上で送信されるランダムアクセス手続きを意味する。
【０２４９】
代案的に、本発明の多様な実施形態によるランダムアクセス手続きが開始されるサービングセルの類型によってランダムアクセス手続きの開始時のＢＷＰ非活性タイマーを処理するための端末の動作が提案される。
【０２５０】
現在手続きによれば、ＵＥのＭＡＣエンティティーはＢＷＰ非活性タイマーが設定されたそれぞれの活性化されたサービングセルに対して次の動作を行う：
【０２５１】
Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又はＤｅｆａｕｌｔ−ＤＬ−ＢＷＰが設定されず、活性ＤＬ ＢＷＰが初期ＢＷＰではない場合：
【０２５２】
−ランダムアクセス手続きが開始されると、ＵＥはＢＷＰ−ＩｎａｃｔｉｖｉｔｙＴｉｍｅｒを中止する。ＵＥはランダムアクセスが開始される活性化されたサービングセルの活性ＤＬ ＢＷＰに係るＢＷＰ−ＩｎａｃｔｉｖｉｔｙＴｉｍｅｒを中止する。これはＰＣｅｌｌに対するランダムアクセスが開始されると、ＰＣｅｌｌの活性ＤＬ ＢＷＰに係るＢＷＰ−ＩｎａｃｔｉｖｉｔｙＴｉｍｅｒが中止されるということを意味する。ＰＳＣｅｌｌに対するランダムアクセスが開始されると、ＰＳＣｅｌｌの活性ＤＬ ＢＷＰに係るＢＷＰ−ＩｎａｃｔｉｖｉｔｙＴｉｍｅｒは中止される。ランダムアクセスが(ＰＳＣｅｌｌと異なる)ＳＣｅｌｌに対して開始されると、ＳＣｅｌｌの活性ＤＬ ＢＷＰに係るＢＷＰ−ＩｎａｃｔｉｖｉｔｙＴｉｍｅｒは中止される。
【０２５３】
(ＰＳＣｅｌｌと異なる)ＳＣｅｌｌ上のランダムアクセス手続きの場合には、ＰＲＡＣＨプリアンブルだけがＳＣｅｌｌ上で送信される。ＵＥはＳｐＣｅｌｌ上でＲＡＲを受信する。ＳｐＣｅｌｌ上の活性ＤＬ ＢＷＰはランダムアクセス手続きが進行される間の転換されることができる。これはＢＷＰ転換後のランダムアクセス手続きが中止され、さらに開始しなければならないから中断をもたらすだろう。
【０２５４】
問題を解決するため、次のようなＵＥ動作を提案する。
【０２５５】
段階１：ランダムアクセス手続きが開始される。
【０２５６】
段階２：ランダムアクセス手続きが開始されるサービングセルがＳＣｅｌｌ(すなわち、ＰＳＣｅｌｌと異なるＳＣｅｌｌ)の場合、ＵＥは段階３及び段階４で説明された動作を行う。そうではなければ、ＵＥは段階３で説明された動作を行う。
【０２５７】
段階３：ランダムアクセス手続きが開始されるサービングセルに対し、ＵＥは次を行う：
【０２５８】
Ａ．ＢＷＰ非活性タイマーが設定される場合と、Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを中止して(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；
又は
【０２５９】
Ｂ．サービングセルがＰＣｅｌｌの場合、ＢＷＰ非活性タイマーが設定される場合、及びＤｅｆａｕｌｔ−ＤＬ−ＢＷＰが設定されず、活性ＤＬ ＢＷＰが初期ＢＷＰではない場合、ＭＡＣエンティティーはＢＷＰ−ＩｎａｃｔｉｖｉｔｙＴｉｍｅｒを中止して(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；
又は
【０２６０】
Ｃ．サービングセルがＳＣｅｌｌの場合、ＢＷＰ非活性タイマーが設定される場合、及びＤｅｆａｕｌｔ−ＤＬ−ＢＷＰが設定されず、活性ＤＬ ＢＷＰが第１活性ＢＷＰではない場合、ＭＡＣエンティティーはＢＷＰ−ＩｎａｃｔｉｖｉｔｙＴｉｍｅｒを中止する(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；(注：このような条件は提案された発明の実施形態では欠如されることができる)。
【０２６１】
段階４：ＳｐＣｅｌｌ(ｓｐｅｃｉａｌ ｓｅｒｖｉｎｇ ｃｅｌｌ)に対し、ＵＥは次を行う：
【０２６２】
Ａ．ＢＷＰ非活性タイマーが設定され、Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを中止して(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；
又は
【０２６３】
Ｂ．サービングセルがＰＣｅｌｌの場合、ＢＷＰ非活性タイマーが設定される場合、及びＤｅｆａｕｌｔ−ＤＬ−ＢＷＰが設定されず、活性ＤＬ ＢＷＰが初期ＢＷＰではない場合、ＭＡＣエンティティーはＢＷＰ−ＩｎａｃｔｉｖｉｔｙＴｉｍｅｒを中止して(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；
又は
【０２６４】
Ｃ．サービングセルがＳＣｅｌｌの場合、ＢＷＰ非活性タイマーが設定される場合、及びＤｅｆａｕｌｔ−ＤＬ−ＢＷＰが設定されず、活性ＤＬ ＢＷＰが第１活性ＢＷＰではない場合、ＭＡＣエンティティーはＢＷＰ−ＩｎａｃｔｉｖｉｔｙＴｉｍｅｒを中止する(すなわち、ＭＡＣエンティティーはこのようなサービングセルのＢＷＰ−ＩｎａｃｔｉｖｉｔｙＴｉｍｅｒを中止するか、ＭＡＣエンティティーはこのようなサービングセルの活性ＤＬ ＢＷＰに係るＢＷＰ−ＩｎａｃｔｉｖｉｔｙＴｉｍｅｒを中止する)；(注：このような条件は提案された発明の実施形態では欠如されることができる)。
【０２６５】
提案された発明の他の実施形態で、ＵＥのランダムアクセス手続き開始時に、ＵＥ内のＭＡＣエンティティーは次の動作を行う。一実施形態で、ランダムアクセス手続きの開始時、以下の動作はＢＷＰ非活性タイマーが設定されたそれぞれの活性化されたサービングセルに対してＵＥ内のＭＡＣエンティティーによって行われる。他の実施形態で、ランダムアクセス手続きの開始時、以下の動作は以下のサービングセルに対してＵＥの ＭＡＣエンティティーによって行われる：
【０２６６】
ａ)ＢＷＰ非活性タイマーがサービングセルで設定されると、ランダムアクセス手続きが開始される前記サービングセル。
【０２６７】
ｂ)ランダムアクセス手続きが開始されるサービングセルがＳｐＣｅｌｌではなく、ＢＷＰ非活性タイマーがＳｐＣｅｌｌに設定される場合、ＳｐＣｅｌｌに対して
【０２６８】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞サービングセルがＰＣｅｌｌの場合と、Ｄｅｆａｕｌｔ−ＤＬ−ＢＷＰが設定されず、活性ＤＬ ＢＷＰが初期ＢＷＰではない場合；又は
１＞サービングセルがＳＣｅｌｌの場合と、Ｄｅｆａｕｌｔ−ＤＬ−ＢＷＰが設定されず、活性ＤＬ ＢＷＰが第１活性ＢＷＰではない場合：
【０２６９】
２＞ランダムアクセス手続きが前記サービングセル上で又は前記サービングセルに対して開始される場合：
【０２７０】
３＞前記サービングセルの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、前記サービングセルのＢＷＰ−ＩｎａｃｔｉｖｉｔｙＴｉｍｅｒを中止する。
【０２７１】
２＞そうではなければ、ランダムアクセス手続きが違うサービングセル上で又は他のサービングセルに対して開始される場合と前記サービングセルがＳｐＣｅｌｌの場合：
【０２７２】
３＞前記サービングセルの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、前記サービングセルの活性ＤＬ ＢＷＰに係るＢＷＰ−ＩｎａｃｔｉｖｉｔｙＴｉｍｅｒを中止する。
【０２７３】
提案された発明の他の実施形態で、サービングセルに対するランダムアクセス手続きの開始時、ＵＥ内のＭＡＣエンティティーは前記サービングセルに対して次の動作を行う：
【０２７４】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＢＷＰではない場合；又は
１＞サービングセルがＳＣｅｌｌの場合と、Ｄｅｆａｕｌｔ−ＤＬ−ＢＷＰが設定されず、活性ＤＬ ＢＷＰが第１活性ＢＷＰではない場合：
【０２７５】
２＞前記サービングセルの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、前記サービングセルのＢＷＰ−ＩｎａｃｔｉｖｉｔｙＴｉｍｅｒを中止する。
【０２７６】
２＞前記サービングセルが(ＰＳＣｅｌｌと異なる)ＳＣｅｌｌの場合：
【０２７７】
３＞実行中の場合、ＳｐＣｅｌｌの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、ＳｐＣｅｌｌの ＢＷＰ−ＩｎａｃｔｉｖｉｔｙＴｉｍｅｒを中止する。
【０２７８】
提案された発明の他の実施形態で、サービングセルに対するランダムアクセス手続きの開始時、ＵＥの ＭＡＣエンティティーは前記サービングセルに対して次の動作を行う：
【０２７９】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＢＷＰではない場合；又は
１＞サービングセルがＳＣｅｌｌの場合と、Ｄｅｆａｕｌｔ−ＤＬ−ＢＷＰが設定されず、活性ＤＬ ＢＷＰが第１活性ＢＷＰではない場合：
【０２８０】
２＞前記サービングセルの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、このようなサービングセルのＢＷＰ−ＩｎａｃｔｉｖｉｔｙＴｉｍｅｒを中止する。
【０２８１】
２＞前記サービングセルが(ＰＳＣｅｌｌと異なる)ＳＣｅｌｌの場合：
【０２８２】
３＞ＢＷＰ非活性タイマーがＳｐＣｅｌｌに対して設定される場合：
【０２８３】
４＞ＳｐＣｅｌｌに対し、Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又は
４＞ＳｐＣｅｌｌに対し、Ｄｅｆａｕｌｔ−ＤＬ−ＢＷＰが設定されず、活性ＤＬ ＢＷＰが初期ＢＷＰではない場合；
【０２８４】
５＞ＳｐＣｅｌｌの活性ＤＬ ＢＷＰに係るＢＷＰ−ＩｎａｃｔｉｖｉｔｙＴｉｍｅｒを中止して；代案的な実施形態で、ＢＷＰ非活性タイマーが実行中の場合、ＳｐＣｅｌｌの ＢＷＰ−ＩｎａｃｔｉｖｉｔｙＴｉｍｅｒを中止する。
【０２８５】
上述した動作で、‘ランダムアクセス手続きはサービングセル上で又はサービングセルに対して開始される’と言う表現はＰＲＡＣＨプリアンブルが前記サービングセル上で送信されるランダムアクセス手続きを意味する。設定されたＢＷＰのうちの第１活性ＢＷＰはｇＮＢから受信されたＢＷＰ設定に示される。
【０２８６】
本発明の多様な実施形態によれば、ランダムアクセス手続きが完了時ＢＷＰ非活性タイマーを処理する多様な方法が提案される。
【０２８７】
ランダムアクセス手続きが成功的に完了したことで見なされる条件の一部例は次の通りである：
【０２８８】
１．ビーム障害復旧リクエストのための非競争(ｃｏｎｔｅｎｔｉｏｎ ｆｒｅｅ)ランダムアクセスプリアンブルを送信した後、ＵＥがｂｆｒ−応答ウィンドウ(ｂｆｒ−ｒｅｓｐｏｎｓｅ ｗｉｎｄｏｗ)からＣ−ＲＮＴＩでアドレス(ａｄｄｒｅｓｓ)になるＰＤＣＣＨ送信を受信する；
【０２８９】
２．非競争ランダムアクセスプリアンブルを送信した後、ダウンリンク割り当てがＲＡ−ＲＮＴＩに対するＰＤＣＣＨ上で受信され、受信されたＴＢ(送信ブロック)が成功的にデコーディングされ、ランダムアクセス応答が送信されたプリアンブルに対応するランダムアクセスプリアンブル識別子を含み、ランダムアクセス応答がＲＡＰＩＤのみを含む；
【０２９０】
３．ＳＩリクエストに対する非競争ランダムアクセスプリアンブルを送信した後、ダウンリンク割り当てがＲＡ−ＲＮＴＩに対するＰＤＣＣＨ上で受信され、受信されたＴＢが成功的にデコーディングされ、ランダムアクセス応答が送信されたプリアンブルに対応するランダムアクセスプリアンブル識別子を含み、ランダムアクセス応答がＲＡＰＩＤのみを含まない場合；
【０２９１】
４．Ｍｓｇ３を送信した後、ＰＤＣＣＨが受信される場合と、Ｃ−ＲＮＴＩＭＡＣ ＣＥが Ｍｓｇ３に含まれた場合と、ランダムアクセス手続きがＭＡＣ下位階層自体(ｓｕｂｌａｙｅｒ ｉｔｓｅｌｆ)又はＲＲＣ下位階層(ｓｕｂ ｌａｙｅｒ)によって開始され、ＰＤＣＣＨ送信がＣ−ＲＮＴＩにアドレスされて新しい送信のためのＵＬ承認(グラント)を含む場合；
【０２９２】
５．Ｍｓｇ３を送信した後、ＰＤＣＣＨが受信される場合と、Ｃ−ＲＮＴＩＭＡＣ ＣＥがＭｓｇ３に含まれた場合と、ランダムアクセス手続きがＰＤＣＣＨ手順によって開始され、ＰＤＣＣＨ送信がＣ−ＲＮＴＩにアドレスされる場合；
【０２９３】
６．Ｍｓｇ３を送信した後、ＰＤＣＣＨが受信される場合と、Ｃ−ＲＮＴＩＭＡＣ ＣＥがＭｓｇ３に含まれた場合と、ランダムアクセス手続きがビーム障害復旧のために開始され、ＰＤＣＣＨ送信がＣ−ＲＮＴＩにアドレスされる場合；
【０２９４】
７．Ｍｓｇ３を送信した後、ＰＤＣＣＨが受信される場合と、ＣＣＣＨ ＳＤＵがＭｓｇ３に含まれていて、ＰＤＣＣＨ送信がＴＥＭＰＯＲＡＲＹ_Ｃ−ＲＮＴＩにアドレスされる場合と、ＭＡＣ ＰＤＵが成功的にデコーディングされる場合と、ＭＡＣ ＰＤＵがＵＥ競争解消アイデンティティー(Ｃｏｎｔｅｎｔｉｏｎ Ｒｅｓｏｌｕｔｉｏｎ Ｉｄｅｎｔｉｔｙ)ＭＡＣ ＣＥを含む場合と、ＭＡＣ ＣＥ内のＵＥ競争解消アイデンティティーがＭｓｇ３に送信されたＣＣＣＨ ＳＤＵと一致する場合。
【０２９５】
提案された発明の一実施形態で、ＵＥ動作は次の通りである：
【０２９６】
段階１：サービングセル上で又はサービングセルに対して開始されたランダムアクセス手続きが成功的に完了される。
【０２９７】
段階２：ランダムアクセス手続き(成功的に完了された)が開始されるサービングセルが(ＰＳｃｅｌｌと異なる)ＳＣｅｌｌの場合、ＵＥは段階３及び段階４で説明された動作を行う。そうではなければ、ＵＥは段階３で説明された動作を行う。
【０２９８】
段階３：ランダムアクセス手続き(成功的に完了した)が開始されるサービングセルに対し、ＵＥは次を行う：
【０２９９】
Ａ．ＢＷＰ非活性タイマーが設定される場合と、Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを開始して(すなわち、このようなサービングセルの活性ＤＬ ＢＷＰに係るＢＷＰ−ＩｎａｃｔｉｖｉｔｙＴｉｍｅｒを開始するかこのようなサービングセルのＢＷＰ−ＩｎａｃｔｉｖｉｔｙＴｉｍｅｒを開始)；
又は
【０３００】
Ｂ．ＢＷＰ非活性タイマーが設定される場合と、Ｄｅｆａｕｌｔ−ＤＬ−ＢＷＰが設定されず、活性ＤＬ ＢＷＰが初期ＢＷＰではない場合、ＭＡＣエンティティーはＢＷＰ−ＩｎａｃｔｉｖｉｔｙＴｉｍｅｒを開始して(すなわち、このようなサービングセルの活性ＤＬ ＢＷＰに係るＢＷＰ−ＩｎａｃｔｉｖｉｔｙＴｉｍｅｒを開始するかこのようなサービングセルのＢＷＰ−ＩｎａｃｔｉｖｉｔｙＴｉｍｅｒを開始)；
【０３０１】
段階４：ＳｐＣｅｌｌ(ｓｐｅｃｉａｌ ｓｅｒｖｉｎｇ ｃｅｌｌ )に対し、ＵＥは次を行う：
【０３０２】
Ｃ．ＢＷＰ非活性タイマーが設定される場合と、Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合、ＭＡＣエンティティーはＢＷＰ−ＩｎａｃｔｉｖｉｔｙＴｉｍｅｒを開始して(すなわち、このようなサービングセルの活性ＤＬ ＢＷＰに係るＢＷＰ−ＩｎａｃｔｉｖｉｔｙＴｉｍｅｒを開始するかこのようなサービングセルのＢＷＰ−ＩｎａｃｔｉｖｉｔｙＴｉｍｅｒを開始)；
又は
【０３０３】
Ｄ．ＢＷＰ非活性タイマーが設定される場合と、Ｄｅｆａｕｌｔ−ＤＬ−ＢＷＰが設定されず、活性ＤＬ ＢＷＰが初期ＢＷＰではない場合、ＭＡＣエンティティーはＢＷＰ−ＩｎａｃｔｉｖｉｔｙＴｉｍｅｒを開始して(すなわち、このようなサービングセルの活性ＤＬ ＢＷＰに係るＢＷＰ−ＩｎａｃｔｉｖｉｔｙＴｉｍｅｒを開始するかこのようなサービングセルのＢＷＰ−ＩｎａｃｔｉｖｉｔｙＴｉｍｅｒを開始)；
【０３０４】
二重／多重連結動作に対し、用語ＳｐＣｅｌｌ(Ｓｐｅｃｉａｌ Ｃｅｌｌ)はＭＡＣエンティティーがＭＣＧ又はＳＣＧにそれぞれ連関されるかによってＭＣＧの ＰＣｅｌｌ又はＳＣＧのＰＳＣｅｌｌを指称する。そうではなければ、用語Ｓｐｅｃｉａｌ ＣｅｌｌはＰＣｅｌｌを指称する。
【０３０５】
図６は、本開示の一実施形態によるランダムアクセス手続きが完了されると、ＢＷＰ非活性タイマーを処理するために提案された端末の動作を示された図面である。
【０３０６】
図６を参照すれば、動作６００でランダムアクセス手続きが成功的に完了される。
【０３０７】
動作６１０で、ランダムアクセス手続き(成功的に完了された)が開始されたサービングセルがＳＣｅｌｌ(すなわち、ＰＳＣｅｌｌ以外のＳＣｅｌｌ)の場合、端末は動作６２０及び動作６３０で説明された動作を行う。そうではない場合、端末は動作６２０のような動作６４０を行う。
【０３０８】
動作６２０で、ランダムアクセス手続き(成功的に完了した)が始まったサービングセルに対し、端末は次を行う：
【０３０９】
Ａ．このサービングセルに対してＢＷＰ−ＩｎａｃｔｉｖｉｔｙＴｉｍｅｒを開始する。他の実施形態で、前記サービングセルのアクティブＤＬ ＢＷＰに係るＢＷＰ−非活性タイマーを開始する。
【０３１０】
動作６３０で、特別サービングセル(ＳｐＣｅｌｌ)に対して端末は次を行う：
【０３１１】
Ｂ．ＳｐＣｅｌｌの ＢＷＰ−ＩｎａｃｔｉｖｉｔｙＴｉｍｅｒを開始する。他の実施形態で、ＳｐＣｅｌｌの活性ＤＬ ＢＷＰに係るＢＷＰ非活性タイマーを開始する。
【０３１２】
図７は、本開示の一実施形態による端末が少なくとも一つ以上のサービングセルで設定されてランダムアクセス手続きが完了される時のＢＷＰ非活性タイマーを処理するための端末の動作を示された図面である。図７で示されたように、ＵＥの ＭＡＣエンティティーはＢＷＰ非活性タイマーが設定されたそれぞれの活性化されたサービングセルに対して次の動作を行う。他の実施形態で、ランダムアクセス手続きが完了すれば、以下の動作は次のサービングセルに対してＵＥの ＭＡＣエンティティーによって行われる：
【０３１３】
ａ)ＢＷＰ非活性タイマーがサービングセルで設定されると、完了したランダムアクセス手続きが開始される前記サービングセル。
【０３１４】
ｂ)完了したランダムアクセス手続きが開始されるサービングセルがＳｐＣｅｌｌではなく、ＢＷＰ非活性タイマーがＳｐＣｅｌｌに設定される場合、ＳｐＣｅｌｌに対して。
【０３１５】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合(動作７００)；又は
１＞Ｄｅｆａｕｌｔ−ＤＬ−ＢＷＰが設定されず、活性ＤＬ ＢＷＰが初期ＢＷＰではない場合(動作７３０)：
【０３１６】
２＞サービングセル上で開始されたランダムアクセス手続きが成功的に完了する場合(動作７１０)：
【０３１７】
３＞ＢＷＰ−ＩｎａｃｔｉｖｉｔｙＴｉｍｅｒを開始して(すなわち、前記サービングセルの活性ＤＬ ＢＷＰに係るＢＷＰ−ＩｎａｃｔｉｖｉｔｙＴｉｍｅｒを開始するか前記サービングセルのＢＷＰ−ＩｎａｃｔｉｖｉｔｙＴｉｍｅｒを開始)(動作７２０)；
【０３１８】
２＞そうではなければ、ランダムアクセス手続きが違うサービングセル上で開始される場合と前記サービングセルがＳｐＣｅｌｌの場合(動作７４０)：
【０３１９】
３＞連関されたＢＷＰ−ＩｎａｃｔｉｖｉｔｙＴｉｍｅｒを開始する(すなわち、前記サービングセルの活性ＤＬ ＢＷＰに係るＢＷＰ−ＩｎａｃｔｉｖｉｔｙＴｉｍｅｒを開始するか前記サービングセルのＢＷＰ−ＩｎａｃｔｉｖｉｔｙＴｉｍｅｒを開始)(動作７２０)。
【０３２０】
図８は、本開示の一実施形態によるランダムアクセス手続きが完了される時のＢＷＰ非活性タイマーを処理するために提案された端末の動作を示された図面である。図８に示されたように、ランダムアクセス手続きが完了されると、以下の動作は完了されたランダムアクセス手続きが開示されたサービングセルのためにＵＥのＭＡＣエンティティーによって行われる。
【０３２１】
動作８００で、ランダムアクセス手続きが成功的に完了される。
【０３２２】
ＢＷＰ非活性タイマーが設定されると、ＢＷＰ非活性タイマーは次のようにＵＥによって動作される：
【０３２３】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合(動作８１０)；又は
１＞Ｄｅｆａｕｌｔ−ＤＬ−ＢＷＰが設定されず、活性ＤＬ ＢＷＰが初期ＢＷＰではない場合(動作８５０)：
【０３２４】
２＞ＢＷＰ−ＩｎａｃｔｉｖｉｔｙＴｉｍｅｒを開始して(すなわち、前記サービングセルの活性ＤＬ ＢＷＰに係るＢＷＰ−ＩｎａｃｔｉｖｉｔｙＴｉｍｅｒを開始するか前記サービングセルのＢＷＰ−ＩｎａｃｔｉｖｉｔｙＴｉｍｅｒを開始)(動作８２０)；
【０３２５】
２＞このようなサービングセルが(ＰＳＣｅｌｌと異なる)ＳＣｅｌｌの場合(動作８３０)：
【０３２６】
３＞設定されていると、ＳｐＣｅｌｌの ＢＷＰ−ＩｎａｃｔｉｖｉｔｙＴｉｍｅｒを開始する(すなわち、ＳｐＣｅｌｌの活性ＤＬ ＢＷＰに係るＢＷＰ−ＩｎａｃｔｉｖｉｔｙＴｉｍｅｒを開始するかＳｐＣｅｌｌの ＢＷＰ−ＩｎａｃｔｉｖｉｔｙＴｉｍｅｒを開始)(動作８４０)。
【０３２７】
図９は、本開示の一実施形態によるランダムアクセス手続きが完了される時のＢＷＰ非活性タイマーを処理するために提案された端末の動作を示された図面である。図９に示されたように、ランダムアクセス手続きが完了すると、以下の動作は完了されたランダムアクセス手続きが開始されたサービングセルのためにＵＥのＭＡＣエンティティーによって行われる。
【０３２８】
動作９００で、ランダムアクセス手続きが成功的に完了される。
【０３２９】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合(動作９１０)；又は
１＞Ｄｅｆａｕｌｔ−ＤＬ−ＢＷＰが設定されず、活性ＤＬ ＢＷＰが初期ＢＷＰではない場合(動作９６０)：
【０３３０】
２＞ＢＷＰ−ＩｎａｃｔｉｖｉｔｙＴｉｍｅｒを開始して(すなわち、前記サービングセルの活性ＤＬ ＢＷＰに係るＢＷＰ−ＩｎａｃｔｉｖｉｔｙＴｉｍｅｒを開始するか前記サービングセルのＢＷＰ−ＩｎａｃｔｉｖｉｔｙＴｉｍｅｒを開始)(動作９２０)；
【０３３１】
２＞このようなサービングセルが(ＰＳＣｅｌｌと異なる)ＳＣｅｌｌの場合(動作９３０)：
【０３３２】
３＞ＢＷＰ非活性タイマーがＳｐＣｅｌｌに対して設定される場合；
【０３３３】
４＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
４＞Ｄｅｆａｕｌｔ−ＤＬ−ＢＷＰが設定されず、活性ＤＬ ＢＷＰが初期ＢＷＰではない場合(動作９７０)；
【０３３４】
５＞ＳｐＣｅｌｌの ＢＷＰ−ＩｎａｃｔｉｖｉｔｙＴｉｍｅｒを開始する(すなわち、前記ＳｐＣｅｌｌの活性ＤＬ ＢＷＰに係るＢＷＰ−ＩｎａｃｔｉｖｉｔｙＴｉｍｅｒを開始するかＳｐＣｅｌｌのＢＷＰ−ＩｎａｃｔｉｖｉｔｙＴｉｍｅｒを開始)(動作９５０)。
【０３３５】
本発明の多様な実施形態はダウンリンク割り当てを有するＰＤＣＣＨが活性ＤＬ ＢＷＰ上で又は活性ＤＬ ＢＷＰに対して受信される時のＢＷＰ非活性タイマーを処理するために提案された方法を含むことができる。
【０３３６】
ランダムアクセス手続きが開始されると、ＵＥはＢＷＰ−ＩｎａｃｔｉｖｉｔｙＴｉｍｅｒを中止させる。ＢＷＰ−ＩｎａｃｔｉｖｉｔｙＴｉｍｅｒを中止させる目的はランダムアクセス手続きの間のＢＷＰ転換(すなわち、デフォルトＢＷＰ又は初期ＢＷＰへの転換)を防止することである。Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又はＤｅｆａｕｌｔ−ＤＬ−ＢＷＰが設定されず、活性ＤＬ ＢＷＰが初期ＢＷＰではない場合；ダウンリンク割り当てを示すＰＤＣＣＨが活性ＢＷＰ上で受信される場合；ＭＡＣエンティティーは活性ＤＬ ＢＷＰに係るＢＷＰ−ＩｎａｃｔｉｖｉｔｙＴｉｍｅｒを開始するか再開始する。上述した手続きによれば、ＵＥがランダムアクセス手続き間ＢＷＰ−ＩｎａｃｔｉｖｉｔｙＴｉｍｅｒを再開始することができることによってＢＷＰ転換は避けることができない。これはＢＷＰ転換時のランダムアクセス手続きが中止され、さらに開始する必要があるから中断につながる。
【０３３７】
図１０で示されたように、端末はサービングセルの活性ＤＬ ＢＷＰに対するＤＬ割り当てを示すＰＤＣＣＨを受信する時の以下の動作を行うことができる。
【０３３８】
図１０は、本開示の一実施形態によってＤＬ割り当てを有するＰＤＣＣＨが活性ＤＬ ＢＷＰに対して受信される時のＢＷＰ非活性タイマーを処理するために提案された端末の動作を示された図面である。
【０３３９】
図１０で示されたように、動作１０００で活性ＤＬ ＢＷＰ Ｘに対するＤＬ割り当てを示すＰＤＣＣＨは活性ＤＬ ＢＷＰ Ｘで受信されることができるか他の活性ＤＬ ＢＷＰで受信されることができる。例えば、ＤＬ ＢＷＰ Ｙで受信されたＰＤＣＣＨはＤＬ ＢＷＰ Ｘに対するＤＬ割り当てを含むことができる。ＤＬ ＢＷＰ Ｘ及びＹは同じサービングセル又は異なるサービングセルのＢＷＰであれば良い。
【０３４０】
動作１０１０で、ＤＬ割り当てが受信される活性ＤＬ ＢＷＰのサービングセルに係る進行中のランダムアクセス手続きがあれば、動作１０２０で端末はＤＬ割り当てが受信される活性ＤＬ ＢＷＰに係るＢＷＰ−ＩｎａｃｔｉｖｉｔｙＴｉｍｅｒを(再)開始しない。ランダムアクセス手続きはＰＲＡＣＨプリアンブルが端末によってサービングセル上で送信された／されたり端末がサービングセル上でＲＡＲを受信する場合にはサービングセルに係る。ある場合に、多数のサービングセルはランダムアクセス手続きに係ることができる。例えば、(ＰＳＣｅｌｌと異なる)ＳＣｅｌｌに対するランダムアクセス手続きが開始される時、ＵＥはＳＣｅｌｌ上でＰＲＡＣＨプリアンブルを送信し、ＳｐＣｅｌｌ上でＲＡＲを受信する。したがって、この場合、ランダムアクセス手続きはＳｐＣｅｌｌだけでなくＳＣｅｌｌとも連関される。例えば、ランダムアクセス手続きがＳｐＣｅｌｌ上で開始されると、端末はＳｐＣｅｌｌ上でＰＲＡＣＨプリアンブルを送信し、ＳｐＣｅｌｌ上でＲＡＲを受信する。したがって、この場合に、ランダムアクセス手続きはＳｐＣｅｌｌに係る。
【０３４１】
動作１０１０で、ＤＬ割り当てが受信される活性ＤＬ ＢＷＰのサービングセルに係る進行中のランダムアクセス手続きがなければ、動作１０３０で端末はＤＬ割り当てが受信される活性ＤＬ ＢＷＰに係るＢＷＰ−ＩｎａｃｔｉｖｉｔｙＴｉｍｅｒを(再)開始する。
【０３４２】
提案された発明の他の実施形態で、ＵＥのＭＡＣエンティティーはＢＷＰ非活性タイマーが設定されたそれぞれの活性化されたサービングセルに対して次の動作を行う：
【０３４３】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＤＬ ＢＷＰではない場合：
【０３４４】
２＞ダウンリンク割り当てを示すＣ−ＲＮＴＩ又はＣＳ−ＲＮＴＩでアドレスされたＰＤＣＣＨが前記サービングセルの活性ＤＬ ＢＷＰ上で受信される場合：
【０３４５】
３＞前記サービングセルに係る進行中のランダムアクセス手続きがない場合：
【０３４６】
４＞前記サービングセルのＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)。
【０３４７】
例えば、ＵＥはＤＬ割り当てを示すＣ−ＲＮＴＩ又はＣＳ−ＲＮＴＩにアドレスされたＰＤＣＣＨを受信する。ＰＤＣＣＨはサービングセルＸのアクティブＤＬ ＢＷＰ上で受信される。サービングセルＸと連関された進行中のランダムアクセス手続きがなければ、ＵＥはサービングセルＸの活性ＤＬ ＢＷＰに係るＢＷＰ−ＩｎａｃｔｉｖｉｔｙＴｉｍｅｒを再開始する。サービングセル内に多数の活性ＤＬ ＢＷＰが存在する場合、サービングセルのＢＷＰ−ＩｎａｃｔｉｖｉｔｙＴｉｍｅｒの開始又は再開始動作はＤＬ割り当てを示すＣ−ＲＮＴＩ又はＣＳ−ＲＮＴＩでアドレスされたＰＤＣＣＨが受信された活性ＤＬＢＷＰに係るＢＷＰ−ＩｎａｃｔｉｖｉｔｙＴｉｍｅｒのためのことである。
【０３４８】
提案された発明の他の実施形態で、ＵＥのＭＡＣエンティティーはＢＷＰ非活性タイマーが設定されたそれぞれの活性化されたサービングセルに対して次のような動作を行う：
【０３４９】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＢＷＰではない場合：
【０３５０】
２＞ダウンリンク割り当てを示すＣ−ＲＮＴＩ又はＣＳ−ＲＮＴＩにアドレスされたＰＤＣＣＨが前記サービングセルの活性ＤＬ ＢＷＰに対して受信される場合(活性ＤＬ ＢＷＰ Ｘに対するＤＬ割り当てを示すＰＤＣＣＨは同じ活性ＤＬ ＢＷＰ Ｘで受信されることができるか他の活性ＤＬ ＢＷＰ Ｙで受信されることができる。例えば、ＤＬ ＢＷＰ Ｙで受信されたＰＤＣＣＨはＤＬ ＢＷＰ Ｘに対するＤＬ割り当てを含むことができる。ＤＬ ＢＷＰ Ｘ及びＹは同じサービングセル又は相違するサービングセルのＢＷＰであれば良い。)：
【０３５１】
３＞このようなサービングセルに係る進行中のランダムアクセス手続きがない場合：
【０３５２】
４＞このようなサービングセルのＢＷＰ−ＩｎａｃｔｉｖｉｔｙＴｉｍｅｒを開始するか再開始する(すなわち、このようなサービングセルの活性ＤＬ ＢＷＰに係るＢＷＰ−ＩｎａｃｔｉｖｉｔｙＴｉｍｅｒを開始するか再開始するかこのようなサービングセルのＢＷＰ−ＩｎａｃｔｉｖｉｔｙＴｉｍｅｒを開始)。
【０３５３】
例えば、ＵＥはＤＬ割り当てを示すＣ−ＲＮＴＩ又はＣＳ−ＲＮＴＩでアドレスされたＰＤＣＣＨを受信する。ＤＬ割り当てはサービングセルＸの活性ＤＬ ＢＷＰに対することである。サービングセルＸに係る進行中のランダムアクセス手続きがなければ、ＵＥはサービングセルＸの活性ＤＬ ＢＷＰに係るＢＷＰ−ＩｎａｃｔｉｖｉｔｙＴｉｍｅｒを再開始する。このＤＬ割り当てはサービングセルＸの又は他のサービングセルＹの活性ＤＬ ＢＷＰ上で受信されることができる。この実施形態で、サービングセルに多数の活性ＤＬ ＢＷＰがある場合、ＢＷＰ−ＩｎａｃｔｉｖｉｔｙＴｉｍｅｒの開始又は再開始動作はＤＬ割り当ての受信のための活性ＤＬ ＢＷＰに係るＢＷＰ−ＩｎａｃｔｉｖｉｔｙＴｉｍｅｒのためのことである。
【０３５４】
提案された発明の他の実施形態で、ＵＥの ＭＡＣエンティティーはＢＷＰ非活性タイマーが設定されたそれぞれの活性化されたサービングセルに対して次のような動作を行う：
【０３５５】
１＞Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＢＷＰではない場合：
【０３５６】
２＞ダウンリンク割り当てを示すＣ−ＲＮＴＩ又はＣＳ−ＲＮＴＩにアドレスされたＰＤＣＣＨが活性ＤＬ ＢＷＰ上で受信される場合：
【０３５７】
２＞ダウンリンク割り当てを示すＣ−ＲＮＴＩ又はＣＳ−ＲＮＴＩにアドレスされたＰＤＣＣＨが活性ＤＬ ＢＷＰに対して受信される場合(活性ＤＬ ＢＷＰ Ｘに対するＤＬ割り当てを示すＰＤＣＣＨは同じ活性ＤＬ ＢＷＰ Ｘで受信されることができるか他の活性ＤＬ ＢＷＰ Ｙで受信されることができる。例えば、ＤＬ ＢＷＰ Ｙで受信されたＰＤＣＣＨはＤＬ ＢＷＰ Ｘに対するＤＬ割り当てを含むことができる。ＤＬ ＢＷＰ Ｘ及びＹは同じサービングセル又は異なるサービングセルのＢＷＰであれば良い。)：
【０３５８】
３＞前記サービングセルに係る進行中のランダムアクセス手続きがない場合：
【０３５９】
４＞ＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)。
【０３６０】
提案された発明の他の実施形態で、ＵＥの ＭＡＣエンティティーはＢＷＰ非活性タイマーが設定されたそれぞれの活性化されたサービングセルに対して次のような動作を行う：
【０３６１】
１＞ダウンリンク割り当てを示すＣ−ＲＮＴＩ又はＣＳ−ＲＮＴＩにアドレスされたＰＤＣＣＨがサービングセルの活性ＤＬ ＢＷＰ上でも活性ＤＬ ＢＷＰに対して受信される場合：
【０３６２】
２＞このようなサービングセルがＳｐＣｅｌｌの場合：
【０３６３】
３＞進行中のランダムアクセス手続きがない場合(前記サービングセル又はＳｐＣｅｌｌと連関されたＣＧの任意のＳＣｅｌｌ上で開始された進行中のランダムアクセス手続きがない場合)、前記サービングセルのＢＷＰ−ＩｎａｃｔｉｖｉｔｙＴｉｍｅｒを開始するか再開始して(すなわち、このようなサービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)；
【０３６４】
２＞そうではなければ(ｅｌｓｅ)
【０３６５】
３＞前記サービングセル上で開始された進行中のランダムアクセス手続きがない場合、前記サービングセルのＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)。
【０３６６】
提案された発明の他の実施形態で、ＵＥの ＭＡＣエンティティーはＢＷＰ非活性タイマーが設定されたそれぞれの活性化されたサービングセルに対して次のような動作を行う：
【０３６７】
１＞ダウンリンク割り当てを示すＣ−ＲＮＴＩ又はＣＳ−ＲＮＴＩにアドレスされた ＰＤＣＣＨがサービングセルの活性ＤＬ ＢＷＰ上でも活性ＤＬ ＢＷＰに対して受信される場合：
【０３６８】
２＞前記サービングセルが(ＰＳＣｅｌｌと異なる)ＳＣｅｌｌの場合：
【０３６９】
３＞前記サービングセル上で開始された進行中のランダムアクセス手続きがない場合、前記サービングセルのＢＷＰ−ＩｎａｃｔｉｖｉｔｙＴｉｍｅｒを開始するか再開始して(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)；
【０３７０】
２＞そうではなければ(ｅｌｓｅ)
【０３７１】
３＞進行中のランダムアクセス手続きがない場合(このようなサービングセル又はＳｐＣｅｌｌに係るＣＧの任意のＳＣｅｌｌ上で開始された進行中のランダムアクセス手続きがない場合)、このようなサービングセルのＢＷＰ−ＩｎａｃｔｉｖｉｔｙＴｉｍｅｒを開始するか再開始する(すなわち、このようなサービングセルの活性ＤＬ ＢＷＰに係るＢＷＰ−ＩｎａｃｔｉｖｉｔｙＴｉｍｅｒを開始するか再開始するかこのようなサービングセルのＢＷＰ−ＩｎａｃｔｉｖｉｔｙＴｉｍｅｒを開始)。
【０３７２】
本発明の多様な実施形態によってＵＬ承認を有するＰＤＣＣＨが活性ＢＷＰ上で又は活性ＢＷＰのために受信される時のＢＷＰ非活性タイマーを処理する方法が提案される。
【０３７３】
ランダムアクセス手続きが開始されると、ＵＥはＢＷＰ−ＩｎａｃｔｉｖｉｔｙＴｉｍｅｒを中止させる。ＢＷＰ−ＩｎａｃｔｉｖｉｔｙＴｉｍｅｒを中止させる目的はランダムアクセス手続き間ＢＷＰ転換(すなわち、デフォルト ＢＷＰ又は初期ＢＷＰへの転換)を防止することである。Ｄｅｆａｕｌｔ−ＤＬ−ＢＷＰが設定され、活性ＤＬ ＢＷＰがＤｅｆａｕｌｔ−ＤＬ−ＢＷＰによって示されたＢＷＰではない場合；又はＤｅｆａｕｌｔ−ＤＬ−ＢＷＰが設定されず、活性ＤＬ ＢＷＰが初期ＢＷＰではない場合；ＵＬ割り当てを示すＰＤＣＣＨが活性ＢＷＰ上で又は活性ＢＷＰのために受信される場合；ＭＡＣエンティティーは活性ＤＬ ＢＷＰに係るＢＷＰ−ＩｎａｃｔｉｖｉｔｙＴｉｍｅｒを開始するか再開始する。上述した手続きによれば、ＵＥがランダムアクセス手続き間ＢＷＰ−ＩｎａｃｔｉｖｉｔｙＴｉｍｅｒを再開始することができることによってＢＷＰ転換は避けることができない。これはランダムアクセス手続きが中止され、さらに開始される必要があるから中断につながる。
【０３７４】
図１１は、本開示の一実施形態によってＵＥが活性ＢＷＰに対するＵＬ承認を示すＰＤＣＣＨを受信する時端末の動作を提案する。
【０３７５】
図１１は、本発明の多様な実施形態によってＵＬ承認を有するＰＤＣＣＨが活性ＤＬ ＢＷＰに対して受信される時のＢＷＰ非活性タイマーを処理するために提案された端末の動作を示された図面である。
【０３７６】
図１１で示されたように、動作１０００でＵＬ承認を示すＰＤＣＣＨが活性ＤＬ ＢＷＰに対して受信される。
【０３７７】
動作１１１０で、ＵＬ承認の受信に対する活性ＢＷＰのサービングセルに係る任意の進行中のランダムアクセス手続きがあれば、動作１１２０で端末は活性ＤＬ ＢＷＰに係るＢＷＰ−ＩｎａｃｔｉｖｉｔｙＴｉｍｅｒを再開始しない。ランダムアクセス手続きはＰＲＡＣＨプリアンブルが ＵＥによってサービングセル上で送信されて／されたりＵＥがサービングセル上でＲＡＲを受信する場合にはサービングセルに係る。ある場合に、多数のサービングセルはランダムアクセス手続きに係ることができる。例えば、(ＰＳＣｅｌｌと異なる)ＳＣｅｌｌに対するランダムアクセス手続きが開始される時、ＵＥはＳＣｅｌｌ上でＰＲＡＣＨプリアンブルを送信し、ＳｐＣｅｌｌ上でＲＡＲを受信する。したがって、この場合、ランダムアクセス手続きはＳｐＣｅｌｌだけでなくＳＣｅｌｌとも係る。例えば、ランダムアクセス手続きがＳｐＣｅｌｌ上で開始されると、端末はＳｐＣｅｌｌ上でＰＲＡＣＨプリアンブルを送信し、ＳｐＣｅｌｌ上でＲＡＲを受信する。したがって、この場合に、ランダムアクセス手続きはＳｐＣｅｌｌに係る。
【０３７８】
動作１１１０で、ＵＬ承認の受信に対する活性ＢＷＰのサービングセルに係る進行中のランダムアクセス手続きがなければ、動作１１３０で端末は活性ＢＷＰのためにＵＬ承認が受信される、活性ＤＬ ＢＷＰに係るＢＷＰ−ＩｎａｃｔｉｖｉｔｙＴｉｍｅｒを(再)開始する。
【０３７９】
提案された発明の他の実施形態で、ＵＥの ＭＡＣエンティティーはＢＷＰ非活性タイマーが設定されたそれぞれの活性化されたサービングセルに対して次の動作を行う：
【０３８０】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＤＬ ＢＷＰではない場合：
【０３８１】
２＞アップリンク承認を示すＣ−ＲＮＴＩ又はＣＳ−ＲＮＴＩでアドレスされたＰＤＣＣＨが前記サービングセルの活性ＢＷＰ上で受信される場合：
【０３８２】
３＞前記サービングセルに係る進行中のランダムアクセス手続きがない場合：
【０３８３】
４＞前記サービングセルのＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを再開始)。
【０３８４】
例えば、ＵＥはアップリンク承認を示すＣ−ＲＮＴＩ又はＣＳ−ＲＮＴＩにアドレスされた ＰＤＣＣＨを受信する。ＰＤＣＣＨはサービングセルＸのアクティブ ＤＬ ＢＷＰ上で受信される。サービングセルＸに係る進行中のランダムアクセス手続きがなければ、ＵＥはたサービングセルＸの活性ＤＬ ＢＷＰに係るＢＷＰ−ＩｎａｃｔｉｖｉｔｙＴｉｍｅｒを再開始する。サービングセル内に多数の活性ＤＬ ＢＷＰが存在する場合、ＢＷＰ−ＩｎａｃｔｉｖｉｔｙＴｉｍｅｒの開始又は再開始動作はアップリンク承認を示すＣ−ＲＮＴＩ又はＣＳ−ＲＮＴＩでアドレスされたＰＤＣＣＨが受信された活性ＤＬ ＢＷＰに係るＢＷＰ−ＩｎａｃｔｉｖｉｔｙＴｉｍｅｒのためのことである。
【０３８５】
提案された発明の他の実施形態で、ＵＥのＭＡＣエンティティーはＢＷＰ非活性タイマーが設定されたそれぞれの活性化されたサービングセルに対して次の動作を行う：
【０３８６】
１＞Ｄｅｆａｕｌｔ−ＤＬ−ＢＷＰが設定され、活性ＤＬ ＢＷＰが Ｄｅｆａｕｌｔ−ＤＬ−ＢＷＰによって示されたＢＷＰではない場合；又は
１＞Ｄｅｆａｕｌｔ−ＤＬ−ＢＷＰが設定されず、活性ＤＬ ＢＷＰが初期ＢＷＰではない場合：
【０３８７】
２＞アップリンク承認を示すＣ−ＲＮＴＩ又はＣＳ−ＲＮＴＩでアドレスされたＰＤＣＣＨが前記サービングセルの活性ＢＷＰに対して受信される場合：
【０３８８】
３＞前記サービングセルに係る進行中のランダムアクセス手続きがない場合：
【０３８９】
４＞前記サービングセルのＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)。
【０３９０】
例えば、ＵＥはアップリンク承認を示すＣ−ＲＮＴＩ又はＣＳ−ＲＮＴＩでアドレスされたＰＤＣＣＨを受信する。アップリンク承認はサービングセルＸの活性ＵＬＢＷＰに対するのだ。サービングセルＸに係る進行中のランダムアクセス手続きがなければ、ＵＥはサービングセルＸの活性ＤＬ ＢＷＰに係るＢＷＰ−ＩｎａｃｔｉｖｉｔｙＴｉｍｅｒを再開始する。前記アップリンク承認を示すＰＤＣＣＨはサービングセルＸの又は他のサービングセルＹの活性ＤＬ ＢＷＰ上で受信されることができる。この実施形態で、サービングセルに多数の活性ＤＬ ＢＷＰがある場合、ＢＷＰ−ＩｎａｃｔｉｖｉｔｙＴｉｍｅｒの開始又は再開始動作はアップリンク承認の受信に対するＵＬＢＷＰとリンクされた(すなわち、同じなＢＷＰＩＤを有する)活性ＤＬ ＢＷＰに係るＢＷＰ−ＩｎａｃｔｉｖｉｔｙＴｉｍｅｒのためのことである。
【０３９１】
提案された発明の他の実施形態で、ＵＥの ＭＡＣエンティティーはＢＷＰ非活性タイマーが設定されたそれぞれの活性化されたサービングセルに対して次の動作を行う：
【０３９２】
１＞アップリンク承認を示すＣ−ＲＮＴＩ又はＣＳ−ＲＮＴＩでアドレスされたＰＤＣＣＨが前記サービングセルの活性ＢＷＰ上で又は活性ＢＷＰに対して受信される場合：
【０３９３】
２＞前記サービングセルがＳｐＣｅｌｌの場合
【０３９４】
３＞進行中のランダムアクセス手続きがない場合(前記サービングセル又はＳｐＣｅｌｌに係るＣＧの任意のＳＣｅｌｌ上で開始された進行中のランダムアクセス手続きがない場合)、前記サービングセルのＢＷＰ−ＩｎａｃｔｉｖｉｔｙＴｉｍｅｒを開始するか再開始して(すなわち、このようなサービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)；
【０３９５】
２＞そうではなければ(ｅｌｓｅ)
【０３９６】
３＞前記サービングセル上で開始された進行中のランダムアクセス手続きがない場合、前記サービングセルのＢＷＰ−ＩｎａｃｔｉｖｉｔｙＴｉｍｅｒを開始するか再開始する(すなわち、前記サービングセルの活性ＤＬ ＢＷＰに係るＢＷＰ−ＩｎａｃｔｉｖｉｔｙＴｉｍｅｒを開始するか再開始するか前記サービングセルのＢＷＰ−ＩｎａｃｔｉｖｉｔｙＴｉｍｅｒを開始)。
【０３９７】
提案された発明の他の実施形態で、ＵＥの ＭＡＣエンティティーはＢＷＰ非活性タイマーが設定されたそれぞれの活性化されたサービングセルに対して次のような動作を行う：
【０３９８】
１＞アップリンク承認を示すＣ−ＲＮＴＩ又はＣＳ−ＲＮＴＩでアドレスされたＰＤＣＣＨがサービングセルの活性ＢＷＰ上でも活性ＢＷＰに対して受信される場合：
【０３９９】
２＞このようなサービングセルが(ＰＳＣｅｌｌと異なる)ＳＣｅｌｌの場合：
【０４００】
３＞このようなサービングセル上で開始された進行中のランダムアクセス手続きがない場合、このようなサービングセルのＢＷＰ−ＩｎａｃｔｉｖｉｔｙＴｉｍｅｒを開始するか再開始して(すなわち、このようなサービングセルの活性ＤＬ ＢＷＰに係るＢＷＰ−ＩｎａｃｔｉｖｉｔｙＴｉｍｅｒを開始するか再開始するかこのようなサービングセルのＢＷＰ−ＩｎａｃｔｉｖｉｔｙＴｉｍｅｒを開始)；
【０４０１】
２＞そうではなければ(ｅｌｓｅ)
【０４０２】
３＞進行中のランダムアクセス手続きがない場合(このようなサービングセル又はＳｐＣｅｌｌと連関されたＣＧの任意のＳＣｅｌｌ上で開始された進行中のランダムアクセス手続きがない場合)、このようなサービングセルのＢＷＰ−ＩｎａｃｔｉｖｉｔｙＴｉｍｅｒを開始するか再開始する(すなわち、このようなサービングセルの活性ＤＬ ＢＷＰに係るＢＷＰ−ＩｎａｃｔｉｖｉｔｙＴｉｍｅｒを開始するか再開始するかこのようなサービングセルのＢＷＰ−ＩｎａｃｔｉｖｉｔｙＴｉｍｅｒを開始)。
【０４０３】
本発明の多様な実施形態によって障害復旧応答ウィンドウの間の測定ギャップの処理方法が提案される。
【０４０４】
ビーム障害復旧リクエスト手続きはビーム障害がサービング同期信号ブロック(Ｓｙｎｃｈｒｏｎｉｚａｔｉｏｎ Ｓｉｇｎａｌ Ｂｌｏｃｋ、ＳＳＢ)又はチャネル状態情報基準信号(Ｃｈａｎｎｅｌ Ｓｔａｔｅ Ｉｎｆｏｒｍａｔｉｏｎ Ｒｅｆｅｒｅｎｃｅ Ｓｉｇｎａｌ、ＣＳＩ−ＲＳ)上で探知される時の新しいＳＳＢ又はＣＳＩ−ＲＳをサービングｇＮＢに示すために用いられる。ビーム障害復旧リクエストに対し、ＵＥは非競争ランダムアクセスプリアンブルを送信する。ランダムアクセスプリアンブル及び／又はＰＲＡＣＨリソースはビーム障害復旧リクエストに専用されることができるということが注目されなければならない。ビーム障害復旧リクエストのために非競争ランダムアクセスプリアンブルを送信した後、ＵＥはプリアンブル送信の終了からＸシンボルの固定された長続き期間後に第１ＰＤＣＣＨオケージョン(ｏｃｃａｓｉｏｎ)の開始でｂｆｒ−Ｒｅｓｐｏｎｓｅ Ｗｉｎｄｏｗ(すなわち、ｇＮＢによってＵＥにシグナリングドエンビーム障害復旧設定で設定されたＲＡＲウィンドウ)を開始する。ｂｆｒ−Ｒｅｓｐｏｎｓｅ Ｗｉｎｄｏｗ(スロットの数又はサブフレームの数又はＴＴＩの数又はＰＤＣＣＨ オケージョンの数又はＯＦＤＭシンボルの数の単位はシステム情報又は専用ＲＲＣシグナリングで設定される。ＵＥはｂｆｒ−Ｒｅｓｐｏｎｓｅ Ｗｉｎｄｏｗが実行中の間のＣ−ＲＮＴＩによって識別されたビーム障害復旧リクエストに対する応答のためにＳｐＣｅｌｌのＰＤＣＣＨをモニタリングする。
【０４０５】
ｂｆｒ−Ｒｅｓｐｏｎｓｅ Ｗｉｎｄｏｗよるが以上の時間スロットは測定ギャップと重ねることができる。測定ギャップの間、ＵＥは一般的にＰＤＣＣＨをモニタリングせず、ＨＡＲＱ フィードバック及びＣＱＩ／ＰＭＩ／ＲＩ／ＣＲＩの送信を行わず、ＳＲＳを報告せず、ＵＬ−ＳＣＨ(Ｍｓｇ３除外)を送信しない。ｂｆｒ−Ｒｅｓｐｏｎｓｅ Ｗｉｎｄｏｗの間に測定ギャップが発生すれば、ＵＥはＰＤＣＣＨモニタリングをスキップする代りにＣ−ＲＮＴＩによって識別されたビーム障害復旧リクエストに対する応答のためにＳｐＣｅｌｌのＰＤＣＣＨをモニタリングすることを優先視する。ビーム障害復旧手続きは測定ギャップ間の測定を行うより重要である。
【０４０６】
図１２は、本開示の一実施形態によるビーム障害復旧応答ウィンドウの間の測定ギャップを処理するために提案された端末の動作を示す。
【０４０７】
図１２を参照すれば、動作１２００ で ＵＥはｇＮＢから測定ギャップ設定(ｍｅａｓｕｒｅｍｅｎｔ ｇａｐ ｃｏｎｆｉｇｕｒａｔｉｏｎ)を受信する。
【０４０８】
動作１２１０で、ＵＥは測定ギャップの間の測定を行う。
【０４０９】
動作１２２０で、ビーム障害が検出されれば、ＵＥはビーム障害復旧手続きを開始する。
【０４１０】
動作１２３０で、ＵＥはビーム障害復旧リクエストをｇＮＢに送信する。
【０４１１】
動作１２４０で、ＵＥはビーム障害復旧応答ウィンドウ(ｂｆｒ−ｒｅｓｐｏｎｓｅ ｗｉｎｄｏｗ)でビーム障害復旧応答をモニタリングする。
【０４１２】
一実施形態で、測定ギャップの間、ＵＥ(又はＵＥの ＭＡＣエンティティー)は次を行わなければならない：
【０４１３】
１＞ｂｆｒ−ＲｅｓｐｏｎｓｅＷｉｎｄｏｗが実行中の場合：
【０４１４】
２＞Ｃ−ＲＮＴＩにアドレスされたＰＤＣＣＨをモニタリングして；ＵＥはＣ−ＲＮＴＩによって識別されたビーム障害復旧リクエストに対する応答のためにＳｐＣｅｌｌのＰＤＣＣＨをモニタリングする。
【０４１５】
一実施形態で、測定ギャップ間、ＭＡＣエンティティーは次を行わなければならない：
【０４１６】
１＞ｒａ−ＲｅｓｐｏｎｓｅＷｉｎｄｏｗ、ｂｆｒ−ＲｅｓｐｏｎｓｅＷｉｎｄｏｗ又はｒａ−Ｃｏｎｔｅｎｔｉｏｎ Ｒｅｓｏｌｕｔｉｏｎ Ｔｉｍｅｒが実行中の場合：
【０４１７】
２＞ＰＤＣＣＨをモニタリングして；(注：ｒａ−Ｒｅｓｐｏｎｓｅ Ｗｉｎｄｏｗの場合に、ＵＥはＲＡ−ＲＮＴＩにアドレスされたＰＤＣＣＨをモニタリングし、ｂｆｒ−Ｒｅｓｐｏｎｓｅ Ｗｉｎｄｏｗの場合に、ＵＥはＣ−ＲＮＴＩにアドレスされたＰＤＣＣＨをモニタリングし、ｒａ−Ｃｏｎｔｅｎｔｉｏｎ ＲｅｓｏｌｕｔｉｏｎＴｉｍｅｒの場合に、ＵＥはＣ−ＲＮＴＩにアドレスされた ＰＤＣＣＨをモニタリングする)。
【０４１８】
１＞そうではなければ(ｅｌｓｅ)：
【０４１９】
２＞ＰＤＣＣＨをモニタリングしない。
【０４２０】
動作１２５０で、ＵＥはビーム障害復旧応答ウィンドウ(ｂｆｒ−ｒｅｓｐｏｎｓｅｗｉｎｄｏｗ)の間の測定ギャップの場合、ビーム障害復旧応答のためのＰＤＣＣＨをモニタリングする。
【０４２１】
本発明の多様な実施形態はビーム障害復旧手続きを提案する。
【０４２２】
ビーム障害復旧のための現在の手続きは次のように定義される：ビーム障害復旧リクエスト手続きはビーム障害がサービングＳＳＢ／ＣＳＩ−ＲＳ上で探知される時に新しいＳＳＢ又はＣＳＩ−ＲＳをサービングｇＮＢに示すために用いられる。ビーム障害は下位階層(ｌｏｗｅｒ ｌａｙｅｒｓ)によって検出されてＭＡＣエンティティーに指示される。
【０４２３】
ＭＡＣエンティティーは次を行わなければならない：
【０４２４】
１＞ビーム障害インディケーション(ｉｎｄｉｃａｔｉｏｎ)が下位階層から受信された場合：
【０４２５】
２＞ｂｅａｍ Ｆａｉｌｕｒｅ Ｒｅｃｏｖｅｒｙ Ｔｉｍｅｒを開始又は再開始して；
【０４２６】
２＞ＢＦＩ_ＣＯＵＮＴＥＲを１ずつ増加させる(ｉｎｃｒｅｍｅｎｔ ＢＦＩ_ＣＯＵＮＴＥＲ ｂｙ１)；
【０４２７】
２＞ＢＦＩ_ＣＯＵＮＴＥＲがｂｅａｍＦａｉｌｕｒｅＩｎｓｔａｎｃｅＭａｘＣｏｕｎｔ以上の場合：
【０４２８】
３＞ｂｅａｍＦａｉｌｕｒｅＲｅｃｏｖｅｒｙＣｏｎｆｉｇが活性ＵＬＢＷＰに対して設定された場合；
【０４２９】
４＞設定された場合ｂｅａｍＦａｉｌｕｒｅＲｅｃｏｖｅｒｙＴｉｍｅｒを開始する；
【０４３０】
４＞ｂｅａｍＦａｉｌｕｒｅＲｅｃｏｖｅｒｙＣｏｎｆｉｇで設定されたｐｏｗｅｒＲａｍｐｉｎｇ Ｓｔｅｐ、ｐｒｅａｍｂｌｅＲｅｃｅｉｖｅｄＴａｒｇｅｔＰｏｗｅｒ及びｐｒｅａｍｂｌｅＴｒａｎｓＭａｘ媒介変数を適用してＳｐＣｅｌｌ上でランダムアクセス手続きを開始する(３ＧＰＰＴＳ３８．３２１５．１節参照)。
【０４３１】
３＞そうではなければ(ｅｌｓｅ)：
【０４３２】
４＞ＳｐＣｅｌｌ上でランダムアクセス手続きを開始する(３ＧＰＰＴＳ３８．３２１５．１節参照。
【０４３３】
１＞ｂｅａｍＦａｉｌｕｒｅＲｅｃｏｖｅｒｙＴｉｍｅｒが満了される場合：
【０４３４】
１＞ｂｅａｍＦａｉｌｕｒｅＤｅｔｅｃｔｉｏｎＴｉｍｅｒ、ｂｅａｍＦａｉｌｕｒｅＩｎｓｔａｎｃｅＭａｘＣｏｕｎｔ又はビーム障害検出に用いられた参照信号が上位階層によって再構成された場合：
【０４３５】
２＞ＢＦＩ_ＣＯＵＮＴＥＲを０で設定
【０４３６】
１＞Ｃ−ＲＮＴＩに対してアドレスされたＰＤＣＣＨ上のダウンリンク割り当て又はアップリンク承認が受信された場合：
【０４３７】
２＞ｂｅａｍＦａｉｌｕｒｅＲｅｃｏｖｅｒｙＴｉｍｅｒを中止して再設定して；
【０４３８】
２＞ビーム障害復旧リクエスト手続きが成功的に完了したことで見做す。
【０４３９】
競争基盤のランダムアクセス手続きがビーム障害復旧のために使われて復旧が成功的な場合、ｂｅａｍＦａｉｌｕｒｅＲｅｃｏｖｅｒｙＴｉｍｅｒは継続実行され、満了すればＢＦＩ_ＣＯＵＮＴＥＲが再設定されるだろう。結果的に後続ビーム障害検出及び復旧が影響を受ける。
【０４４０】
上述した問題を解消するため、提案された発明の実施形態で次の改善した手続きを提案する。要点はビーム障害復旧のために開始したランダムアクセス手続きが成功的に完了されると、ｂｅａｍＦａｉｌｕｒｅＲｅｃｏｖｅｒｙＴｉｍｅｒがＲＲＣ信号でｇＮＢによって設定されるとｂｅａｍＦａｉｌｕｒｅＲｅｃｏｖｅｒｙＴｉｍｅｒが中止されるということである。
【０４４１】
１＞ビーム障害インディケーションが下位階層(すなわち、物理的階層)から受信された場合：
【０４４２】
２＞ｂｅａｍＦａｉｌｕｒｅＲｅｃｏｖｅｒｙＴｉｍｅｒを開始又は再開始して；
【０４４３】
２＞ＢＦＩ_ＣＯＵＮＴＥＲを１ずつ増加させる；
【０４４４】
２＞ＢＦＩ_ＣＯＵＮＴＥＲがｂｅａｍＦａｉｌｕｒｅＩｎｓｔａｎｃｅＭａｘＣｏｕｎｔ以上の場合：
【０４４５】
３＞ｂｅａｍＦａｉｌｕｒｅＲｅｃｏｖｅｒｙＣｏｎｆｉｇが活性ＵＬ ＢＷＰに対して設定された場合；
【０４４６】
４＞設定された場合、ｂｅａｍ ＦａｉｌｕｒｅＲｅｃｏｖｅｒｙＴｉｍｅｒを開始する；
【０４４７】
４＞ｂｅａｍＦａｉｌｕｒｅＲｅｃｏｖｅｒｙＣｏｎｆｉｇで設定されたｐｏｗｅＲａｍｐｉｎｇＳｔｅｐ、ｐｒｅａｍｂｌｅＲｅｃｅｉｖｅｄＴａｒｇｅｔＰｏｗｅｒ及びｐｒｅａｍｂｌｅＴｒａｎｓＭａｘ媒介変数を適用してＳｐＣｅｌｌ上でランダムアクセス手続きを開始する(３ＧＰＰＴＳ３８．３２１５．１節参照)。
【０４４８】
３＞そうではなければ(ｅｌｓｅ)：
【０４４９】
４＞ランダムアクセス手続きを開始する(例えば、ＳｐＣｅｌｌ上で)。
【０４５０】
１＞ｂｅａｍＦａｉｌｕｒｅＲｅｃｏｖｅｒｙＴｉｍｅｒが満了する場合；又は
【０４５１】
１＞ｂｅａｍＦａｉｌｕｒｅＤｅｔｅｃｔｉｏｎＴｉｍｅｒ、ｂｅａｍＦａｉｌｕｒｅＩｎｓｔａｎｃｅＭａｘＣｏｕｎｔ又はビーム障害検出に用いられた参照信号が上位階層によって再構成された場合：
【０４５２】
２＞ＢＦＩ_ＣＯＵＮＴＥＲを０で設定
【０４５３】
１＞ビーム障害復旧のために開始されたランダムアクセス手続きが成功的に完了する場合：
【０４５４】
３＞設定された場合、ｂｅａｍＦａｉｌｕｒｅＲｅｃｏｖｅｒｙＴｉｍｅｒを中止して；
【０４５５】
３＞ＢＦＩ_ＣＯＵＮＴＥＲを０で設定
【０４５６】
３＞ビーム障害復旧リクエスト手続きが成功的に完了したことで見なし；
【０４５７】
一実施形態で、非競争ランダムアクセスプリアンブル及び／又はＰＲＡＣＨ オケージョン(ｏｃｃａｓｉｏｎ)が ＰＲＡＣＨプリアンブルを送信するために用いられた場合と、ＲａｎｄｏｍＡｃｃｅｓｓＲｅｓｐｏｎｓｅＷｉｎｄｏｗが実行中の間の復旧探索空間(ｒｅｃｏｖｅｒｙ ｓｅａｒｃｈ ｓｐａｃｅ)内でＣ−ＲＮＴＩにアドレスされるＰＤＣＣＨが受信される場合、ビーム障害復旧のために開始されたランダムアクセス手続きは成功的に完了されたことで見なされる。そうではなければ、ＰＲＡＣＨプリアンブル送信のための競争基盤のランダムアクセスプリアンブルの中でランダムアクセスプリアンブルが選択され、ｒａ−ＣｏｎｔｅｎｔｉｏｎＲｅｓｏｌｕｔｉｏｎＴｉｍｅｒが実行中の間Ｃ−ＲＮＴＩにアドレスされるＰＤＣＣＨが受信される場合、ビーム障害復旧のために開始されたランダムアクセス手続きは成功的に完了されたことで見なされる。上述したように、ランダムアクセス手続きがビーム障害復旧のためではない場合、ランダムアクセスプリアンブルがＰＲＡＣＨプリアンブルを送信するための競争基盤のランダムアクセスプリアンブルの中で選択され、新しい送信のためのＵＬ承認を示すＣ−ＲＮＴＩにアドレスされたＰＤＣＣＨがｒａ−ＣｏｎｔｅｎｔｉｏｎＲｅｓｏｌｕｔｉｏｎＴｉｍｅｒが実行される間に受信されると、ランダムアクセス手続きが成功的に完了されたことで見なされる。
【０４５８】
他の実施形態で、無競争ランダムアクセスプリアンブル及び／又はＰＲＡＣＨ オケージョン(ｏｃｃａｓｉｏｎ)がＰＲＡＣＨプリアンブルを送信するために用いられる場合と、ＲａｎｄｏｍＡｃｃｅｓｓＲｅｓｐｏｎｓｅＷｉｎｄｏｗが実行中の間の復旧探索空間(ｒｅｃｏｖｅｒｙ ｓｅａｒｃｈ ｓｐａｃｅ)内でＣ−ＲＮＴＩにアドレスされるＰＤＣＣＨが受信される場合、ビーム障害復旧のために開始されたランダムアクセス手続きは成功的に完了されたことで見なされる。そうではなければ、ＰＲＡＣＨプリアンブル送信のための競争基盤のランダムアクセスプリアンブルの中でランダムアクセスプリアンブルが選択され、ｒａ−ＣｏｎｔｅｎｔｉｏｎＲｅｓｏｌｕｔｉｏｎＴｉｍｅｒが実行中の間ＤＬ割り当て又はＵＬ承認を示すＣ−ＲＮＴＩにアドレスされたＰＤＣＣＨが受信される場合、ビーム障害復旧のために開始されたランダムアクセス手続きは成功的に完了されたことで見なされる。上述したように、ランダムアクセス手続きがビーム障害復旧のためではない場合、ランダムアクセスプリアンブルがＰＲＡＣＨプリアンブルを送信するための競争基盤のランダムアクセスプリアンブルの中で選択され、新しい送信のためのＵＬ承認を示すＣ−ＲＮＴＩにアドレスされたＰＤＣＣＨが ｒａ−ＣｏｎｔｅｎｔｉｏｎＲｅｓｏｌｕｔｉｏｎＴｉｍｅｒが実行される間に受信されると、ランダムアクセス手続きが成功的に完了されたことで見なされる。
【０４５９】
本発明の多様な実施例は競争基盤ランダムアクセス手続きに対する臨時Ｃ−ＲＮＴＩ(Ｔｅｍｐｏｒａｒｙ Ｃ−ＲＮＴＩ )の処理方法を提案する。
【０４６０】
ＣＢＲＡ手続きは以下の４段階を含む：
【０４６１】
１.ＵＥはランダムアクセスプリアンブルを ｇＮＢに送信する。競争基盤のランダムアクセスプリアンブルの中でランダムアクセスプリアンブルが選択される。
【０４６２】
２.ＧＮＢはＲＡ−ＲＮＴＩにアドレスされる ＰＤＳＣＨ上でＲＡＲを送信する。ＲＡ−ＲＮＴＩはＲＡプリアンブルがｇＮＢによって検出された時間−周波数スロットを識別する。ＲＡＲはメッセージ３(ＭＳＧ３)に対するＲＡプリアンブル識別子、タイミング整列情報、臨時Ｃ−ＲＮＴＩ及びＵＬ承認を伝達する。ＲＡＲはさらにＲＡ試みを再び試み前に一定時間の間ＵＥにバックホール(ｂａｃｋｏｆｆ)の指示をするためのバックホールオフインジケーター(ｉｎｄｉｃａｔｏｒ)を含むことができる。ＲＡＲはＲＡＲウィンドウで送信される。ＲＡＲウィンドウ大きさは設定可能である。
【０４６３】
３.ＵＥはＲＡＲで受信されたＵＬ承認時にＣＣＣＨ ＳＤＵを送信する。これはＲＲＣ接続リクエスト、ＲＲＣ接続設定リクエスト、ＲＲＣハンドオーバー確認、スケジューリングリクエスト、ＳＩリクエストなどのようなメッセージを送信するのに用いられる。これは一般的にＭＳＧ３として指称される。Ｍｓｇ３を送信した後、ＵＥはＭｓｇ４を有する。ＵＥはさらに競争解消タイマー(ｃｏｎｔｅｎｔｉｏｎ ｒｅｓｏｌｕｔｉｏｎｔｉｍｅｒ)を開始する。
【０４６４】
４.ＵＥがＴＥＭＰＯＲＡＲＹ_Ｃ−ＲＮＴＩにアドレスされるＰＤＣＣＨを受信する場合とＭＡＣ ＰＤＵが成功的にデコーディングされる場合：
【０４６５】
１＞ＭＡＣ ＰＤＵがＵＥ競争解決アイデンティティーＭＡＣ ＣＥを含む場合；及び
【０４６６】
ＭＡＣ ＣＥ内のＵＥ競争解消アイデンティティーがＭｓｇ３で送信されたＣＣＣＨ ＳＤＵと一致する場合)：
【０４６７】
２＞このような競争解決を成功的なことで見做して；
【０４６８】
２＞Ｃ−ＲＮＴＩを ＴＥＭＰＯＲＡＲＹ_Ｃ−ＲＮＴＩの値でセッティングする。
【０４６９】
現在手続きで、競争解消が成功的な後、ＵＥは常にＴＥＭＰＯＲＡＲＹ_Ｃ−ＲＮＴＩをＣ−ＲＮＴＩで活性化させる(ｐｒｏｍｏｔｅ)。本発明において、ＣＣＣＨ ＳＤＵに含まれたメッセージのタイプによって、ＵＥはＴＥＭＰＯＲＡＲＹ_Ｃ−ＲＮＴＩをＣ−ＲＮＴＩで活性化させるか否かを判定する。競争解消が成功的な場合とＣＣＣＨ ＳＤＵがＳＩリクエストを含まない場合又はＳＩリクエストがＭｓｇ３で送信されない場合、又はランダムアクセス手続きがＳＩリクエストのためにトリガーリングされない場合、ＵＥはＴＥＭＰＯＲＡＲＹ_Ｃ−ＲＮＴＩをＣ−ＲＮＴＩで活性化させる。そうではなければ、ＵＥはＴＥＭＰＯＲＡＲＹ_Ｃ−ＲＮＴＩを Ｃ−ＲＮＴＩで活性化させない。これはＳＩリクエスト確認応答(ａｃｋ)の受信のみを上位階層に指示することができる。
【０４７０】
１＞Ｍｓｇ３にＣＣＣＨＳＤＵを送信した以後に、ＵＥがＴＥＭＰＯＲＡＲＹ_Ｃ−ＲＮＴＩにアドレスされるＰＤＣＣＨを受信する場合とＭＡＣ ＰＤＵが成功的にデコーディングされる場合：
【０４７１】
２＞ＭＡＣ ＰＤＵがＵＥ競争解消アイデンティティーＭＡＣ ＣＥを含む場合；及び
２＞ＭＡＣ ＣＥ内のＵＥ競争解消アイデンティティーがＭｓｇ３で送信されたＣＣＣ Ｈ ＳＤＵと一致する場合：
【０４７２】
３＞このような競争解決を成功的なことで見做して；
【０４７３】
３＞ＳＩリクエストがＭｓｇ３で送信されない場合：
【０４７４】
４＞Ｃ−ＲＮＴＩをＴＥＭＰＯＲＡＲＹ_Ｃ−ＲＮＴＩの値でセッティングして；
【０４７５】
３＞そうではなくＳＩリクエストがＭｓｇ３で送信された場合：
【０４７６】
４＞ＳＩａｃｋが受信されることを上位階層に知らせる。
【０４７７】
本発明の多様な実施形態はＢＷＰ転換を示すＰＤＣＣＨの処理方法を提案する。
【０４７８】
＜方法１＞
既存の設計で、ＵＥはＢＷＰスイッチング命令を受信する時に常にＢＷＰをスイッチングする。これは進行中のランダムアクセス手続きに妨げとなることができ、これによってランダムアクセス手続きの完了を遅延させる。提案された発明の一実施形態でのＵＥ動作は次のようである：
【０４７９】
ＵＥはサービングセルに対してＢＷＰ転換のためのＰＤＣＣＨ又はＲＲＣ再設定メッセージをｇＮＢから受信する。ＵＥは前記サービングセルに係る進行中のランダムアクセス手続きがあるか否かを検査する。
【０４８０】
前記サービングセルに係る進行中のランダムアクセス手続きがない場合：
【０４８１】
−前記ＰＤＣＣＨ又はＲＲＣ再設定メッセージで指示されたＢＷＰで ＢＷＰ転換を行って；
【０４８２】
そうではなければ、前記サービングセルに係る進行中のランダムアクセス手続きがある場合：
【０４８３】
−オプション１：前記ＰＤＣＣＨ又はＲＲＣ再設定メッセージで指示されたＢＷＰでＢＷＰ転換を行う。
【０４８４】
−オプション２：ＢＷＰ転換のためのＰＤＣＣＨを無視する。
【０４８５】
−ＭＡＣエンティティーがＢＷＰ転換を行うことに決定すると、ＭＡＣエンティティーは進行中のランダムアクセス手続きを中止し、新しい活性化されたＢＷＰ上でランダムアクセス手続きを開始しなければならない。ＭＡＣがＢＷＰ転換のためのＰＤＣＣＨを無視することに決定すると、ＭＡＣエンティティーは活性ＢＷＰ上で進行中のランダムアクセス手続きを続かなければならない。
【０４８６】
ランダムアクセス手続きはＰＲＡＣＨプリアンブルが ＵＥによってサービングセル上で送信されて／されたりＵＥがサービングセル上でＲＡＲを受信する場合にサービングセルに係る。例えば、ランダムアクセス手続きが(ＰＳＣｅｌｌと異なる)ＳＣｅｌｌ上で開始されると、ＵＥはＳｃｅｌｌ上でＰＲＡＣＨプリアンブルを送信し、ＳｐＣｅｌｌ上でＲＡＲを受信する。したがって、この場合に、ランダムアクセス手続きはＳｐＣｅｌｌだけでなくＳＣｅｌｌとも係る。例えば、ランダムアクセス手続きがＳｐＣｅｌｌ上で開始されると、ＵＥはＳｐＣｅｌｌ上でＰＲＡＣＨプリアンブルを送信し、ＳｐＣｅｌｌ上でＲＡＲを受信する。したがって、この場合に、ランダムアクセス手続きはＳｐＣｅｌｌに係る。
【０４８７】
提案された発明の他の実施形態でのＵＥ動作は次の通りである：
【０４８８】
ＵＥはサービングセルに対してＢＷＰ転換のためのＰＤＣＣＨ又はＲＲＣ再設定メッセージを受信する。
【０４８９】
前記サービングセルがＳｐＣｅｌｌの場合：
【０４９０】
−進行中のランダムアクセス手続きがない場合(このようなサービングセル又はＳｐＣｅｌｌに係るＣＧの任意のＳＣｅｌｌ上で開始された進行中のランダムアクセス手続きがない場合)：
【０４９１】
−前記ＰＤＣＣＨ又はＲＲＣ再設定メッセージで指示するＢＷＰで ＢＷＰ転換を遂行して；
【０４９２】
−そうではなければ
【０４９３】
−オプション１：前記ＰＤＣＣＨ又はＲＲＣ再設定メッセージで指示されたＢＷＰでＢＷＰ転換を行う。
【０４９４】
−オプション２：ＢＷＰ転換のためのＰＤＣＣＨを無視する。
【０４９５】
−ＭＡＣエンティティーがＢＷＰ転換を行うことに決定すると、ＭＡＣエンティティーは進行中のランダムアクセス手続きを中止し、新しい活性化されたＢＷＰ上でランダムアクセス手続きを開始しなければならない。ＭＡＣがＢＷＰ転換のためのＰＤＣＣＨを無視することに決定すると、ＭＡＣエンティティーは活性ＢＷＰ上で進行中のランダムアクセス手続きを続かなければならない。
【０４９６】
そうではなければ、前記サービングセルがＳｐＣｅｌｌではない場合：
【０４９７】
−前記サービングセル上で開始された進行中のランダムアクセス手続きがない場合：
【０４９８】
−前記ＰＤＣＣＨ又はＲＲＣ再設定メッセージで指示されたＢＷＰへＢＷＰ転換を行って；
【０４９９】
−そうではなければ
【０５００】
−オプション１：前記ＰＤＣＣＨ又はＲＲＣ再設定メッセージで指示されたＢＷＰでＢＷＰ転換を行う。
【０５０１】
−オプション２：ＢＷＰ転換のためのＰＤＣＣＨ又はＲＲＣ再設定メッセージを無視する。
【０５０２】
−ＭＡＣエンティティーがＢＷＰ転換を行うことに決めれば、ＭＡＣエンティティーは進行中のランダムアクセス手続きを中止し、新しい活性化されたＢＷＰ上でランダムアクセス手続きを開始しなければならない。ＭＡＣが ＢＷＰ転換のためのＰＤＣＣＨ又はＲＲＣ再設定メッセージを無視することに決定すると、ＭＡＣエンティティーは前記ソビングセル上で進行中のランダムアクセス手続きを続かなければならない。
【０５０３】
＜方法２＞
ＵＥはサービングセルに対してＢＷＰ転換のためのＰＤＣＣＨ又はＲＲＣ再設定メッセージをｇＮＢから受信する。
【０５０４】
−前記サービングセルがＳＣｅｌｌで、前記サービングセルのデュプレキシング方式がＴＤＤでＢＷＰスイッチングのために受信されたＰＤＣＣＨ又はＲＲＣ再設定メッセージが活性ＤＬ ＢＷＰをスイッチングするためのことであれば、ＭＡＣエンティティーはＰＤＣＣＨ又はＲＲＣ再設定メッセージによって指示されたＢＷＰでＢＷＰ転換を行う。
【０５０５】
−前記サービングセルがＳＣｅｌｌで、前記サービングセルのデュプレキシング方式がＴＤＤで、ＢＷＰスイッチングのために受信されたＰＤＣＣＨ又はＲＲＣ再設定メッセージが活性ＵＬＢＷＰをスイッチングするためのことなら：
【０５０６】
−前記サービングセルに係る進行中のランダムアクセス手続きがある場合：
【０５０７】
−オプション１：前記ＰＤＣＣＨ又はＲＲＣ再設定メッセージで指示されたＢＷＰでＢＷＰ転換を行う。
【０５０８】
−オプション２：ＢＷＰ転換のためのＰＤＣＣＨを無視する。
【０５０９】
−オプション３：ＭＡＣエンティティーがＢＷＰ転換を行うことに決定すると、ＭＡＣエンティティーは進行中のランダムアクセス手続きを中止し、新しい活性化されたＢＷＰ上でランダムアクセス手続きを開始しなければならない。ＭＡＣがＢＷＰ転換のためのＰＤＣＣＨを無視することに決定すると、ＭＡＣエンティティーは活性ＢＷＰ上で進行中のランダムアクセス手続きを続かなければならない。
【０５１０】
−そうではない場合(ｅｌｓｅ)：
【０５１１】
−前記ＰＤＣＣＨ又はＲＲＣ再設定メッセージで指示されたＢＷＰでＢＷＰ転換を行う。
【０５１２】
−前記サービングセルがＳｐＣｅｌｌで、前記サービングセルのデュプレキシング方式がＴＤＤでＢＷＰスイッチングのために受信されたＰＤＣＣＨ又はＲＲＣ再設定メッセージが活性ＤＬ ＢＷＰをスイッチングするためのことであれば：
【０５１３】
−前記サービングセルに係る進行中のランダムアクセス手続きがある場合：
【０５１４】
−オプション１：前記ＰＤＣＣＨ又はＲＲＣ再設定メッセージで指示されたＢＷＰでＢＷＰ転換を行う。
【０５１５】
−オプション２：ＢＷＰ転換のためのＰＤＣＣＨを無視する。
【０５１６】
−オプション３：ＭＡＣエンティティーがＢＷＰ転換を行うことに決定すると、ＭＡＣエンティティーは進行中のランダムアクセス手続きを中止し、新しい活性化されたＢＷＰ上でランダムアクセス手続きを開始しなければならない。ＭＡＣがＢＷＰ転換のためのＰＤＣＣＨを無視することに決定すると、ＭＡＣエンティティーは活性ＢＷＰ上で進行中のランダムアクセス手続きを続かなければならない。
【０５１７】
−前記サービングセルがＳｐＣｅｌｌで、前記サービングセルのデュプレキシング方式がＴＤＤで ＢＷＰスイッチングのために受信されたＰＤＣＣＨ又はＲＲＣ再設定メッセージが活性ＵＬＢＷＰをスイッチングするためのことであれば：
【０５１８】
−前記サービングセル上で開始されたランダムアクセス手続き(すなわち、ＲＡプリアンブルが送信)がある場合：
【０５１９】
−オプション１：前記ＰＤＣＣＨ又はＲＲＣ再設定メッセージで指示されたＢＷＰでＢＷＰ転換を行う。
【０５２０】
−オプション ２：ＢＷＰ転換のためのＰＤＣＣＨを無視する。
【０５２１】
−オプション３：ＭＡＣエンティティーがＢＷＰ転換を行うことに決定すると、ＭＡＣエンティティーは進行中のランダムアクセス手続きを中止し、新しい活性化されたＢＷＰ上でランダムアクセス手続きを開始しなければならない。ＭＡＣがＢＷＰ転換のためのＰＤＣＣＨを無視することに決定すると、ＭＡＣエンティティーは活性ＢＷＰ上で進行中のランダムアクセス手続きを続かなければならない。
【０５２２】
−そうではない場合(ｅｌｓｅ)：
【０５２３】
−前記ＰＤＣＣＨ又はＲＲＣ再設定メッセージで指示されたＢＷＰでＢＷＰ転換を行う。
【０５２４】
方法２の利点は、ＴＤＤセルの場合、特定場合に進行中のランダムアクセス手続きがあっても前記進行中のランダムアクセス手続きを中断せずＢＷＰスイッチング命令が処理されることができるということである。
【０５２５】
図１３は、本発明の多様な実施形態による端末装置を示された図面である。
【０５２６】
図１３に示されたように、ＵＥ１３００は送受信部１３１０、制御部１３２０及びメモリー１３３０を含む。代案的に、送受信機は送信部及び受信部として具現されることができ、各コンポネントは一つ以上のプロセッサを介して具現されることができる。
【０５２７】
送受信部１３１０はＢＷＰ設定、ＢＷＰ非活性タイマー処理、ランダムアクセス手続き、ビーム障害管理に係る信号、データ及び制御情報を送信及び受信することができる。
【０５２８】
送受信部１３１０はランダムアクセスプリアンブルを送信してランダムアクセス応答及びスケジューリングされた送信を受信するように構成されることができる。
【０５２９】
制御部１３２０は本発明の上述された実施形態でＢＷＰ設定、ＢＷＰ非活性タイマー処理、ランダムアクセス手続き又はビーム障害管理に係る動作を制御するように構成されることができる。
【０５３０】
制御部１３２０はプライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を基地局から受信するように前記送受信機を制御して；ランダムアクセス手続きが前記ＰＣｅｌｌ又は前記ＳＣｅｌｌ上で開始されることを識別して；前記ランダムアクセス手続きが前記ＰＣｅｌｌ上で開始されることが識別される場合、前記第１タイマーが実行中であれば、前記第１タイマーを中止させて；及び前記ランダムアクセス手続きが前記ＳＣｅｌｌ上で開始されることが識別される場合、前記第１タイマー及び前記第２タイマーが実行中であれば、前記第１タイマー及び前記第２タイマーを中止させるように制御することができる。
【０５３１】
前記ＳＣｅｌｌ及び前記ＰＣｅｌｌは前記ランダムアクセス手続きに係ることができる。
【０５３２】
前記ランダムアクセス手続きは前記ＰＣｅｌｌ又は前記ＳＣｅｌｌの能動アップリンク(ＵＬ)帯域幅部分(ＢＷＰ)に基づいて行われることができる。
【０５３３】
前記ランダムアクセス手続きは前記ＰＣｅｌｌの活性ダウンリンク(ＤＬ)帯域幅部分(ＢＷＰ)に基づいて行われることができる。
【０５３４】
制御部１３２０は帯域幅部分非活性(ｂａｎｄｗｉｄｔｈ ｐａｒｔ ｉｎａｃｔｉｖｉｔｙ)に係るタイマーの第１情報を基地局から受信するように前記送受信機を制御して；サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記基地局から受信するように前記送受信機を制御して；サービングセルに係る進行中のランダムアクセス手続きが存在するか否かを識別して；及び前記サービングセルに係る進行中の任意接近手続きがないことが識別される場合、前記タイマーを開始又は再開始するように制御することができる。
【０５３５】
前記活性ＢＷＰはデフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【０５３６】
前記ＰＤＣＣＨはダウンリンク割り当て又はアップリンクグラントを示すことができる。
【０５３７】
前記ＰＤＣＣＨは前記活性ＢＷＰを介して受信されたり前記活性ＢＷＰのために受信されることができる。
【０５３８】
制御部１３２０はランダムアクセス手続きを開始するためのランダムアクセスプリアンブルを基地局に送信し、前記基地局からランダムアクセス応答を受信し、システム情報(ｓｙｓｔｅｍ ｉｎｆｏｒｍａｔｉｏｎ、ＳＩ)をリクエストするための第１メッセージを前記基地局に送信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌｃｈａｎｎｅｌ、ＰＤＣＣＨ)を前記基地局から受信するように前記送受信機を制御し、競争解消(ｃｏｎｔｅｎｔｉｏｎ ｒｅｓｏｌｕｔｉｏｎ)が成功的であるか否かを識別して；ランダムアクセス手続きが前記ＳＩリクエストのために開始されるか否かを識別し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)の受信を上位階層(ｕｐｐｅｒ ｌａｙｅｒ)に指示するように制御することができる。
【０５３９】
制御部１３２０は前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)を前記臨時Ｃ−ＲＮＴＩの値段で設定するように制御することができる。
【０５４０】
前記ランダムアクセス手続きは競争基盤ランダムアクセスに係ることができる。
【０５４１】
ＭＡＣ ＰＤＵで受信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで送信されたＣＣＣＨ ＳＤＵとマッチされる場合、前記競争解消が成功的に識別されることができる。
【０５４２】
制御部１３２０はサービングセルの帯域幅部分(ｂａｎｄｗｉｄｔｈ ｐａｒｔ、ＢＷＰ)スイッチングのための物理ダウンリンク制御チャネル(ｐｈｙｓｉｃａｌ ｄｏｗｎｌｉｎｋ ｃｏｎｔｒｏｌｃｈａｎｎｅｌ、ＰＤＣＣＨ)を基地局から受信するように前記送受信機を制御して；前記サービングセルに係る進行中のランダムアクセス手続きが存在するか否かを識別して；進行中のランダムアクセス手続きがないことが識別される場合、前記ＰＤＣＣＨに基づいてＢＷＰスイッチングを行うように制御することができる。
【０５４３】
進行中のランダムアクセス手続きがあることが識別される場合、前記ＢＷＰスイッチングは前記ＰＤＣＣＨに基づいて行われることができる。
【０５４４】
前記ＢＷＰスイッチングが行われる場合、前記進行中のランダムアクセス手続きは中断されることができる。
【０５４５】
進行中のランダムアクセス手続きがあることが識別される場合、ＢＷＰスイッチングのための前記ＰＤＣＣＨは無視されることができる。
【０５４６】
制御部１３２０はビーム障害復旧(ｂｅａｍ ｆａｉｌｕｒｅ ｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を受信するように前記送受信機を制御して；ビーム障害インスタンスの数を識別し、前記ビーム障害インスタンスの数が前記第２情報より大きいか同一であるか否かを識別し、前記ビーム障害インスタンスの数が前記第２情報より大きいか同一であるということが識別される場合、前記ビーム障害復旧に係る前記タイマーを開始するように制御し、ビーム障害復旧リクエストに対するランダムアクセス手続きを開始するための非競争(ｃｏｎｔｅｎｔｉｏｎ−ｆｒｅｅ)ランダムアクセスプリアンブルを送信するように前記送受信機を制御して；前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を受信するように前記送受信機を制御して；前記ランダムアクセス手続きが成功的に完了されたか否かを識別し、前記ランダムアクセス手続きが成功的に完了されたことが識別される場合、前記タイマーを中止するように制御することができる。
【０５４７】
前記第１情報及び前記第２情報は、上位階層シグナリングによって受信されることができる。
【０５４８】
前記ビーム障害インスタンスの数は前記ランダムアクセス手続きが成功的に完了されたことが識別される場合、０で設定されることができる。
【０５４９】
前記ランダムアクセス手続きが成功的に完了されたことが識別される場合、前記ビーム障害復旧は完了されたことが識別されることができる。
【０５５０】
メモリー１３３０は本発明の上述された実施形態でＢＷＰ設定、ＢＷＰ非活性タイマー処理、ランダムアクセス手続き又はビーム障害管理に係る情報を記憶するように構成されることができる。
【０５５１】
図１４は、本発明の多様な実施形態による基地局装置を示された図面である。
【０５５２】
図１４に示されたように、基地局１４００は送受信部１４１０、制御部１４２０及びメモリー１４３０を含む。代案的に、送受信機は送信部及び受信部として具現されることができ、各コンポネントは一つ以上のプロセッサを介して具現されることができる。
【０５５３】
送受信部１４１０はＢＷＰ設定、ＢＷＰ非活性タイマー処理、ランダムアクセス手続き、ビーム障害管理と連関された信号、データ及び制御情報を受信及び送信することができる。
【０５５４】
送受信部１４１０はランダムアクセスプリアンブルを受信してランダムアクセス応答及びスケジューリングされた送信を送信するように構成されることができる。
【０５５５】
制御部１４２０は本発明の定数ができた実施形態でＢＷＰ設定、ＢＷＰ非活性タイマー処理、ランダムアクセス手続き又はビーム障害管理に係る動作を制御するように構成されることができる。
【０５５６】
制御部１４２０は前記送受信機がプライマリセル(ｐｒｉｍａｒｙ ｃｅｌｌ、ＰＣｅｌｌ)の帯域幅部分(ｂａｎｄｗｉｄｔｈ ｐａｒｔ、ＢＷＰ)に係る帯域幅部分非活性(ｂａｎｄｗｉｄｔｈ ｐａｒｔ ｉｎａｃｔｉｖｉｔｙ)の第１タイマーの第１情報及びセカンダリセル(ｓｅｃｏｎｄａｒｙ ｃｅｌｌ、ＳＣｅｌｌ)の帯域幅部分(ＢＷＰ)に係る帯域幅部分非活性(ｂａｎｄｗｉｄｔｈ ｐａｒｔ ｉｎａｃｔｉｖｉｔｙ)の第２タイマーの第２情報を端末(ａ ｕｓｅｒ ｅｑｕｉｐｍｅｎｔ、ＵＥ)に送信し、前記ＰＣｅｌｌ又は前記ＳＣｅｌｌ上でランダムアクセス手続きに係る第１メッセージを前記ＵＥから受信して；前記ＰＣｅｌｌ上で前記ランダムアクセス手続きに係る第２メッセージを前記ＵＥに送信するように制御し、前記ランダムアクセス手続きが前記ＰＣｅｌｌ上で開始されることが識別される場合、前記第１タイマーが実行中であれば、前記第１タイマーが中止され、前記ランダムアクセス手続きが前記ＳＣｅｌｌ上で開始されることが識別される場合、第１タイマー及び前記第２タイマーが実行中であれば、前記第１タイマー及び前記第２タイマーが中止されることができる。
【０５５７】
前記ＳＣｅｌｌ及び前記ＰＣｅｌｌは前記ランダムアクセス手続きに係ることができる。
【０５５８】
前記物理的ランダムアクセスチャネル(ｐｈｙｓｉｃａｌ ｒａｎｄｏｍ ａｃｃｅｓｓ ｃｈａｎｎｅｌ、ＰＲＡＣＨ)プリアンブルを含む前記第１メッセージは前記ＰＣｅｌｌ又は前記ＳＣｅｌｌの活性アップリンク帯域幅部分(ａｃｔｉｖｅ ｕｐｌｉｎｋ ＢＷＰ)上で受信されることができる。
【０５５９】
前記ランダムアクセス応答(ｒａｎｄｏｍ ａｃｃｅｓｓ ｒｅｓｐｏｎｓｅ、ＲＡＲ)を含む前記第２メッセージは前記ＰＣｅｌｌの活性ダウンリンク帯域幅部分(ａｃｔｉｖｅ ｄｏｗｎｌｉｎｋ ＢＷＰ)上で送信されることができる。
【０５６０】
制御部１４２０は帯域幅部分非活性(ｂａｎｄｗｉｄｔｈ ｐａｒｔ ｉｎａｃｔｉｖｉｔｙ)に係るタイマーの第１情報を端末(ａ ｕｓｅｒ ｅｑｕｉｐｍｅｎｔ、ＵＥ)で送信するように前記送受信機を制御して；サービングセルに係る活性(ａｃｔｉｖｅ)帯域幅部分(ｂａｎｄｗｉｄｔｈ ｐａｒｔ、ＢＷＰ)上で物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記ＵＥに送信するように前記送受信機を制御し、前記タイマーは前記サービングセルに係る進行中のランダムアクセス手続きがないことが識別される場合、開始又は再開始されることができる。
【０５６１】
前記活性ＢＷＰはデフォルトダウンリンク帯域幅部分(ｄｅｆａｕｌｔ ｄｏｗｎｌｉｎｋ ＢＷＰ)又は初期帯域幅部分(ｉｎｉｔｉａｌ ＢＷＰ)とは異なることができる。
【０５６２】
前記ＰＤＣＣＨはダウンリンク割り当て又はアップリンクグラントを示すことができる。
【０５６３】
前記ＰＤＣＣＨは前記活性ＢＷＰを介して送信されたり前記活性ＢＷＰのために送信されることができる。
【０５６４】
制御部１４２０は前記送受信機がランダムアクセス手続きを開始するためのランダムアクセスプリアンブルを端末(ａ ｕｓｅｒ ｅｑｕｉｐｍｅｎｔ、ＵＥ)から受信し、ランダムアクセス応答を前記端末で送信し、システム情報(ｓｙｓｔｅｍ ｉｎｆｏｒｍａｔｉｏｎ、ＳＩ)をリクエストするための第１メッセージを前記端末から受信し、臨時セル無線ネットワーク臨時識別子(ｔｅｍｐｏｒａｒｙ ｃｅｌｌ ｒａｄｉｏ ｎｅｔｗｏｒｋ ｔｅｍｐｏｒａｒｙ ｉｄｅｎｔｉｆｉｅｒ、ＴＥＭＰＯＲＡＲＹＣ−ＲＮＴＩ)に係る物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信し、前記競争解消が成功的で、前記ランダムアクセス手続きが前記ＳＩをリクエストするために開始されることが識別される場合、前記ＳＩのリクエストに対する確認応答(ａｃｋｎｏｗｌｅｄｇｅｍｅｎｔ)を前記端末で送信するように制御することができる。
【０５６５】
前記競争解決が成功的で、前記ランダムアクセス手続きが前記ＳＩをリクエストするために開始されなかったということが識別される場合、セルラジオネットワーク臨時識別子(ａ ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)が前記臨時Ｃ−ＲＮＴＩの値で設定されることができる。
【０５６６】
前記ランダムアクセス手続きは競争基盤ランダムアクセスに係ることができる。
【０５６７】
ＭＡＣ ＰＤＵで送信されたＭＡＣ ＣＥ内の前記端末競争解消識別情報(ＵＥ Ｃｏｎｔｅｎｔｉｏｎ Ｒｅｓｏｌｕｔｉｏｎ Ｉｄｅｎｔｉｔｙ)が前記第１メッセージで受信されたＣＣＣＨ ＳＤＵとマッチされる場合、前記競争解消が成功的に識別されることができる。
【０５６８】
制御部１４２０は前記送受信機がサービングセルの活性(ａｃｔｉｖｅ)帯域幅部分(ｂａｎｄｗｉｄｔｈ ｐａｒｔ、ＢＷＰ)に係る情報を含む帯域幅部分(ＢＷＰ)構成情報を端末(ａ ｕｓｅｒ ｅｑｕｉｐｍｅｎｔ、ＵＥ)で送信し、前記サービングセルの帯域幅部分(ＢＷＰ)スイッチングのための物理ダウンリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)を前記端末で送信するように制御し、進行中のランダムアクセス手続きがないことが識別される場合、前記ＰＤＣＣＨに基づいてＢＷＰスイッチングが行われることができる。
【０５６９】
進行中のランダムアクセス手続きがあることが識別される場合、前記ＢＷＰスイッチングは前記ＰＤＣＣＨに基づいて行われることができる。
【０５７０】
前記ＢＷＰスイッチングが行われる場合、前記進行中のランダムアクセス手続きは中断されることができる。
【０５７１】
進行中のランダムアクセス手続きがあることが識別される場合、ＢＷＰスイッチングのための前記ＰＤＣＣＨは無視されることができる。
【０５７２】
制御部１４２０は前記送受信機がビーム障害復旧(ｂｅａｍ ｆａｉｌｕ ｒｅｒｅｃｏｖｅｒｙ)に係るタイマーの第１情報及びビーム障害インスタンス(ｂｅａｍ ｆａｉｌｕｒｅ ｉｎｓｔａｎｃｅ)に係る最大カウント値の第２情報を端末(ａ ｕｓｅｒ ｅｑｕｉｐｍｅｎｔ、ＵＥ)で送信し、ビーム障害復旧リクエストに対するランダムアクセス手続きを開始するための非競争(ｃｏｎｔｅｎｔｉｏｎ−ｆｒｅｅ)ランダムアクセスプリアンブルを前記端末から受信し、前記ＵＥのセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)に係る物理ダウンリンク制御チャネル(ｐｈｙｓｉｃａｌ ｄｏｗｎｌｉｎｋ ｃｏｎｔｒｏｌｃｈａｎｎｅｌ、ＰＤＣＣＨ)を前記端末で送信するように制御し、前記タイマーは前記ビーム障害インスタンスの数が前記第２情報より大きいか同一であるということが識別される場合に開始され、前記ランダムアクセス手続きが成功的に完了されたことが識別される場合、中止されることができる。
【０５７３】
前記第１情報及び前記第２情報は、上位階層シグナリングによって送信されることができる。
【０５７４】
前記ビーム障害インスタンスの数は前記ランダムアクセス手続きが成功的に完了されたことが識別される場合、０で設定されることができる。
【０５７５】
前記ランダムアクセス手続きが成功的に完了されたことが識別される場合、前記ビーム障害復旧は完了されたことが識別されることができる。
【０５７６】
メモリー１４３０は本発明の上述された実施形態でＢＷＰ設定、ＢＷＰ非活性タイマー処理、ランダムアクセス手続き又はビーム障害管理に係る情報を記憶するように構成されることができる。
【０５７７】
上述した開示された実施形態及び添付された図面は本開示の理解を助けるために特定例としてだけ提供され、本発明の範囲を制限しない。したがって、本発明が属する技術分野の当業者は本開示の技術的思想に基づいた他の変更例が本開示の範囲を逸脱せず成ることができることを理解するだろう。
【０５７８】
本開示物がその多様な実施形態を参照して図示されて説明されたが、当業者は本開示物の思想及び範囲を逸脱せず形態及び詳細事項の多様な変化が成ることができることを理解するだろう。添付された請求範囲及びその均等物によって定義される。
【０５７９】
上述した多様な実施形態による、モジュール、プログラムモジュール又は他の構成要素によって行われる動作は順次、並列的、繰返し的又はヒュリスティックするように実行されたり、少なくとも一部動作が他の手順で実行されたり、省略されたり、又は他の動作が追加されることができる。
【０５８０】
上述した図１乃至図１２で上述した多様な実施形態による方法は、多様な具現によって少なくとも一つ以上の図面が組み合せる方法を含むことができる。例えば、図１乃至図１２はランダムアクセス手続きに係る動作に関するもので、多様な具現によって少なくとも一つ以上の図面が組み合せる方法を含むことができる。
【符号の説明】
【０５８１】
1310  送受信部
1320  制御部
1330  メモリー
1410  送受信部
1420  制御部
1430  メモリー
【図１】
2021508961.tif 000003
【図２】
2021508961.tif 000004
【図３】
2021508961.tif 000005
【図４】
2021508961.tif 000006
【図５】
2021508961.tif 000007
【図６】
2021508961.tif 000008
【図７】
2021508961.tif 000009
【図８】
2021508961.tif 000010
【図９】
2021508961.tif 000011
【図１０】
2021508961.tif 000012
【図１１】
2021508961.tif 000013
【図１２】
2021508961.tif 000014
【図１３】
2021508961.tif 000015
【図１４】
2021508961.tif 000016
【国際調査報告】
2021508961.tif 000017
2021508961.tif 000018